(57)【要約】      （修正有）【課題】標識試薬を用いた質量分析による検体の決定に関する方法、混合物、キットおよび組成物を提供する。【解決手段】この標識試薬は、検体の官能基と反応して、標識された検体を形成する求核性反応基を含む。この標識試薬は、同重体化合物標識のセット、質量の異なる標識のセットであってもよく、同重体化合物標識と質量の異なる標識とを組み合わせたセットとして使用してもよい。また種々の一般式を有する化合物（同じ一般構造式を有するが、同位体によってコードされる化合物を含むセットを含む）を、同重体化合物のセットおよび／または質量が異なるセットの両方の形態で調製することができる。【選択図】図１
2010249838.tif 000002
【特許請求の範囲】
【請求項１】
少なくとも２つの標識された検体を含む混合物であって、この少なくとも２つの標識された検体が、異なるサンプル由来であり、この混合物の標識された検体は、それぞれ、式Ｉ”
【化９８】
2010249838.tif 000125
およびその塩形態および／または水和物形態によってあらわされ、
式中、Ｙは、置換されているか、または置換されていなくてもよい５、６または７員環へテロ環であり、ここで、ヘテロ環は、少なくとも１個の環窒素原子を含み、この環窒素原子が、共有結合を介してＪ基に結合しており；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または１から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
Ｚ”は、共有結合した検体であり；
Ｒ３、Ｒ４、Ｒ５、Ｒ６および／またはＲ７は、それぞれ他と独立して、アルキル、アルケニル、アルキニル、アリール、ヘテロアリールまたはアリールアルキルであり；
Ｒ３’、Ｒ４’および／またはＲ５’は、それぞれ他と独立して、アルキレン、アルケニレン、アルキニレン、アリーレンまたはアルキルアリーレンであり；
ここで、式Ｉ＾によってあらわされる基
【化９９】
2010249838.tif 000126
は、特定のサンプルに関連するすべての標識された検体について同じであるが、式Ｉ＾の基は、少なくとも１箇所の同位体が濃縮された部位を含み、この部位は、混合して混合物を形成する異なるサンプル由来の任意の他の標識された検体の同位体が濃縮された部位とは異なっている、混合物。
【請求項２】
Ｙ−Ｊ基のＪ基と、前記標識された検体の残りの部分との結合が質量分析計中でフラグメント化する場合、混合して混合物を形成する異なるサンプル由来の任意の他の標識された検体と関連する任意のレポーターイオンとは異なる総質量を有するレポーターイオンが生成され、前記固有のレポーターイオンが、サンプル由来の標識された検体からサンプルを同定可能なように、レポーター部分を形成するＹ−Ｊ基が、１箇所以上の同位体が濃縮された部位で固有にコードされる、請求項１に記載の混合物。
【請求項３】
式Ｉ＾
【化１００】
2010249838.tif 000127
によってあらわされる基が、特定のサンプルに関連するすべての標識された検体について同じ総質量を有しているが、混合して混合物を形成する異なるサンプル由来の任意の他の標識された検体に関連する式Ｉ＾の基の総質量とは異なっており、式Ｉ＾の基の総質量は、サンプル由来の標識された検体からサンプルを同定可能である、請求項１に記載の混合物。
【請求項４】
１つ以上の標識された検体がペプチドおよび／またはタンパク質である、請求項１から３のいずれか１項に記載の混合物。
【請求項５】
１つ以上の標識された検体が、プロスタグランジン、脂肪酸、カルニチン、炭水化物、脂質、アミノ酸、ビタミンおよび／またはステロイドである、請求項１から３のいずれか１項に記載の混合物。
【請求項６】
少なくとも１つの標識された検体が、式ＩＩＩ”
【化１０１】
2010249838.tif 000128
およびその塩形態および／または水和物形態によってあらわされ、
式中、
ｓは０から５までの整数であり；
Ｒ１は、水素、重水素またはＲ６であり；
Ｒ２は、水素、重水素またはＲ７であり；
Ｒ１１は、水素、重水素、メチル、−Ｃ（Ｈ）２Ｄ、−Ｃ（Ｈ）Ｄ２、−ＣＤ３、他のアルキルまたは−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
Ｒ６、Ｒ７および／またはＲ１０は、それぞれ他と独立して、アルキル、アルケニル、アルキニル、アリール、ヘテロアリールまたはアリールアルキルであり；
各Ｒ９’は、他と独立して、アルキレン、アルケニレン、アルキニレン、アリーレンまたはアルキルアリーレンである、請求項１から３のいずれか１項に記載の混合物。
【請求項７】
１つ以上の標識された検体が、式Ｖ”、ＶＩ”、ＶＩＩ”、ＶＩＩＩ”、ＩＸ”、Ｘ”、ＸＩ”またはＸＩＩ”
【化１０２】
2010249838.tif 000129
【化１０３】
2010249838.tif 000130
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｒ１は、水素またはＲ６であり；
Ｒ２は、水素またはＲ７であり；
Ｚ”は、共有結合した検体であり；
Ｒ６および／またはＲ７は、それぞれ他と独立して、アルキル、アルケニル、アルキニル、アリール、ヘテロアリールまたはアリールアルキルである、請求項２に記載の混合物。
【請求項８】
少なくとも１つの標識された検体が、式ＸＸＶ”、ＸＸＶＩ”、ＸＸＶＩＩ”、ＸＸＶＩＩＩ”、ＸＸＩＸ”、ＸＸＸ”、ＸＸＸＩ”またはＸＸＸＩＩ”
【化１０４】
2010249838.tif 000131
または
【化１０５】
2010249838.tif 000132
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し、
Ｒ１は、水素またはＲ６であり；
Ｒ２は、水素またはＲ７であり；
Ｚ”は、共有結合した検体であり；
Ｒ６および／またはＲ７は、それぞれ他と独立して、アルキル、アルケニル、アルキニル、アリール、ヘテロアリールまたはアリールアルキルである、請求項３に記載の混合物。
【請求項９】
少なくとも１つの標識された検体が、式ＩＶ”
【化１０６】
2010249838.tif 000133
およびその塩形態および／または水和物形態によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、請求項１から３のいずれか１項に記載の混合物。
【請求項１０】
少なくとも１つの標識された検体が、式ＸＶ”、ＸＶＩ”、ＸＶＩＩ”、ＸＶＩＩＩ”、ＸＩＸ”、ＸＸ”、ＸＸＩ”、ＸＸＩＩ”またはＸＸＩＩＩ”
【化１０７】
2010249838.tif 000134
【化１０８】
2010249838.tif 000135
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚ”は、共有結合した検体である、請求項２に記載の混合物。
【請求項１１】
少なくとも１つの標識された検体が、式ＸＸＸＶ”、ＸＸＸＶＩ”、ＸＸＸＶＩＩ”、ＸＸＸＶＩＩＩ”、ＸＸＸＩＸ”、ＸＸＸＸ”またはＸＸＸＸＩ”
【化１０９】
2010249838.tif 000136
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し；
Ｚ”は、共有結合した検体である、請求項３に記載の混合物。
【請求項１２】
少なくとも１つの標識された検体が、式ＩＩＩ＊”
【化１１０】
2010249838.tif 000137
およびその塩形態および／または水和物形態によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、請求項１から３のいずれか１項に記載の混合物。
【請求項１３】
少なくとも１つの標識された検体が、式Ｍ”、ＭＩ”、ＭＩＩ”、ＭＩＩＩ”、ＭＩＶ”またはＭＶ”
【化１１１】
2010249838.tif 000138
【化１１２】
2010249838.tif 000139
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚ”は、共有結合した検体である、請求項２に記載の混合物。
【請求項１４】
少なくとも１つの標識された検体が、式ＭＶＩ”、ＭＶＩＩ”、ＭＶＩＩＩ”、ＭＩＸ”、ＭＸ”、ＭＸＩ”、ＭＸＩＩ”またはＭＸＩＩＩ”
【化１１３】
2010249838.tif 000140
【化１１４】
2010249838.tif 000141
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し；
Ｚ”は、共有結合した検体である、請求項３に記載の混合物。
【請求項１５】
式Iであらわされる化合物およびその塩形態および／または水和物形態を少なくとも１つ含むキット：
2010249838.tif 000142
〔式中、
Ｙは、置換されているか、または置換されていなくてもよく、場合により、支持体に開裂可能に結合していてもよい５、６または７員環へテロ環であり、ここで、ヘテロ環は、少なくとも１個の環窒素原子を含み、この環窒素原子が、共有結合を介してＪ基に結合しており；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または２から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
Ｚは、水素であるか、または共有結合した検体であり；
Ｒ３、Ｒ４、Ｒ５、Ｒ６および／またはＲ７は、それぞれ他と独立して、アルキル、アルケニル、アルキニル、アリール、ヘテロアリールまたはアリールアルキルであり；
Ｒ３’、Ｒ４’および／またはＲ５’は、それぞれ他と独立して、アルキレン、アルケニレン、アルキニレン、アリーレンまたはアルキルアリーレンであり；
この化合物は、少なくとも１箇所の同位体が濃縮された部位を含む。〕。
【請求項１６】
２つ以上の異なるサンプル中の１つ以上の検体を定量するアッセイを行うために選択された、少なくとも１つの追加試薬をさらに含む、請求項１５に記載のキット。
【請求項１７】
前記化合物が、固有の総質量を有するレポーター部分を含む標識された較正標準である、請求項１５に記載のキット。
【請求項１８】
前記化合物が、固有の総質量を有する標識部分を含む標識された較正標準である、請求項１５に記載のキット。
【請求項１９】
本明細書に記載の発明。
【発明の詳細な説明】
【技術分野】
【０００１】
本明細書で使用する章の見出しは、単に構成のためだけに付されており、記載される主題をいかなる様式にも限定すると解釈されるべきではない。
【０００２】
（分野）
本発明は、質量分析による検体の決定に関する方法、混合物、キットおよび組成物に関する。
【発明の概要】
【課題を解決するための手段】
【０００３】
（序論）
本発明は、質量分析による１つ以上の検体の決定に関する。検体は、アミン基またはヒドラジン基と反応して安定な付加物を形成可能な任意の目的分子であってよい。例えば、検体の反応基は、カルボン酸基、アルデヒド基またはケトン基であってもよく、アルデヒド基またはケトン基から形成する付加物を還元し、安定な標識された検体を形成させてもよい。検体の非限定例としては、限定されないが、生物的に重要なカルボン酸化合物（例えば、プロスタグランジン、脂肪酸、カルニチンなど）、タンパク質、ペプチド、炭水化物、脂質、アミノ酸、ステロイド、および１５００ダルトン未満の質量を有し、適切な反応性官能基を含む他の低分子が挙げられる。検体は、複雑な混合物中で、検体を相対的および／または絶対的に定量することができるユニークな標識試薬を用いて決定される。標識試薬は、複雑な試料混合物を分析するためのセットとして使用することができ、標識試薬は、同重体化合物（同重体化合物異性体を含む）であってもよく、および／または固有の総質量を有する標識試薬を含んでもよい（すなわち、質量の異なる標識試薬は、「質量の異なるタグ」としても知られる）。
【０００４】
例えば、生物学的に重要な化合物（例えば、カルボン酸化合物、例えば、プロスタグランジン、脂肪酸、カルニチンなど）の多重定性分析および多重定量分析は、同重体化合物タグおよび／または質量が異なるタグを利用して行うことができ、いくつかの実施形態では、三連四重極型の、線形のイオン捕捉装置を備えるマルチプルリアクションモニタリング（ＭＲＭ）を利用して行うことができる。
【０００５】
図１ａを参照すると、同重体化合物のセットの標識試薬は、レポーター部分と、バランス（またはリンカー）部分と、反応基とを含んでいてもよく、反応基は、組成物の検体と反応する形態で、検体と置き換わる。この一般式の標識試薬および標識された検体の例は、例えば、同時公開され、権利者が共通の米国特許出願公開番号第ＵＳ  ２００４−０２１９６８５  Ａ１号、第ＵＳ  ２００５−０１１４０４２  Ａ１号、第ＵＳ  ２００５−０１４７９８２  Ａ１号、第ＵＳ  ２００５−０１４７９８５  Ａ１号、第ＵＳ  ２００５−０１４７９８７  Ａ１号、第ＵＳ  ２００５−０１４８７７１  Ａ１号、第ＵＳ  ２００５−０１４８７７３  Ａ１号および第ＵＳ  ２００５−０１４８７７４  Ａ１号に開示されている。
【０００６】
いくつかの実施形態では、同重体化合物（同重体化合物異性体を含む）の標識試薬を使用し、例えば２つ以上の異なるサンプルの検体を標識することができ、異なる標識試薬のセットは、全て同じ総質量を有するが、各レポーター部分は、このセットの各レポーター部分が固有の総質量を有するように、固有の同位体を含む形態でコードすることができる。試薬のセットはすべて同じ総質量を有するが、固有の総質量を有するレポーター部分を含むことができるため、バランス（ｂａｌａｎｃｅ）（またはリンカー）は、一般的に（必須ではないが）、１個以上の重原子同位体を含み、このセットの各標識試薬のレポーター／リンカーの組み合わせが同じ総質量を有するように、各固有のレポーターの質量の「バランスをとって」もよい。
【０００７】
いくつかの実施形態では、質量が異なる標識試薬（すなわち、質量が異なるタグ）を、例えば、２つ以上の異なるサンプルの検体を標識するのに使用することができ、このセットの異なる標識試薬は、すべて別個の質量を有する（すなわち、このセットの他の試薬と比較した場合、すべて既知の質量差を有する）。このセットの試薬はすべて、既知の質量差を有していてもよいので、２個の異なるサンプルの似た検体の相対量を定量するために、標識試薬をフラグメント化する必要はない。しかし、いくつかの実施形態では、標識試薬をフラ
グメント化することができる。
【０００８】
以下にさらに詳細に記載するように、種々の一般式を有する化合物（同位体によってコードされる以外は同じ一般構造式を有する化合物を含むセットを含む）を、同重体化合物のセットおよび／または質量が異なるセットの両方の形態で調製することができる。一般的に、これらのセットは、同重体化合物の標識のセットまたは質量が異なる標識のセットとして使用することができるが、同じ実験で、同重体化合物の標識のセットを、質量が異なる標識試薬のセットと組み合わせて同時に使用することが本発明の一実施形態として意図される。
【０００９】
本明細書に十分に記載されるような、新規標識試薬（または標識された検体）の例を図１ｂに示す。置換されていない形態（Ｒ１およびＲ２を除く）を記載しているが、標識試薬は、置換されていても置換されていなくてもよいことは理解されるべきである。この図では、特定の結合がフラグメント化され、標識試薬または標識された検体から、少なくとも固有のレポーター部分と、場合により、バランス部分とが放出されることが記載されている。同重体化合物の標識試薬で標識された、標識検体の場合、各固有のレポーターイオン（シグニチャイオン（ｓｉｇｎａｔｕｒｅ  ｉｏｎ）と呼ばれることもある）が質量分析計（典型的にはＭＳｎ分析であり、ｎは１より大きな整数である）で観察され、このレポーターイオンを使用し、サンプルまたはサンプル混合物の検体の量を定量することができる。質量が異なる標識試薬で標識された、標識検体の場合、ＭＳ１分析で、標識された検体の相対強度を求めることによって定量することができる。
【００１０】
図４ａには、図１ｂに示した基本構造を有するＡＩ〜ＡＩＶ（例えば、Ｒ１およびＲ２は、他と独立して、水素またはメチルであってもよい）の標識試薬のセットを有する、４つの異なるコード化態様の標識試薬の２セットを示し、アスタリスク（＊）は、適切な場合、１２Ｃ原子が１３Ｃ原子に置き換わっているか、１４Ｎ原子が１５Ｎ原子に置き換わっているか、または１６Ｏ原子が１８Ｏ原子に置き換わっていることを示す。これらのセットを利用し、４乗倍の実験を進めることができる。しかし、重原子同位体で化合物をさらに置換すると、４つより多くのの異なる化合物を調製でき、４乗倍よりも多くの実験を行うことが可能になると推定される。
【００１１】
一般的に、標識試薬、標識された検体、および標識試薬および／または標識された検体のいくつかの中間体は、式Ｉ
【００１２】
【化１】
2010249838.tif 000003
を有する化合物によってあらわすことができる（その塩形態および／または水和物形態を含む）。式中、Ｚは、水素であるか、または共有結合した検体であってもよく、Ｘ１、Ｒ１、Ｒ２、Ｙ、ＪおよびＫであらわされる原子または基は、以下により詳細に記載されるとおりである。
【００１３】
したがって、いくつかの実施形態では、検体は、検体と、式Ｉ’
【００１４】
【化２】
2010249838.tif 000004
〔式中、Ｒ１、Ｒ２、Ｙ、ＪおよびＫであらわされる原子または基は、以下に詳細に記載されるとおりである。〕
を有する化合物（その塩形態および／または水和物形態を含む）により表される標識試薬とを反応させることによって標識化することができる。いくつかの実施形態では、標識試薬は、異性体化合物および／または同重体化合物を含むセットで使用することができ、この場合、標識された検体は、同様に異性体および／または同重体化合物であってもよい。いくつかの実施形態では、質量が異なる標識化合物（すなわち、異なる総質量を有する標識試薬）を含むセットで標識試薬を使用することができる。いくつかの実施形態では、同重体（同重体化合物異性体を含む）の標識試薬および質量が異なる標識試薬を一緒に使用する。
【００１５】
さらに、いくつかの実施形態では、標識された検体は、式Ｉ”
【００１６】
【化３】
2010249838.tif 000005
〔式中、Ｚ”は、標識試薬に共有結合した検体をあらわし、Ｒ１、Ｒ２、Ｙ、ＪおよびＫであらわされる原子または基は、以下により詳細に記載されるとおりである。〕
によってあらわすことができる（その塩形態および／または水和物形態を含む）。
【００１７】
本明細書に記載されるように、２個、３個、４個またはそれ以上の同重体化合物の標識試薬および／または質量が異なる標識試薬があれば、４乗倍またはそれ以上の実験を行うことができる。例えば、それぞれ異なる状態に標識され、混合された４個の（またはそれ以上の）異なるサンプル中の検体を同時に同定および／または定量することができる。同重体化合物の標識のセットでは、同重体化合物のセットの異なる標識試薬それぞれに関連する固有のレポーターイオンそれぞれの相対存在量を調べることによって、定量を行うことができる。質量の異なるセットでは、質量の異なるセットの異なる標識試薬それぞれに関連する標識された検体それぞれの相対存在量を決定することによって、定量を行うことができる。
【００１８】
したがって、本発明の実施形態は、複雑なサンプル混合物の多重分析に特に適している。例えば、本発明のいくつかの実施形態は、プロテオーム解析および／またはゲノム解析に使用することができ、また、ゲノム解析および／またはプロテオーム解析に関連する相関試験にも使用することができる。本発明のいくつかの実施形態は、低分子の分析、例えば、カルニチン、炭水化物、脂質、ステロイド、ビタミン、プロスタグランジン、脂肪酸および／またはアミノ酸の分析に使用することもできる。同重体化合物の試薬および／または質量が異なる試薬を使用可能な試験分析としては、限定されないが、経時試験、バイオマーカー分析、多重プロテオーム解析、多次元タンパク質特定試験、アフィニティープルダウン（ａｆｆｉｎｉｔｙ  ｐｕｌｌ−ｄｏｗｎ）、翻訳後修飾（ＰＴＭ）の決定（例えば、米国特許出願公開第ＵＳ  ２００５−０２０８５５０  Ａ１号を参照）および多重コントロール試験が挙げられる。
【００１９】
本発明は、例えば以下の項目を提供する。
（項目１）
式Ｉであらわされる化合物およびその塩形態および／または水和物形態
【化６５】
2010249838.tif 000006
〔式中、
Ｙは、置換されているか、または置換されていなくてもよく、場合により、支持体に開裂可能に結合していてもよい５、６または７員環へテロ環であり、ここで、ヘテロ環は、少なくとも１個の環窒素原子を含み、この環窒素原子が、共有結合を介してＪ基に結合しており；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または２から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
Ｚは、水素であるか、または共有結合した検体であり；
Ｒ３、Ｒ４、Ｒ５、Ｒ６および／またはＲ７は、それぞれ他と独立して、アルキル、アルケニル、アルキニル、アリール、ヘテロアリールまたはアリールアルキルであり；
Ｒ３’、Ｒ４’および／またはＲ５’は、それぞれ他と独立して、アルキレン、アルケニレン、アルキニレン、アリーレンまたはアルキルアリーレンであり；
この化合物は、少なくとも１箇所の同位体が濃縮された部位を含む。〕。
（項目２）
前記Ｙ−Ｊ基が、少なくとも１箇所の同位体が濃縮された部位を含む、項目１に記載の化合物。
（項目３）
式Ｉ＃
【化６６】
2010249838.tif 000007
によってあらわされる基が、少なくとも１箇所の同位体が濃縮された部位を含み、
式中、
Ｋが、式−（ＣＫ’２）ｎ−または−（（ＣＫ’２）ｍ−Ｘ２−（ＣＫ’２）ｍ）ｐ−であらわされる基であり、ｎは０であるか、または２〜１０の整数であり、各ｍは、他と独立して、１〜５の整数であり、ｐは１〜４の整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１が、＝Ｏ、＝Ｓ、＝ＮＨまたは＝ＮＲ７であり；
各Ｘ２が、他と独立して、−Ｏ−または−Ｓ−であり；
Ｒ４、Ｒ５、Ｒ６および／またはＲ７が、それぞれ他と独立して、アルキル、アルケニル、アルキニル、アリール、ヘテロアリールまたはアリールアルキルであり；
Ｒ４’および／またはＲ５’が、それぞれ他と独立して、アルキレン、アルケニレン、アルキニレン、アリーレンまたはアルキルアリーレンである、項目１に記載の化合物。
（項目４）
式Ｙ−Ｊによってあらわされる基が、少なくとも１箇所の同位体が濃縮された部位を含み、式Ｉ＃
【化６７】
2010249838.tif 000008
によってあらわされる基が、少なくとも１箇所の同位体が濃縮された部位を含み、
式中、
Ｙが、置換されているか、または置換されていなくてもよく、場合により、支持体に開裂可能に結合していてもよい５、６または７員環へテロ環であり、ここで、ヘテロ環は、少なくとも１個の環窒素原子を含み、この環窒素原子が、共有結合を介してＪ基に結合しており；
Ｊが、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋが、式−（ＣＫ’２）ｎ−または−（（ＣＫ’２）ｍ−Ｘ２−（ＣＫ’２）ｍ）ｐ−であらわされる基であり、ｎは０であるか、または２から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整
数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１が、＝Ｏ、＝Ｓ、＝ＮＨまたは＝ＮＲ７であり；
各Ｘ２が、他と独立して、−Ｏ−または−Ｓ−であり；
Ｒ３、Ｒ４、Ｒ５、Ｒ６および／またはＲ７が、それぞれ他と独立して、アルキル、アルケニル、アルキニル、アリール、ヘテロアリールまたはアリールアルキルであり；
Ｒ３’、Ｒ４’および／またはＲ５’が、それぞれ他と独立して、アルキレン、アルケニレン、アルキニレン、アリーレンまたはアルキルアリーレンである、項目１に記載の化合物。
（項目５）
式ＩＩであらわされる項目１に記載の化合物およびその塩形態および／または水和物形態
【化６８】
2010249838.tif 000009
〔式中、
Ｗは、６員環ヘテロ環の少なくとも１つのＭ基を置換している原子または基であり、この６員環の窒素のオルト位、メタ位またはパラ位に位置しており、−Ｎ（Ｈ）−、−Ｎ（Ｒ”）−、−Ｎ（Ｒ”’）−、−Ｐ（Ｒ”）−、−Ｐ（Ｒ”’）−、−Ｏ−または−Ｓ−であり；
残りの基Ｍは、それぞれ他と独立して、−ＣＭ’２−であり、Ｍ’は、それぞれ他と独立して、水素、重水素、フッ素、塩素、臭素、ヨウ素、−Ｒ８、−ＯＲ８、−ＳＲ８、−Ｒ８’ＯＲ８または−Ｒ８’ＳＲ８であり；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または２から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
各Ｒ”は、他と独立して、アルキル、アルケニル、アルキニル、アリール、ヘテロアリールまたはアリールアルキルであり；
各Ｒ”’が、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
Ｚは、水素であるか、または共有結合した検体であり；
Ｒ３、Ｒ４、Ｒ５、Ｒ６、Ｒ７、Ｒ８および／またはＲ１０は、それぞれ他と独立して、アルキル、アルケニル、アルキニル、アリール、ヘテロアリールまたはアリールアルキルであり；
Ｒ３’、Ｒ４’、Ｒ５’、Ｒ６’、Ｒ８’および／またはＲ９’は、それぞれ他と独立して、アルキレン、アルケニレン、アルキニレン、アリーレンまたはアルキルアリーレンである。〕。
（項目６）
式ＩＩＩであらわされる項目５に記載の化合物およびその塩形態および／または水和物形態
【化６９】
2010249838.tif 000010
〔式中、
ｓは０から５までの整数であり；
Ｒ１は、水素、重水素またはＲ６であり；
Ｒ２は、水素、重水素またはＲ７であり；
Ｒ１１は、水素、重水素、メチル、−Ｃ（Ｈ）２Ｄ、−Ｃ（Ｈ）Ｄ２、−ＣＤ３、他のアルキルまたは−Ｒ”’であり；
Ｚは、水素であるか、または共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
Ｒ６、Ｒ７および／またはＲ１０は、それぞれ他と独立して、アルキル、アルケニル、アルキニル、アリール、ヘテロアリールまたはアリールアルキルであり；
各Ｒ９’は、他と独立して、アルキレン、アルケニレン、アルキニレン、アリーレンまたはアルキルアリーレンである。〕。
（項目７）
前記化合物が、式Ｖ、ＶＩ、ＶＩＩ、ＶＩＩＩ、ＩＸ、Ｘ、ＸＩまたはＸＩＩ
【化７０】
2010249838.tif 000011
【化７１】
2010249838.tif 000012
によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｒ１は、水素またはＲ６であり；
Ｒ２は、水素またはＲ７であり；
Ｚは、水素であるか、または共有結合した検体であり；
Ｒ６および／またはＲ７は、それぞれ他と独立して、アルキル、アルケニル、アルキニル、アリール、ヘテロアリールまたはアリールアルキルである、項目６に記載の化合物およびその塩形態および／または水和物形態。
（項目８）
前記化合物が、式ＸＸＶ、ＸＸＶＩ、ＸＸＶＩＩ、ＸＸＶＩＩＩ、ＸＸＩＸ、ＸＸＸ、ＸＸＸＩまたはＸＸＸＩＩ
【化７２】
2010249838.tif 000013
または
【化７３】
2010249838.tif 000014
によってあらわされ、
式中、
＊は、適切な場合、１２Ｃと置き換わった１３Ｃまたは１４Ｎと置き換わった１５Ｎを含む同位体が濃縮された部位を示し；
Ｒ１は、水素またはＲ６であり；
Ｒ２は、水素またはＲ７であり；
Ｚは、水素であるか、または共有結合した検体であり；
Ｒ６および／またはＲ７は、それぞれ他と独立して、アルキル、アルケニル、アル
キニル、アリール、ヘテロアリールまたはアリールアルキルである、項目６に記載の化合物およびその塩形態および／または水和物形態。
（項目９）
式ＩＶ
【化７４】
2010249838.tif 000015
〔式中、
Ｒ１１は、水素、重水素、メチル、−Ｃ（Ｈ）２Ｄ、−Ｃ（Ｈ）Ｄ２、−ＣＤ３または−Ｒ”’であり；
Ｚは、水素であるか、または共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである。〕
によってあらわされる、項目５に記載の化合物およびその塩形態および／または水和物形態。
（項目１０）
前記化合物が、式ＸＶ、ＸＶＩ、ＸＶＩＩ、ＸＶＩＩＩ、ＸＩＸ、ＸＸ、ＸＸＩ、ＸＸＩＩまたはＸＸＩＩＩ
【化７５】
2010249838.tif 000016
または
【化７６】
2010249838.tif 000017
によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚは、水素であるか、または共有結合した検体である、項目９に記載の化合物および
その塩形態および／または水和物形態。
（項目１１）
前記化合物が、式ＸＸＸＶ、ＸＸＸＶＩ、ＸＸＸＶＩＩ、ＸＸＸＶＩＩＩ、ＸＸＸＩＸ、ＸＸＸＸまたはＸＸＸＸＩ
【化７７】
2010249838.tif 000018
または
【化７８】
2010249838.tif 000019
によってあらわされ、
式中、
＊は、適切な場合、１２Ｃと置き換わった１３Ｃまたは１４Ｎと置き換わった１５Ｎを含む同位体が濃縮された部位を示し；
Ｚは、水素であるか、または共有結合した検体である、
項目９に記載の化合物およびその塩形態および／または水和物形態。
（項目１２）
式ＩＩＩ＊であらわされる項目５に記載の化合物およびその塩形態および／または水和物形態
【化７９】
2010249838.tif 000020
〔式中、
Ｒ１１は、水素、重水素、メチル、−Ｃ（Ｈ）２Ｄ、−Ｃ（Ｈ）Ｄ２、−ＣＤ３または−Ｒ”’であり；
Ｚは、水素であるか、または共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである。〕。
（項目１３）
前記化合物が、式Ｍ、ＭＩ、ＭＩＩ、ＭＩＩＩ、ＭＩＶまたはＭＶ
【化８０】
2010249838.tif 000021
【化８１】
2010249838.tif 000022
によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚは、水素であるか、または共有結合した検体である、項目１２に記載の化合物およびその塩形態および／または水和物形態。
（項目１４）
前記化合物が、式ＭＶＩ、ＭＶＩＩ、ＭＶＩＩＩ、ＭＩＸ、ＭＸ、ＭＸＩ、ＭＸＩＩまたはＭＸＩＩＩ
【化８２】
2010249838.tif 000023
【化８３】
2010249838.tif 000024
によってあらわされ、
式中、
＊は、適切な場合、１２Ｃと置き換わった１３Ｃまたは１４Ｎと置き換わった１５Ｎを含む同位体が濃縮された部位を示し；
Ｚは、水素であるか、または共有結合した検体である、項目１２に記載の化合物およびその塩形態および／または水和物形態。
（項目１５）
前記化合物が２箇所以上の同位体が濃縮された部位を含む、項目１から６、９または１２のいずれか１項に記載の化合物。
（項目１６）
Ｚが水素である、項目１から１５のいずれか１項に記載の化合物。
（項目１７）
Ｚがペプチドおよび／またはタンパク質である、項目１から１５のいずれか１項に記載の化合物。
（項目１８）
Ｚが、プロスタグランジン、脂肪酸、カルニチン、炭水化物、脂質、アミノ酸、ビタミンまたはステロイドである、項目１から１５のいずれか１項に記載の化合物。
（項目１９）
前記化合物が較正標準である、項目１から１５のいずれか１項に記載の化合物。
（項目２０）
（ａ）それぞれ１つ以上の反応性検体を含む２つ以上のサンプルと、標識試薬のセットを含む異なる標識試薬とを反応させ、それぞれ１つ以上の標識された検体を含む２つ以上の異なる状態に標識されたサンプルを形成させる工程と、
（ｂ）前記２つ以上の異なる状態に標識されたサンプルまたはその一部分と、場合により、１つ以上の較正標準とを混合し、サンプル混合物を作製する工程とを含む方法であって、
前記異なる標識試薬のセットが、式Ｉ’
【化８４】
2010249838.tif 000025
であらわされる化合物およびその塩形態および／または水和物形態であり、
式中、
Ｙは、置換されているか、または置換されていなくてもよく、場合により、支持体に開裂可能に結合していてもよい５、６または７員環へテロ環であり、ここで、ヘテロ環は、少なくとも１個の環窒素原子を含み、この環窒素原子が、共有結合を介してＪ基に結合しており；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または２から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整
数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
各標識試薬は、少なくとも１つの同位体が濃縮された部分を含み；
Ｒ３、Ｒ４、Ｒ５、Ｒ６および／またはＲ７は、それぞれ他と独立して、アルキル、アルケニル、アルキニル、アリール、ヘテロアリールまたはアリールアルキルであり；
Ｒ３’、Ｒ４’および／またはＲ５’は、それぞれ他と独立して、アルキレン、アルケニレン、アルキニレン、アリーレンまたはアルキルアリーレンである、方法。
（項目２１）
前記標識試薬のセットが、すべて同重体化合物であり、異なる標識試薬のセットはそれぞれ、同じ総質量を有するが、Ｙ−Ｊ基のＪ基と、前記標識試薬の残りの部分との結合が質量分析計中でフラグメント化する場合、固有の質量を有するレポーターイオンが生成されるように、それぞれの異なる標識試薬のレポーター部分を形成するＹ−Ｊ基は、１箇所以上の同位体が濃縮された部位で固有にコードされる、項目２０に記載の方法。
（項目２２）
前記標識試薬のセットが、すべて異なる質量を有する、項目２０に記載の方法。
（項目２３）
Ｙ−Ｊ基のＪ基と、前記標識試薬の残りの部分との結合が質量分析計中でフラグメント化する場合、固有の質量を有するレポーターイオンが生成されるように、前記異なる標識試薬のセットのＹ−Ｊ基が、１箇所以上の同位体が濃縮された部位で固有にコードされる、項目２２に記載の方法。
（項目２４）
（ｃ）サンプル混合物またはそのフラクションについて第１の質量分析を行う工程と、
（ｄ）第１の質量分析から得た所定の質量電荷比を有する標識された検体のイオンに解離エネルギーをかけ、所定のイオンの少なくともいくつかのレポーターイオンおよび娘フラグメントイオンを形成させる工程と、
（ｅ）前記所定のイオン、前記レポーターイオンおよび／または前記娘フラグメントイオンまたはこれらのフラクションの第２の質量分析を行う工程とをさらに含む、項目２１に記載の方法。
（項目２５）
（ｆ）前記第２の質量分析において、各レポーターイオンの総質量および相対量を決定し、前記娘フラグメントイオンのいくつかまたはすべての総質量および／または絶対質量を決定する工程をさらに含む、項目２４に記載の方法。
（項目２６）
（ｇ）前記娘フラグメントイオンを分析することによって、前記所定の質量電荷比と関連する標識された検体を決定する工程をさらに含む、項目２５に記載の方法。
（項目２７）
（ｈ）前記異なる状態に標識された検体の所定のイオンについて、異なる質量電荷比で、工程（ｄ）から工程（ｆ）まで、または工程（ｄ）から工程（ｇ）までを１回以上繰り返す工程をさらに含む、項目２６に記載の方法。
（項目２８）
（ｌ）工程（ｃ）から工程（ｆ）まで、工程（ｃ）から工程（ｇ）まで、または工程（ｃ）から工程（ｈ）までをそれぞれの回で、前記サンプル混合物の異なるフラクションを用いて１回以上繰り返す工程をさらに含む、項目２７に記載の方法。
（項目２９）
工程（ｃ）から（ｌ）までを１回以上繰り返す工程をさらに含む、項目２６から２８のいずれか１項に記載の方法。
（項目３０）
前記Ｙ基が、置換されている、または、置換されていない、モルホリン部分、ピペリジン部分またはピペラジン部分である、項目２０から２９のいずれか１項に記載の方法。
（項目３１）
前記固有の質量を有する各レポーターイオンが、サンプル由来の標識されたそれぞれの検体からサンプルを同定する、項目２１または２３のいずれか１項に記載の方法。
（項目３２）
それぞれの異なるサンプルが、異なる標識試薬のセットを有する支持体と反応するように、前記異なる標識試薬のセットが、支持体に結合し、開裂可能なリンカーを介して前記支持体に結合し、工程（ｂ）を行う前に、
（ｉ）場合により、前記支持体を洗浄し、前記標識試薬の反応基と反応しないサンプル成分を除去する工程と、
（ｉｉ）前記開裂可能なリンカーを開裂させ、２つ以上の異なる状態に標識したサンプルの集合を放出させ、各サンプルは、１つ以上の標識された検体を含み、特定のサンプルと関連する標識された検体が、これに結合した固有の質量を有するレポーター部分によって同定可能および／または定量可能である工程と、
（ｉｉｉ）場合により、混合する前に、標識された検体の各サンプルを集める工程とをさらに含む、項目２０から３１のいずれか１項に記載の方法。
（項目３３）
（ｃ）各サンプルを少なくとも１つの酵素で、サンプルまたはサンプル混合物の部分的または完全な分解成分に消化する工程をさらに含む、項目２０から３２のいずれか１項に記載の方法。
（項目３４）
（ｃ）前記サンプル混合物を分離する工程をさらに含む、項目２０から３３のいずれか１項に記載の方法。
（項目３５）
前記第２の質量分析における前記固有の質量を有する各レポーターイオンの相対量を、他のレポーターイオンに対して決定する、項目２５に記載の方法。
（項目３６）
前記同定された検体と関連する前記固有の質量を有する各レポーターイオンの相対量が、混合してサンプル混合物を形成する各異なる状態に標識されたサンプルの量と相関関係にあり、これにより、混合してサンプル混合物を形成する各２つ以上の異なる状態に標識されたサンプルにおける検体の相対量を決定する、項目３５に記載の方法。
（項目３７）
（ｉ）前記サンプル混合物が、決定される検体について既知の量の較正標準を含み、前記較正標準が、決定される検体について固有の質量を有するレポーター部分を含み、各固有のレポーター部分に対応する固有の質量を有する各レポーターイオンの絶対量が、前記較正標準と関連する固有のレポーターイオンの量を参照して決定され、
（ｉｉ）サンプル混合物のそれぞれの異なるサンプル中の前記決定される検体の絶対量が、固有の質量を有するそれぞれの異なるレポーターイオンの絶対量を参照して決定される、項目３５に記載の方法。
（項目３８）
（ｉ）各固有のレポーター部分に対応する固有の質量を有する各レポーターイオンの絶対量が、較正曲線を参照して決定され、
（ｉｉ）サンプル混合物のそれぞれの異なるサンプル中の前記決定される検体の絶対量が、固有の質量を有するそれぞれの異なるレポーターイオンの絶対量を参照して決定される、項目３５に記載の方法。
（項目３９）
少なくとも１つの標識試薬が式ＩＩＩ’
【化８５】
2010249838.tif 000026
およびその塩形態および／または水和物形態によってあらわされ、
式中、
ｓは０から５までの整数であり；
Ｒ１は、水素、重水素またはＲ６であり；
Ｒ２は、水素、重水素またはＲ７であり；
Ｒ１１は、水素、重水素、メチル、−Ｃ（Ｈ）２Ｄ、−Ｃ（Ｈ）Ｄ２、−ＣＤ３、他のアルキルまたは−Ｒ”’であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
Ｒ６、Ｒ７および／またはＲ１０は、それぞれ他と独立して、アルキル、アルケニル、アルキニル、アリール、ヘテロアリールまたはアリールアルキルであり；
各Ｒ９’は、他と独立して、アルキレン、アルケニレン、アルキニレン、アリーレンまたはアルキルアリーレンである、項目２１に記載の方法。
（項目４０）
少なくとも１つの標識試薬が、式Ｖ’、ＶＩ’、ＶＩＩ’、ＶＩＩＩ’、ＩＸ’、Ｘ’、ＸＩ’またはＸＩＩ’
【化８６】
2010249838.tif 000027
または
【化８７】
2010249838.tif 000028
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｒ１は、水素またはＲ６であり；
Ｒ２は、水素またはＲ７であり；
Ｒ６および／またはＲ７は、それぞれ他と独立して、アルキル、アルケニル、アルキニル、アリール、ヘテロアリールまたはアリールアルキルである、項目３９に記載の方法。
（項目４１）
少なくとも１つの標識試薬が、式ＩＶ’
【化８８】
2010249838.tif 000029
およびその塩形態および／または水和物形態によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、項目２１に記載の方法。
（項目４２）
少なくとも１つの標識試薬が、式ＸＶ’、ＸＶＩ’、ＸＶＩＩ’、ＸＶＩＩＩ’、ＸＩＸ’、ＸＸ’、ＸＸＩ’、ＸＸＩＩ’またはＸＸＩＩＩ’
【化８９】
2010249838.tif 000030
【化９０】
2010249838.tif 000031
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示す、項目４１に記載の方法。
（項目４３）
少なくとも１つの標識試薬が、式ＩＩＩ＊’
【化９１】
2010249838.tif 000032
によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、項目２１に記載の方法。
（項目４４）
少なくとも１つの標識試薬が、式Ｍ’、ＭＩ’、ＭＩＩ’、ＭＩＩＩ’、ＭＩＶ’またはＭＶ’
【化９２】
2010249838.tif 000033
【化９３】
2010249838.tif 000034
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示す、項目４３に記載の方法。
（項目４５）
（ｃ）サンプル混合物またはそのフラクションについて第１の質量分析を行う工程と、
（ｄ）標識された検体と関連する相対ピーク強度を決定する工程とをさらに含む、項目２２または２３のいずれか１項に記載の方法。
（項目４６）
（ｅ）前記標識された検体のイオンを解離エネルギーでフラグメント化し、娘イオンフラグメントを形成させる工程と、
（ｆ）前記娘イオンフラグメントから前記検体を同定する工程とをさらに含む、項目４５に記載の方法。
（項目４７）
前記少なくとも１つの標識試薬が、式ＸＸＶ’、ＸＸＶＩ’、ＸＸＶＩＩ’、ＸＸＶＩＩＩ’、ＸＸＩＸ’、ＸＸＸ’、ＸＸＸＩ’またはＸＸＸＩＩ’
【化９４】
2010249838.tif 000035
【化９５】
2010249838.tif 000036
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し；
Ｒ１は、水素またはＲ６であり；
Ｒ２は、水素またはＲ７であり；
Ｒ６および／またはＲ７は、それぞれ他と独立して、アルキル、アルケニル、アルキニル、アリール、ヘテロアリールまたはアリールアルキルである、項目４５または４６のいずれか１項に記載の方法。
（項目４８）
前記少なくとも１つの標識試薬が、式ＸＸＸＶ’、ＸＸＸＶＩ’、ＸＸＸＶＩＩ’、ＸＸＸＶＩＩＩ’、ＸＸＸＩＸ’、ＸＸＸＸ’またはＸＸＸＸＩ’
【化９６】
2010249838.tif 000037
およびその塩形態および／または水和物形態によってあらわされ、
＊は、適切な場合、１２Ｃと置き換わった１３Ｃまたは１４Ｎと置き換わった１５Ｎを含む同位体が濃縮された部位を示す、項目４５または４６のいずれか１項に記載の方法。
（項目４９）
前記少なくとも１つの標識試薬が、式ＭＶＩ’、ＭＶＩＩ’、ＭＶＩＩＩ’、ＭＩＸ’、ＭＸ’、ＭＸＩ’、ＭＸＩＩ’またはＭＸＩＩＩ’
【化９７】
2010249838.tif 000038
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示す、項目４５または４６のいずれか１項に記載の方法。
（項目５０）
少なくとも２つの標識された検体を含む混合物であって、この少なくとも２つの標識された検体が、異なるサンプル由来であり、この混合物の標識された検体は、それぞれ、式Ｉ”
【化９８】
2010249838.tif 000039
およびその塩形態および／または水和物形態によってあらわされ、
式中、Ｙは、置換されているか、または置換されていなくてもよい５、６または７員環へテロ環であり、ここで、ヘテロ環は、少なくとも１個の環窒素原子を含み、この環窒素原子が、共有結合を介してＪ基に結合しており；
Ｊは、式−ＣＪ’２−によってあらわされる基であり、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であり；
Ｋは、式−（ＣＫ’２）ｎ−または−（（ＣＫ’２）ｍ−Ｘ２−（ＣＫ’２）ｍ）ｐ−であらわされる基であり、ｎは０であるか、または１から１０までの整数であり、各ｍは、他と独立して、１から５までの整数であり、ｐは１から４までの整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４であり；
（１）Ｒ１が、水素、重水素またはＲ６であり、Ｒ２が、水素、重水素またはＲ７であるか；または
（２）Ｒ１とＲ２とが一緒になって、２個の窒素原子を架橋する環を形成する式−（ＣＲ’２）ｑ−または−（（ＣＲ’２）ｍ−Ｘ２−（ＣＲ’２）ｍ）ｐ−であらわされる基を構成し、ｑは１から１０までの整数であり、各ｍは、他と独立して、１から５までの整数であり、ｐは１から４までの整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５であり；
Ｘ１は、＝Ｏ、＝Ｓ、＝ＮＨまたは＝ＮＲ７であり；
各Ｘ２は、他と独立して、−Ｏ−または−Ｓ−であり；
Ｚ”は、共有結合した検体であり；
Ｒ３、Ｒ４、Ｒ５、Ｒ６および／またはＲ７は、それぞれ他と独立して、アルキル、アルケニル、アルキニル、アリール、ヘテロアリールまたはアリールアルキルであり；
Ｒ３’、Ｒ４’および／またはＲ５’は、それぞれ他と独立して、アルキレン、アルケニレン、アルキニレン、アリーレンまたはアルキルアリーレンであり；
ここで、式Ｉ＾によってあらわされる基
【化９９】
2010249838.tif 000040
は、特定のサンプルに関連するすべての標識された検体について同じであるが、式Ｉ＾の基は、少なくとも１箇所の同位体が濃縮された部位を含み、この部位は、混合して混合物を形成する異なるサンプル由来の任意の他の標識された検体の同位体が濃縮された部位とは異なっている、混合物。
（項目５１）
Ｙ−Ｊ基のＪ基と、前記標識された検体の残りの部分との結合が質量分析計中でフラグメント化する場合、混合して混合物を形成する異なるサンプル由来の任意の他の標識された検体と関連する任意のレポーターイオンとは異なる総質量を有するレポーターイオンが生成され、前記固有のレポーターイオンが、サンプル由来の標識された検体からサンプルを同定可能なように、レポーター部分を形成するＹ−Ｊ基が、１箇所以上の同位体が濃縮された部位で固有にコードされる、項目５０に記載の混合物。
（項目５２）
式Ｉ＾
【化１００】
2010249838.tif 000041
によってあらわされる基が、特定のサンプルに関連するすべての標識された検体について同じ総質量を有しているが、混合して混合物を形成する異なるサンプル由来の任意の他の標識された検体に関連する式Ｉ＾の基の総質量とは異なっており、式Ｉ＾の基の総質量は、サンプル由来の標識された検体からサンプルを同定可能である、項目５０に記載の混合物。
（項目５３）
１つ以上の標識された検体がペプチドおよび／またはタンパク質である、項目５０から５２のいずれか１項に記載の混合物。
（項目５４）
１つ以上の標識された検体が、プロスタグランジン、脂肪酸、カルニチン、炭水化物、脂質、アミノ酸、ビタミンおよび／またはステロイドである、項目５０から５２のいずれか１項に記載の混合物。
（項目５５）
少なくとも１つの標識された検体が、式ＩＩＩ”
【化１０１】
2010249838.tif 000042
およびその塩形態および／または水和物形態によってあらわされ、
式中、
ｓは０から５までの整数であり；
Ｒ１は、水素、重水素またはＲ６であり；
Ｒ２は、水素、重水素またはＲ７であり；
Ｒ１１は、水素、重水素、メチル、−Ｃ（Ｈ）２Ｄ、−Ｃ（Ｈ）Ｄ２、−ＣＤ３、他のアルキルまたは−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
Ｒ６、Ｒ７および／またはＲ１０は、それぞれ他と独立して、アルキル、アルケニル、アルキニル、アリール、ヘテロアリールまたはアリールアルキルであり；
各Ｒ９’は、他と独立して、アルキレン、アルケニレン、アルキニレン、アリーレンまたはアルキルアリーレンである、項目５０から５２のいずれか１項に記載の混合物。
（項目５６）
１つ以上の標識された検体が、式Ｖ”、ＶＩ”、ＶＩＩ”、ＶＩＩＩ”、ＩＸ”、Ｘ”、ＸＩ”またはＸＩＩ”
【化１０２】
2010249838.tif 000043
【化１０３】
2010249838.tif 000044
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｒ１は、水素またはＲ６であり；
Ｒ２は、水素またはＲ７であり；
Ｚ”は、共有結合した検体であり；
Ｒ６および／またはＲ７は、それぞれ他と独立して、アルキル、アルケニル、アル
キニル、アリール、ヘテロアリールまたはアリールアルキルである、項目５１に記載の混合物。
（項目５７）
少なくとも１つの標識された検体が、式ＸＸＶ”、ＸＸＶＩ”、ＸＸＶＩＩ”、ＸＸＶＩＩＩ”、ＸＸＩＸ”、ＸＸＸ”、ＸＸＸＩ”またはＸＸＸＩＩ”
【化１０４】
2010249838.tif 000045
または
【化１０５】
2010249838.tif 000046
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し、
Ｒ１は、水素またはＲ６であり；
Ｒ２は、水素またはＲ７であり；
Ｚ”は、共有結合した検体であり；
Ｒ６および／またはＲ７は、それぞれ他と独立して、アルキル、アルケニル、アルキニル、アリール、ヘテロアリールまたはアリールアルキルである、項目５２に記載の混合物。
（項目５８）
少なくとも１つの標識された検体が、式ＩＶ”
【化１０６】
2010249838.tif 000047
およびその塩形態および／または水和物形態によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、項目５０から５２のいずれか１項に記載の混合物。
（項目５９）
少なくとも１つの標識された検体が、式ＸＶ”、ＸＶＩ”、ＸＶＩＩ”、ＸＶＩＩＩ”、ＸＩＸ”、ＸＸ”、ＸＸＩ”、ＸＸＩＩ”またはＸＸＩＩＩ”
【化１０７】
2010249838.tif 000048
【化１０８】
2010249838.tif 000049
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚ”は、共有結合した検体である、項目５１に記載の混合物。
（項目６０）
少なくとも１つの標識された検体が、式ＸＸＸＶ”、ＸＸＸＶＩ”、ＸＸＸＶＩＩ”、ＸＸＸＶＩＩＩ”、ＸＸＸＩＸ”、ＸＸＸＸ”またはＸＸＸＸＩ”
【化１０９】
2010249838.tif 000050
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し；
Ｚ”は、共有結合した検体である、項目５２に記載の混合物。
（項目６１）
少なくとも１つの標識された検体が、式ＩＩＩ＊”
【化１１０】
2010249838.tif 000051
およびその塩形態および／または水和物形態によってあらわされ、
式中、
Ｒ１１は、水素、重水素、メチル、−Ｃ（Ｈ）２Ｄ、−Ｃ（Ｈ）Ｄ２、−ＣＤ３または−Ｒ”’であり；
Ｚ”は、共有結合した検体であり；
Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであり；
各Ｒ９’は、他と独立して、アルキレン、アルケニレン、アルキニレン、アリーレンまたはアルキルアリーレンであり；
各Ｒ１０は、他と独立して、アルキル、アルケニル、アルキニル、アリール、ヘテロアリールまたはアリールアルキルである、項目５０から５２のいずれか１項に記載の混合物。
（項目６２）
少なくとも１つの標識された検体が、式Ｍ”、ＭＩ”、ＭＩＩ”、ＭＩＩＩ”、ＭＩＶ”またはＭＶ”
【化１１１】
2010249838.tif 000052
【化１１２】
2010249838.tif 000053
およびその塩形態および／または水和物形態によってあらわされ、
式中、
＊は、適切な場合、１２Ｃと置き換わった１３Ｃ、１４Ｎと置き換わった１５Ｎまたは１６Ｏと置き換わった１８Ｏを含む同位体が濃縮された部位を示し；
Ｚ”は、共有結合した検体である、項目５１に記載の混合物。
（項目６３）
少なくとも１つの標識された検体が、式ＭＶＩ”、ＭＶＩＩ”、ＭＶＩＩＩ”、ＭＩＸ
”、ＭＸ”、ＭＸＩ”、ＭＸＩＩ”またはＭＸＩＩＩ”
【化１１３】
2010249838.tif 000054
【化１１４】
2010249838.tif 000055
およびその塩形態および／または水和物形態によってあらわされ、
式中、
＊は、適切な場合、１２Ｃと置き換わった１３Ｃまたは１４Ｎと置き換わった１５Ｎを含む同位体が濃縮された部位を示し；
Ｚ”は、共有結合した検体である、項目５２に記載の混合物。
（項目６４）
項目１から１９のいずれか１項に記載の少なくとも１つの化合物を含むキット。
（項目６５）
２つ以上の異なるサンプル中の１つ以上の検体を定量するアッセイを行うために選択さ
れた、少なくとも１つの追加試薬をさらに含む、項目６４に記載のキット。
（項目６６）
前記化合物が、固有の総質量を有するレポーター部分を含む標識された較正標準である、項目６４に記載のキット。
（項目６７）
前記化合物が、固有の総質量を有する標識部分を含む標識された較正標準である、項目６４に記載のキット。
（項目６８）
式Ａ
【化１１５】
2010249838.tif 000056
によってあらわされ、少なくとも１箇所の同位体が濃縮された部位を含む、化合物。
（項目６９）
式Ｂ
【化１１６】
2010249838.tif 000057
によってあらわされ、少なくとも１箇所の同位体が濃縮された部位を含む、化合物。
（項目７０）
式ＡＩ、ＡＩＩ、ＡＩＩＩおよびＡＩＶ
【化１１７】
2010249838.tif 000058
〔式中、＊は、適切な場合、１２Ｃと置き換わった１３Ｃ、１４Ｎと置き換わった１５Ｎまたは１６Ｏと置き換わった１８Ｏを含む同位体が濃縮された部位を示す〕
によってあらわされる化合物を含む、同重体化合物のセット。
（項目７１）
式ＢＩ、ＢＩＩ、ＢＩＩＩおよびＢＩＶ
【化１１８】
2010249838.tif 000059
〔式中、＊は、適切な場合、１２Ｃと置き換わった１３Ｃ、１４Ｎと置き換わった１５Ｎまたは１６Ｏと置き換わった１８Ｏを含む同位体が濃縮された部位を示す〕
によってあらわされる化合物を含む、同重体化合物のセット。
（項目７２）
式ＡＩおよびＡＶ
【化１１９】
2010249838.tif 000060
および
【化１２０】
2010249838.tif 000061
〔式中、＊は、適切な場合、１２Ｃと置き換わった１３Ｃまたは置き換わった１５Ｎを含む同位体が濃縮された部位を示す〕
によってあらわされる化合物を含む、異なる総質量を有する構造的に類似した化合物のセット。
（項目７３）
式ＢＩおよびＢＶ
【化１２１】
2010249838.tif 000062
〔式中、＊は、適切な場合、１２Ｃと置き換わった１３Ｃまたは置き換わった１５Ｎを含む同位体が濃縮された部位を示す〕
によってあらわされる化合物を含む、異なる総質量を有する構造的に類似した化合物のセット。
以下に記載される図面は、説明するためだけのものであることを当業者は理解する。図面は、本発明の教示範囲をいかなる様式にも限定することを意図するものではない。
【図面の簡単な説明】
【００２０】
【図１】図１ａは、標識試薬または標識された検体の要素およびいくつかのフラグメンテーション特性を示す。図１ｂは、例示的なＮ−メチルピペラジン系標識試薬または標識検体の一般的な要素およびいくつかのフラグメンテーション特性を示す。図１ｃは、同定された一般式を有する標識された検体の一般的な要素およびいくつかのフラグメンテーション特性を示す。
【図２】図２は、２個の異なる標識試薬（すなわち、構造ＡおよびＢ）の一般構造を示す。
【図３】図３は、構造ＡおよびＢの標識試薬で標識された検体（標識された検体Ａ”およびＢ”とあらわす）の可能なフラグメンテーション特性を示し、これらから生成する可能なフラグメントの集団を示す。
【図４ａ】図４ａは、それぞれ同じレポーターイオンセットを生成する、同重体標識試薬の２種類の可能なセットを示す（それぞれ構造ＡおよびＢに基づく）。
【図４ｂ】図４ｂは、図４ａに示したレポーターイオン１１４〜１１７の可能な構造を示し、コードされていない（すなわち、「コールド状態」）レポーターイオン１１３の可能な構造も示す。
【図５】図５ａおよび図５ｂは、質量が異なる標識試薬の可能な２つのセットを示す（構造ＡおよびＢにそれぞれ基づく）。
【図６】図６ａおよび図６ｂは、構造ＡおよびＢをそれぞれ有する例示的な化合物で検体を標識するプロセスを示す。
【発明を実施するための形態】
【００２１】
本明細書に引用されるあらゆる文献および類似資料（限定されないが、特許、特許出願、文献、書籍、論文およびインターネットウェブページを含む）は、その文献および類似資料のフォーマットにかかわらず、任意の目的およびあらゆる目的のために、本明細書に内容全体が参考として明らかに組み込まれる。
【００２２】
（定義）
本明細書を解釈するために、以下の定義を適用し、適切な場合にはいつでも、単数形で使用されている用語は複数形の意味も含み、複数形で使用されている用語は単数の意味も含む。以下に記載される任意の定義が、任意の他の文献中の用語の用法と矛盾する場合には、明らかに反対の意味を意図している場合（例えば、その用語が元々使われている文献を解釈する場合）を除き、本明細書および関連する特許請求の範囲を解釈するために、以下に記載する定義が常に優先する。本明細書で「または」の使用は、他に言及されているか、または「および／または」の使用が明らかに不適切である場合を除き、「および／または」を意味する。本明細書で「１つの（ａ）」は、他に言及されているか、または「１つ以上」の使用が明らかに不適切である場合を除き、「１つ以上」を意味する。「含む（ｃｏｍｐｒｉｓｅ）、「含む（ｃｏｍｐｒｉｓｅｓ）」、「含む（ｃｏｍｐｒｉｓｉｎｇ）」、「含む（ｉｎｃｌｕｄｅ）」、「含む（ｉｎｃｌｕｄｅｓ）」および「含む（ｉｎｃｌｕｄｉｎｇ）」は、互換可能であり、限定することを意図したものではない。さらに、１つ以上の実施形態の記載が、用語「含む（ｃｏｍｐｒｉｓｉｎｇ）」を使用している場合、いくつかの特定の場合に、実施形態または複数の実施形態は、用語「〜から本質的になる（ｃｏｎｓｉｓｔｉｎｇ  ｅｓｓｅｎｔｉａｌｌｙ  ｏｆ）」および／または「〜からなる（ｃｏｎｓｉｓｔｉｎｇ  ｏｆ）」を使用して代わりに記載され得ることを当業者は理解する。本教示内容が操作可能なままである限り、いくつかの実施形態では、工程の順序または特定の作業を行う順序は重要ではないことも理解すべきである。さらに、いくつかの実施形態では、２つ以上の工程または作業を同時に行うことができる。
【００２３】
（ａ）本明細書で使用される場合、「検体」は、決定され得る目的の分子を指す。検体の非限定例としては、限定されないが、タンパク質、ペプチド（ＤＮＡまたはＲＮＡのいずれか）、炭水化物、脂質、アミノ酸、ステロイド、ビタミン、プロスタグランジン、脂肪酸、カルニチン、および１５００ダルトン（Ｄａ）未満の分子量を有する他の低分子が挙げられる。検体の供給源または検体を含むサンプルは、任意の供給源から得ることが可能であれば、限定されない。１つ以上の検体は、天然または合成のものであってよい。検体の供給源または検体を含むサンプルの非限定例としては、細胞または組織、またはこれらの培養物（または二次培養物）が挙げられる。検体の供給源の非限定例としては、限定されないが、クルードまたは加工した（ｐｒｏｃｅｓｓｅｄ）細胞溶解物、体液、組織抽出物、細胞抽出物、またはクロマトグラフィー分離、１Ｄ電気泳動による分離、２Ｄ電気泳動による分離またはキャピラリー電気泳動分離のような分離プロセスから得たフラクション（または一部分）が挙げられる。体液としては、限定されないが、血液、尿、糞便、髄液、脳脊髄液、羊水、リンパ液または腺分泌物が挙げられる。加工した細胞溶解物とは、細胞を溶解するのに必要な処理に加えて、細胞溶解物を処理することによって、集められた物質のさらなる加工を実行するものを意味する。例えば、サンプルは、１つ以上のタンパク質分解酵素で細胞溶解物を処理し、前駆体ペプチドおよび／またはタンパク質を消化することによって得られるペプチドである１つ以上の検体を含む細胞溶解物であってもよい。
【００２４】
（ｂ）使用されている内容に基づいて明らかに意図していない場合（例えば、他に示す特定の構造を参照している場合）を除き、「エステル」は、エステルおよび／またはチオエステルの両方を指す。
【００２５】
（ｃ）本明細書で使用される場合、「フラグメンテーション（フラグメント化）」は、共有結合の開裂を指す。
【００２６】
（ｄ）本明細書で使用される場合、「フラグメント」は、フラグメンテーション生成物（名詞）またはフラグメンテーションを起こす操作（動詞）を指す。
【００２７】
（ｅ）本明細書で使用される場合、「水和物形態」は、化合物または混合物の任意の水和状態または化合物の１つより多くの水和状態を指す。例えば、本明細書に記載の標識試薬は、ヘミ水和物、一水和物、二水和物などであってもよい。さらに、本明細書に記載の標的試薬のサンプルは、一水和物、二水和物およびヘミ水和物の形態を含んでもよい。
【００２８】
（ｆ）本明細書で使用される場合、ハロゲン基は、−Ｆ、−Ｃｌ、−Ｂｒまたは−Ｉを指す。
【００２９】
（ｇ）ある化合物を参照して本明細書で使用される場合、「同位体が濃縮された」は、１つ以上の重原子同位体（例えば、重水素（「Ｄ」）、１３Ｃ、１５Ｎ、１８Ｏ、３７Ｃｌまたは８１Ｂｒのような安定な同位体）を豊富に含む化合物（例えば標識試薬）を指す。いくつかの実施形態では、不安定な同位体を使用してもよい（例えば、１４Ｃまたは３Ｈ）。「濃縮された」とは、重原子同位体の量が、その元素の天然の同位体存在量を超えていることを意味する。種々の実施形態では、同位体が濃縮された化合物は、１箇所、２箇所、３箇所、４箇所、５箇所、６箇所、７箇所、８箇所、９箇所、１０箇所、１１箇所、１２箇所、１３箇所、１４箇所、１５箇所、１６箇所、１７箇所、１８箇所、１９箇所、２０箇所、２１箇所、２２箇所、２３箇所、２４箇所、２５箇所、２６箇所、２７箇所、２８箇所、２９箇所、３０箇所またはそれ以上の同位体が濃縮された部位を含んでいてもよい。
【００３０】
同位体の濃縮は１００％有効ではないので、濃縮状態のより低い化合物サンプル中に、不純物が存在することがあり、そしてより低い質量を有する。同様に、過剰な濃縮（例えば、望ましくない濃縮）および天然にも同位体が存在するため、より高い質量である化合物サンプル中に、不純物が存在することがある。いくつかの実施形態では、それぞれの組み込まれた重原子同位体は、同位体純度が少なくとも８０％で、同位体が濃縮された部位に存在してもよい。いくつかの実施形態では、それぞれの組み込まれた重原子同位体は、同位体純度が少なくとも９３％で、同位体が濃縮された部位に存在してもよい。いくつかの実施形態では、それぞれの組み込まれた重原子同位体は、同位体純度が少なくとも９６％で、同位体が濃縮された部位に存在してもよい。いくつかの実施形態では、それぞれの組み込まれた重原子同位体は、同位体純度が少なくとも９８％で、同位体が濃縮された部位に存在してもよい。
【００３１】
（ｈ）本明細書で使用される場合、「同位体が濃縮された部位」は、重原子同位体が、その原子の軽いものと置き換わっている（例えば、１２Ｃが１３Ｃに、１６Ｏが１８Ｏに、１４Ｎが１５Ｎに、または水素が重水素に置き換わっている）化合物の位置を指す。
【００３２】
（ｉ）ある化合物を参照して本明細書で使用される場合、「軽い」は、重原子同位体で濃縮されていない化合物を指す。ある原子を参照して本明細書で使用される場合、「軽い」は、原子の同位体のうち、最も質量の小さい同位体を指す。ある化合物を参照して本明細書で使用される場合、「重い」は、少なくとも１個の重原子同位体が濃縮された化合物を指す。ある原子を参照して本明細書で使用される場合、「重い」は、原子の重原子同位体を指す。
【００３３】
（ｊ）本明細書で使用される場合、「標識試薬」は、決定のために検体にマーキングするのに適切な部分を指す。標識という用語は、タグ、マークといった用語および他の等価な用語および句と同義である。例えば、標識された検体は、タグ化された検体またはマーキングされた検体とも称される。したがって、用語「標識」、「タグ」、「質量タグ」、「マーク」およびこれらの用語から誘導される用語は、同義語であり、互換可能であり、決定のために検体をマーキングするのに適している部分、またはすでにマーキングした部分を指す。標的試薬は、タグ化試薬、質量タグ化試薬、または単純に質量タグ（例えば質量が異なるタグ）と呼ばれることもある。
【００３４】
（ｋ）本明細書で使用される場合、「天然の同位体存在量」は、１つ以上の同位体の天然での推定存在量に基づく、化合物中に見い出される１つ以上の重い同位体の濃度（または分布）を指す。例えば、生きている植物原料から得た天然化合物は、典型的には、１２Ｃに対して約１．０８％の１３Ｃを含み得る。
【００３５】
（ｌ）本明細書で使用される場合、同重体化合物は、見かけの総重量が同じ、（重原子同位体の同位体含有量および／または分布を除いて）構造的および化学的に区別できない化合物である。「化学的に区別できない」とは、同重体化合物が、同じ一般的な化学構造を含み（しかし、重原子同位体の分布は異なる）、実質的に同じ化学反応性および分離性能を有することを意味する。
【００３６】
（ｍ）本明細書で使用される場合、「支持体」、「固体支持体」、「固体担体」または「樹脂」は、任意の固体相材料を意味する。固体支持体は、「支持体」、「合成支持体」、「固体相」、「面」、「膜」および／または「支持体」のような用語を包含する。固体支持体は、ポリスチレン、ポリエチレン、ポリプロピレン、ポリフルオロエチレン、ポリエチレンオキシおよびポリアクリルアミドのような有機ポリマーならびにこれらのコポリマーおよびグラフトポリマーから構成されてもよい。固体支持体は、ガラス、シリカ、孔径制御されたガラス（ＣＰＧ）または逆相シリカのような無機物であってもよい。固体支持体の形状は、ビーズ、球体、粒子、顆粒、ゲル、膜または面の形態であってもよい。面は、平面、実質的に平面または非平面であってもよい。固体支持体は、多孔性または非多孔性であってもよく、膨潤特性または非膨潤特性を有してもよい。固体支持体は、ウェル、凹部または他の容器、管状のもの、ある特徴または配置を有する形態で構成されていてもよい。複数の固体支持体を、試薬を機械によって移動させるためにアドレス可能な種々の位置に、または検出方法および／または検出装置によって、整列させることができる。
【００３７】
（ｎ）本明細書で使用される場合、「サンプルまたはそのフラクション」または「サンプルフラクション」は、サンプルのフラクションを指すために使用することができる。サンプルのフラクションは、サンプルのフラクションを単純に抜き取ることによって作製するか、またはサンプルを２つ以上のサンプルにフラクション化する分離プロセスを行うことによって作製することができる。記載内容が他の内容を示していない限り、これらの句は、同義であり、互換可能であり、サンプルの任意の種類のフラクション（または一部分）の作製を指す。
【００３８】
（ｏ）本明細書で使用される場合、「シグニチャイオン」および「レポーターイオン」は、互換可能であり、両者とも、標識試薬または標識された検体をフラグメント化することにより、レポーター部分から生成した固有の質量を有するレポーターイオンを指す。検体を標識するのに使用する固有の標識試薬を同定するためにシグニチャイオンまたはレポーターイオンを使用することができ、ＭＳ／ＭＳ分析（またはＭＳｎ分析）によるピーク強度と、分析されるサンプル中に存在する標識された検体の量との相関関係を調べることができる。本明細書で使用される場合、シグニチャイオンまたはレポーターイオンは、単にレポーターと呼ばれることもある。本明細書で使用される場合、レポーター部分はまた、単にレポーターと呼ばれることもある。レポーター部分が、標識試薬、標識された検体またはこれらのフラグメントに結合する基を指し、レポーターイオンは、標識試薬、標識された検体またはこれらのフラグメントとレポーター部分との結合をフラグメント化した際に生成するフラグメントイオンを指すことが理解されるべきである。したがって、用語「レポーター」が使用される文章は、その目的とする意味を示していることがある。句「固有のレポーター部分」は、「固有の質量を有するレポーター部分」と同義であり、互換可能であり、「固有のレポーターイオン」は、「固有の質量を有するレポーターイオン」と同義であり、互換可能であることも理解されるべきである。
【００３９】
（ｐ）本明細書で使用される場合、用語「塩形態」は、ある化合物の塩、またはある化合物の塩の混合物を含む。それに加え、ある化合物の双性イオン形態も、用語「塩形態」に含まれる。アミンまたは他の塩基性基を有する化合物の塩は、例えば、適切な有機酸または無機酸（例えば、塩酸、臭化水素酸、酢酸、過塩素酸など）との反応によって得ることができる。四級アンモニウム基を有する化合物は、塩化物イオン、臭化物イオン、ヨウ化物イオン、酢酸イオン、過塩素酸イオンなどの対イオンを含有してもよい。カルボン酸または他の酸性官能基を有する化合物の塩は、その化合物と適切な塩基（例えば、水酸化物塩基）とを反応させることによって調製することができる。したがって、酸性官能基を有する塩は、対カチオン、例えば、ナトリウム、カリウム、マグネシウム、カルシウムなどを含有してもよい。
【００４０】
（ｑ）本明細書で使用される場合、「合成化合物」は、天然に存在する経路の操作を含むプロセスの操作によって作製される化合物を指す。したがって、合成化合物は、合成化学技術を用いて製造することができる。しかし、本明細書で使用される場合、「合成化合物」は、例えば、酵素法（例えば、同位体が濃縮された化合物を細菌または酵母のような微生物に供給し、改変して本明細書に記載される同位体が濃縮された標識試薬または標識試薬の中間体を製造する方法）によって製造される化合物をも含むことを意図している。
【００４１】
（ｒ）本明細書で使用される場合、「合成的に濃縮された（ｓｙｎｔｈｅｔｉｃａｌｌｙ  ｅｎｒｉｃｈｅｄ）」または「合成的に濃縮された（ｅｎｒｉｃｈｅｄ  ｓｙｎｔｈｅｔｉｃａｌｌｙ）」は、合成プロセスまたは天然プロセスの操作によって、本明細書に記載される同位体が濃縮された標識試薬または標識試薬の中間体のような合成化合物を製造することを指す。
【００４２】
（ｓ）ある原子または分子の質量が、原子質量単位の最近の整数に、または、原子質量単位の最近の小数点第１位もしくは少数点第２位に概算できることは、十分に許容される。本明細書で使用される場合、「総質量」は、絶対質量を指し、さらに、使用した異なる種類の同位体の非常にわずかな質量差が検出可能であるか否かにかかわらず、レポーター部分および／またはリンカー部分の質量のバランスをとるために等価な機能を有する質量の近い異なる種類の原子の同位体を使用する（その結果、レポーター／リンカーの組み合わせの総質量が、異性体標識試薬および／または同重体化合物の標識試薬のセットまたはキット内で同じになる）場合、ある範囲内でおおよその質量を指す。
【００４３】
例えば、酸素の一般的な同位体は、総質量が１６．０（実際の質量１５．９９４９）および１８．０（実際の質量１７．９９９２）であり、炭素の一般的な同位体は、総質量が１２．０（実際の質量１２．０００００）および１３．０（実際の質量１３．００３３６）であり、窒素の一般的な同位体は、総質量が１４．０（実際の質量１４．００３１）および１５．０（実際の質量１５．０００１）である。これらの値は概算値であるが、あるセットの１つの標識内の同位体が濃縮された部位で１８Ｏ同位体を使用する場合、例えば、そのセットの１６Ｏを含む異なる標識は、その標識のほかの場所で、２個の１２Ｃ炭素原子の代わりに２個の１３Ｃ炭素原子を、２個の１４Ｎ原子の代わりに２個の１５Ｎ原子を、または１個の１２Ｃ原子および１４Ｎ原子の代わりに１個の１３Ｃ原子および１５Ｎ原子を組み込むことによって、１８Ｏの分を補うために、さらに２質量単位（総質量が１６．０の酸素同位体と比べて）を補うことができることが、当業者に理解される。この様式で、２個の１３Ｃ原子（２個の１２Ｃの代わり）、２個の１５Ｎ原子（２個の１４Ｎ原子の代わり）、１個の１３Ｃ原子および１個の１５Ｎ原子（１２Ｃおよび１４Ｎの代わり）または１個の１８Ｏ原子（１個の１６Ｏ原子の代わり）を使用する場合の実際の質量差は非常に小さいため、同重体化合物のセットの２個の異なる標識を同じ総質量にすることができ、セットまたはキットのすべての標識の質量を２ダルトン増加させることができ、このことは、分析の性質を妨害しない。
【００４４】
同重体化合物の標識試薬および／または質量が異なる標識試薬のセットを作るために、ある構造内に同じ重原子同位体を分布させることのみが考慮されるわけではないのは、明らかである。重い原子を何種類か混合し、同重体化合物または所望の総質量を有する質量が異なる標識を得ることが可能である。この様式で、本発明の実施形態で有用な同重体化合物の標識試薬および／または質量が異なる標識試薬の製造において、重原子同位体およびその分布を選択する（組み合わせる）ことの両方が考慮され得る。
【００４５】
（ｔ）本明細書で使用される場合、用語「アルキル」は、完全に飽和であり得る直鎖または分枝鎖のＣ２〜Ｃ８炭化水素または環状Ｃ３〜Ｃ８炭化水素（すなわち、シクロプロピル基、シクロブチル基、シクロペンチル基、シクロヘキシル基またはシクロヘキシルメチレン基のようなシクロアルキル基）を指す。本明細書で使用する場合、用語「アルキル」は、置換されていても置換されていなくてもよい基を指す。いくつかの実施形態では、用語「アルキル」は、アルキル鎖の１個以上のメチレン基が、−Ｏ−、−Ｓｉ−または−Ｓ−のようなヘテロ原子と交換され得る化合物を指すことも意図されている。いくつかの実施形態では、アルキル基は、完全に飽和であり得る直鎖または分枝鎖のＣ２〜Ｃ６炭化水素または環状Ｃ３〜Ｃ６炭化水素であってもよい。
【００４６】
（ｕ）本明細書で使用される場合、用語「アルキレン」は、少なくとも２個の部分（例えば、−｛ＣＨ２｝−（メチレン）、−｛ＣＨ２ＣＨ２｝−、（エチレン）
【００４７】
【化４】
2010249838.tif 000063
など）に対する少なくとも２箇所の結合点を含む、直鎖または分枝鎖のアルキル鎖または環状のアルキル基を指し、角括弧は結合点を示す。本明細書で使用される場合、用語「アルキレン」は、置換されていても置換されていなくてもよい基を指す。いくつかの実施形態では、用語「アルキレン」は、アルキレン基のアルキル鎖中で、１個以上のメチレン基（存在する場合）が、−Ｏ−、−Ｓｉ−または−Ｓ−のようなヘテロ原子と交換され得る化合物を指すことも意図されている。いくつかの実施形態では、アルキレン基は、Ｃ１〜Ｃ１０炭化水素であってもよい。いくつかの実施形態では、アルキレン基は、Ｃ２〜Ｃ６炭化水素であってもよい。
【００４８】
（ｖ）本明細書で使用される場合、用語「アルケニル」は、１個以上の二重結合を含む、直鎖または分枝鎖のＣ２〜Ｃ８炭化水素または環状Ｃ３〜Ｃ８炭化水素を指す。本明細書で使用される場合、用語「アルケニル」は、置換されていても置換されていなくてもよい基を指す。いくつかの実施形態では、用語「アルケニル」は、アルケニル基のアルキル鎖中で、１個以上のメチレン基（存在する場合）が、−Ｏ−、−Ｓｉ−または−Ｓ−のようなヘテロ原子と交換され得る化合物を指すことも意図されている。いくつかの実施形態では、アルケニル基は、１個以上の二重結合を含む、直鎖または分枝鎖のＣ２〜Ｃ６炭化水素または環状Ｃ３〜Ｃ６炭化水素であってもよい。
【００４９】
（ｗ）本明細書で使用される場合、用語「アルケニレン」は、少なくとも２個の部分に対する２箇所の結合点を含むアルケニル基を指す。本明細書で使用される場合、用語「アルケニレン」は、置換されていても置換されていなくてもよい基を指す。いくつかの実施形態では、用語「アルケニレン」は、アルケニレン基のアルキル鎖中で、１個以上のメチレン基（存在する場合）が、−Ｏ−、−Ｓｉ−または−Ｓ−のようなヘテロ原子と交換され得る化合物を指すことも意図されている。
【００５０】
（ｘ）本明細書で使用される場合、用語「アルキニル」は、１個以上の三重結合を含む、直鎖または分枝鎖のＣ２〜Ｃ８炭化水素または環状Ｃ３〜Ｃ８炭化水素を指す。本明細書で使用される場合、用語「アルキニル」は、置換されていても置換されていなくてもよい基を指す。いくつかの実施形態では、用語「アルキニル」は、アルキニル基のアルキル鎖中で、１個以上のメチレン基（存在する場合）が、−Ｏ−、−Ｓｉ−または−Ｓ−のようなヘテロ原子と交換され得る化合物を指すことも意図されている。いくつかの実施形態では、アルキニル基は、１個以上の三重結合を含む、直鎖または分枝鎖のＣ２〜Ｃ６炭化水素または環状Ｃ３〜Ｃ６炭化水素であってもよい。
【００５１】
（ｙ）本明細書で使用される場合、用語「アルキニレン」は、少なくとも２個の部分に対する２箇所の結合点を含むアルキニル基を指す。本明細書で使用される場合、用語「アルキニレン」は、置換されていても置換されていなくてもよい基を指す。いくつかの実施形態では、用語「アルキニレン」は、アルキニレン基のアルキル鎖中で、１個以上のメチレン基（存在する場合）が、−Ｏ−、−Ｓｉ−または−Ｓ−のようなヘテロ原子と交換され得る化合物を指すことも意図されている。
【００５２】
（ｚ）本明細書で使用される場合、用語「脂肪族」は、上に定義されるような、直鎖、分枝鎖または環状のアルキル部分、アルケニル部分およびアルキニル部分を指す。本明細書で使用する場合、用語「脂肪族」は、置換されていても置換されていなくてもよい基を指す。
【００５３】
（ａａ）本明細書で使用される場合、用語「アリール」は、単独または別の部分の一部分として（例えば、アリールアルキルなど）のいずれかで用いられ、フェニルのような芳香族炭素環基を指す。アリール基は、芳香族炭素環が、別の芳香族炭素環と縮合した縮合多環芳香族環系（例えば、１−ナフチル、２−ナフチル、１−アントラシル、２−アントラシルなど）、または芳香族炭素環が、１つ以上の非芳香族炭素環と縮合した縮合多環芳香族環系（例えば、テトラヒドロナフチレン、インダンなど）を含む。本明細書で使用される場合、用語「アリール」は、置換されていても置換されていなくてもよい基を指す。
【００５４】
（ａｂ）本明細書で使用される場合、用語「ヘテロアリール」は、窒素、硫黄および酸素から他と独立して選択される１個、２個、３個または４個のヘテロ原子を含む芳香族ヘテロ環を指す。本明細書で使用される場合、用語「ヘテロアリール」は、置換されていても置換されていなくてもよい基を指す。ヘテロアリールは、１つ、または、２つの環（例えば、シクロアルキル環、アリール環またはヘテロアリール環）と縮合していてもよい。分子に対するヘテロアリールの結合点は、ヘテロアリール環上、シクロアルキル環上、ヘテロシクロアルキル環上またはアリール環上にあってもよく、ヘテロアリール基は、炭素原子またはヘテロ原子を介して結合していてもよい。ヘテロアリール基の例としては、イミダゾリル、ピロリル、ピリジニル、ピリミジル、ピラジニル、ピリダジニル、キノリル、イソキノリニル、インダゾリル、インドリジニル、イミダゾピリジニル、ピラゾリル、トリアゾリル、テトラゾリル、インドリル、テトラヒドロインドリル、アザインドリル、イミダゾピリジル、キナゾリニル、プリニル、ピロロ［２，３］ピリミジルまたはピラゾロ［３，４］ピリミジルが挙げられ、これらは各々、場合により置換されていてもよい。
【００５５】
（ａｃ）本明細書で使用される場合、用語「アリーレン」は、少なくとも２個の部分に対する２箇所の結合点を含むアリール基またはヘテロアリール基を指す（例えば、フェニレンなど）。非芳香族炭素環に縮合したアリーレンの結合点は、芳香族環上、非芳香族環上のいずれにあってもよい。本明細書で使用される場合、用語「アリーレン」は、置換されていても置換されていなくてもよい基を指す。
【００５６】
（ａｄ）本明細書で使用される場合、用語「アリールアルキル」は、アルキレンリンカーを介して別の部分に結合したアリール基またはヘテロアリール基を指す。本明細書で使用される場合、用語「アリールアルキル」は、置換されていても置換されていなくてもよい基を指す。いくつかの実施形態では、用語「アリールアルキル」は、アリールアルキル基のアルキル鎖中で、１個以上のメチレン基（存在する場合）が、−Ｏ−、−Ｓｉ−または−Ｓ−のようなヘテロ原子と交換され得る化合物を指すことも意図されている。
【００５７】
（ａｅ）本明細書で使用される場合、用語「アリールアルキレン」は、少なくとも２個の部分に対する少なくとも２箇所の結合点を含むアリールアルキル基を指す。第２の結合点は、芳香族環上またはアルキレン基上のいずれにあってもよい。本明細書で使用される場合、用語「アリールアルキレン」は、置換されていても置換されていなくてもよい基を指す。いくつかの実施形態では、用語「アリールアルキレン」は、アリールアルキレン基のアルキル鎖中で、１個以上のメチレン基（存在する場合）が、−Ｏ−、−Ｓｉ−または−Ｓ−のようなヘテロ原子と交換され得る化合物を指すことも意図されている。アリールアルキレンが置換されている場合、置換基は、アリールアルキレンの芳香族環またはアルキレン部分のいずれかまたは両方にあってもよい。
【００５８】
（ａｆ）本明細書で使用される場合、用語「場合により置換された」および「置換されているかまたは置換されていない」は、同義であり、互換可能である。任意のアルキル基、アルキレン基、アルケニル基、アルケニレン基、アルキニル基、アルキニレン基、アリール基、アリールアルキル基、アリーレン基、ヘテロアリール基またはアリールアルキレン基の適切な置換基としては、本発明の実施形態で使用される反応条件下で安定な任意の置換基が挙げられる。適切な置換基の非限定例としては、アルキル（例えば、メチル、エチル、ｎ−プロピル、イソプロピル、ｎ−ブチル、イソブチル、ｓｅｃブチル、ｔ−ブチル、シクロヘキシルなど）基、ハロアルキル（例えば、トリフルオロメチル、２，２，２−トリフルオロエチル−など）基、アルコキシ（例えば、メトキシ、エトキシなど）基、アリール（例えば、フェニル）基、アリールアルキル（例えば、ベンジル）基、ニトロ基、シアノ基、四級化された窒素原子またはハロゲン（例えば、フッ素、塩素、臭素および／またはヨウ素）基が挙げられ得る。
【００５９】
それに加え、アルキル基、アルキレン基、アルケニル基、アルケニレン基、アルキニル基、アルキニレン基、アリール基、アリールアルキル基、アリーレン基、ヘテロアリール基またはアリールアルキレン基の任意の一部分は、＝Ｏまたは＝Ｓで置換されていてもよい。
【００６０】
（ａｇ）本明細書で使用される場合、用語「活性エステル」は、塩基性条件下で、アミン、アルコールおよび特定のチオールと容易に反応し、それぞれアミド、エステルおよびチオエステルを生成し得る化合物を指す。さらなる参考文献を以下に挙げる。「活性エステル」が、有機化学分野で十分に確立された用語である証拠として、Ｌｅｏ  Ａ  Ｐａｑｕｅｔｔｅ、Ｅｎｃｙｃｌｏｐｅｄｉａ  ｏｆ  Ｒｅａｇｅｎｔｓ  ｆｏｒ  Ｏｒｇａｎｉｃ  Ｓｙｎｔｈｅｓｉｓ、第２巻、Ｊｏｈｎ  Ｗｉｌｅｙ  ａｎｄ  Ｓｏｎｓ、Ｎｅｗ  Ｙｏｒｋ、１９９５。
【００６１】
（ａｈ）本明細書で使用される場合、用語「ヘテロ環」は、１つ以上の環に少なくとも２個の異なる元素の原子を含む任意の環状分子構造を指す。さらなる参考文献を以下に挙げる。「ヘテロ環」が、有機化学分野で十分に確立された用語である証拠として、Ｏｘｆｏｒｄ  Ｄｉｃｔｉｏｎａｒｙ  ｏｆ  Ｂｉｏｃｈｅｍｉｓｔｒｙ  ａｎｄ  Ｍｏｌｅｃｕｌａｒ  Ｂｉｏｌｏｇｙ、Ｏｘｆｏｒｄ  Ｕｎｉｖｅｒｓｉｔｙ  Ｐｒｅｓｓ、Ｏｘｆｏｒｄ、１９９７。
【００６２】
（ａｉ）本明細書で使用される場合、用語「脱離基」は、置換反応中または交換反応中に反応基質の残りの部分または主要部分と考える部分から離れていく、荷電しているかまたは荷電していない任意の原子または基を指す。さらなる参考文献を以下に挙げる。「脱離基」が、有機化学分野で十分に確立された用語である証拠として、Ｏｘｆｏｒｄ  Ｄｉｃｔｉｏｎａｒｙ  ｏｆ  Ｂｉｏｃｈｅｍｉｓｔｒｙ  ａｎｄ  Ｍｏｌｅｃｕｌａｒ  Ｂｉｏｌｏｇｙ、Ｏｘｆｏｒｄ  Ｕｎｉｖｅｒｓｉｔｙ  Ｐｒｅｓｓ、Ｏｘｆｏｒｄ、１９９７。
【００６３】
（ａｊ）本明細書で使用される場合、用語「保護基」は、分子が次に受ける反応に、分子内の官能基が関与するのを防ぐために、その官能基と反応し、結合するが、その後に除去され、保護されていない官能基を再生する化学基を指す。さらなる参考文献を以下に挙げる。「保護基」が、有機化学分野で十分に確立された用語である証拠として、Ｏｘｆｏｒｄ  Ｄｉｃｔｉｏｎａｒｙ  ｏｆ  Ｂｉｏｃｈｅｍｉｓｔｒｙ  ａｎｄ  Ｍｏｌｅｃｕｌａｒ  Ｂｉｏｌｏｇｙ、Ｏｘｆｏｒｄ  Ｕｎｉｖｅｒｓｉｔｙ  Ｐｒｅｓｓ、Ｏｘｆｏｒｄ，  １９９７。
【００６４】
（種々の実施形態の記載）
この「総論」の章に以下に記載する内容は、本明細書に記載する本発明の種々の実施形態のうちいくつか、または全てに関連し得ることが理解されるべきである。
【００６５】
（１．総論）
（標識試薬）
標識試薬は、レポーター部分と、バランス部分（またはリンカー部分）と、反応基とを含んでいてもよい（図１ａ）。標識試薬は、検体と反応し、標識された検体を生成することができる。いくつかの実施形態では、標識試薬は、セットとしてまとめられる。いくつかの実施形態では、セットは、異性体および／または同重体化合物であってもよい。いくつかの実施形態では、セットは、質量が異なっていてもよい。いくつかの実施形態では、セットは、同重体化合物および／または異性体であって、かつ、質量が異なる化合物であってもよい。
【００６６】
いくつかの実施形態では、標識試薬は、図２に示されるように、一般構造ＡまたはＢを有していてもよい。一般構造ＡおよびＢを有する標識試薬は、図３に示されるように、検体と反応し、構造Ａ”およびＢ”を形成することができる。いくつかの実施形態では、標識された検体は、質量分析計でフラグメント化することができる。いくつかの可能なフラグメントおよびそれぞれの質量は図３に見出され得る。一般構造ＡおよびＢを有する同重体化合物の標識試薬の２つの可能なセットは図４ａに見出され得、可能なレポーターイオンは図４ｂに記載される。一般構造ＡおよびＢに基づく２セットの質量が異なるタグは図５ａおよび５ｂに見出され得る。図６ａおよび図６ｂには、一般構造ＡおよびＢを有する標識試薬を用いて検体を標識する方法を示している。
【００６７】
（反応基）
本方法、混合物、キットおよび／または組成物の実施形態で使用される１つ以上の標識試薬の反応基（短縮して「ＲＧ」を用いてあらわされることもある）は、サンプルの１つ以上の反応性検体の１つ以上の官能基と反応可能な求核性基であってもよい。いくつかの実施形態では、反応基は、リンカー（バランス）と関連する原子または基を含むように考えられてもよいことが理解される。
【００６８】
反応基が、以下に記載する特定の部分のいくつかによって表される場合、検体は、１つ以上のさらなる原子または基（リンカー（バランス）の一部分であるように考えられてもよいし、そうでなくてもよい）を介してリンカー（バランス）に結合してもよいことが理解される。
【００６９】
反応基は、あらかじめ存在していてもよいし、系中で調製してもよい。反応基の系中での調製は、反応性検体が存在しない状態で行ってもよいし、または、反応性検体存在下で行ってもよい。いくつかの実施形態では、反応基は、保護基を系中で除去することによって、系中で発生させることができる。その結果、求核試薬および／または求電子試薬との反応によって検体の誘導体化に影響を与え得る任意の存在する試薬または新規に発生させた試薬が、本発明の方法、混合物、キットおよび／または組成物の実施形態で想定されている。
【００７０】
標識試薬の反応基が求核試薬である場合、１つ以上の検体の適切な求電子試薬と反応させることができる。求核基と求電子基との多くの適切な対が知られており、化学分野および生化学分野で多く使用されている。検体（例えば、生物学的に重要なカルボン酸化合物（例えば、プロスタグランジン、脂肪酸、カルニチンなど）、タンパク質、ペプチド、炭水化物、脂質、ステロイド、または１５００ダルトン未満の質量を有する他の低分子）とカップリングし、誘導体化に影響を与えることが可能な適切な求核基を含む試薬の非限定例は、Ｐｉｅｒｃｅ  Ｌｉｆｅ  Ｓｃｉｅｎｃｅ  ＆  Ａｎａｌｙｔｉｃａｌ  Ｒｅｓｅａｒｃｈ  Ｐｒｏｄｕｃｔｓ  Ｃａｔａｌｏｇ  ＆  Ｈａｎｄｂｏｏｋ（ａ  Ｐｅｒｓｔｏｒｐ  Ｂｉｏｔｅｃ  Ｃｏｍｐａｎｙ）、Ｒｏｃｋｆｏｒｄ、ＩＬ  ６１１０５、ＵＳＡに記載されている。他の適切な試薬は当該技術分野で周知であり、Ｓｉｇｍａ−Ａｌｄｒｉｃｈのような多くの他の供給元から市販されている。
【００７１】
いくつかの実施形態では、標識試薬の反応基は、アミン基またはヒドラジン基のような求核試薬であってもよい。いくつかの実施形態では、求核性反応基は、アミノアルキル基またはアルキルヒドラジン基であってもよい。
【００７２】
（レポーター部分）
本発明の実施形態で使用される１つ以上の標識試薬のレポーター部分（短縮して「ＲＰ」を用いてあらわされることもある）は、決定可能な固有の質量（または質量分析計中での質量電荷比）を有する基であってもよい。したがって、いくつかの実施形態では、異性体および／または同重体化合物の標識試薬のセットの各レポーター部分は、固有の総質量を有し、対応するシグニチャイオンは、そのセットの標識試薬それぞれについて異なっている。
【００７３】
異なるレポーター部分は、１つ以上の重原子同位体を含み、固有の総質量を有していてもよい。例えば、炭素の同位体（１２Ｃ、１３Ｃおよび１４Ｃ）、窒素の同位体（１４Ｎおよび１５Ｎ）、酸素の同位体（１６Ｏおよび１８Ｏ）、硫黄の同位体（３２Ｓおよび３４Ｓ）または水素の同位体（水素、重水素および三重水素）が存在し、レポーター部分の多様な基の調製に使用することができる。他の軽い同位体および重原子同位体をレポーター部分に使用してもよいことを制限するものではない。軽い同位体および重原子同位体を含むレポーター部分を調製するのに適した基本的な出発物質は、Ｃａｍｂｒｉｄｇｅ  Ｉｓｏｔｏｐｅ  Ｌａｂｏｒａｔｏｒｉｅｓ（マサチューセッツ州アンドーバー）（ｗｗｗ．ｉｓｏｔｏｐｅ．ｃｏｍの「ｂａｓｉｃ  ｓｔａｒｔｉｎｇ  ｍａｔｅｒｉａｌｓ」のリストを参照）およびＩｓｏｔｅｃ（Ｓｉｇｍａ−Ａｌｄｒｉｃｈの一部門）のような種々の商業的な供給源から得ることができる。Ｃａｍｂｒｉｄｇｅ  Ｉｓｏｔｏｐｅ  ＬａｂｏｒａｔｏｒｉｅｓおよびＩｓｏｔｅｃは、顧客との合成契約に基づいて所望の化合物を調製することもある。同上。
【００７４】
レポーター部分は、固定された電荷を有していてもよく、分析プロセス中にイオン化させることもできる。レポーター部分は、固定された電荷を有し得るか、またはイオン化され得るため、標識試薬は、単離され得るか、または反応性検体を塩形態（または塩の混合物の形態）または双性イオン形態で標識するために使用されてもよい。レポーター部分（またはレポーターイオン）のイオン化は、質量分析計での決定を容易にする。したがって、標識された検体中のレポーター部分の存在は、フラグメントイオン（シグニチャイオン（またはレポーターイオン）と呼ばれることもある）として決定することができる。
【００７５】
イオン化すると、シグニチャイオン（すなわち、レポーターイオン）は、１つ以上の正味の正電荷または負電荷を有することができる。したがって、このような基は質量分析計で容易にイオン化させることができるため、レポーターイオンは、１つ以上の酸性基および／または塩基性基を有することができる。例えば、レポーター部分は、レポーター部分が、正味の正電荷または負電荷を有するレポーターイオンを生成するように、１つ以上の他の塩基性基または酸性基とバランスのとれた状態で、１つ以上の塩基性窒素原子（正電荷）および／または１つ以上のイオン化可能な酸性基（例えばカルボン酸基、スルホン酸基またはリン酸基）（負電荷）を有することができる。少なくとも１つの塩基性窒素を含むレポーター部分の非限定例としては、置換されているかまたは置換されていないモルホリン、ピペリジンまたはピペラジンを含有する化合物が挙げられる。
【００７６】
固有のレポーター部分は、目的のサンプルと関連させ、サンプルの１つ以上の検体を固有のレポーター部分で標識することができる。この様式で、固有のレポーター部分（一般的に、質量分析計で、シグニチャイオン（すなわちレポーターイオン）として検出される）に関する情報を、このサンプルの検体のうち１つまたはすべてについての情報と関連づけることができる。
【００７７】
しかし、固有のレポーター部分は、シグニチャイオンが決定されるときに、検体と物理的に結合している必要はない。むしろ、シグニチャイオンの固有の総質量は、例えば、標識された検体のイオンをフラグメント化し、娘フラグメントイオンおよびシグニチャイオンを発生させた後、タンデム質量分析計を用いた第２の質量分析で決定することができる。
【００７８】
決定されたシグニチャイオンを使用し、サンプル由来の決定された検体からサンプルを同定することができる。さらに、固有のシグニチャイオンの量（濃度および／または量としてあらわされることが多い）は、他のシグニチャイオンに対する相対値、または較正標準（例えば、特定のレポーター部分で標識された、サンプル中に予想される検体）と関連するシグニチャイオンに対する相対値のいずれかであり、この量を使用し、１つ以上のサンプル（使用してサンプル混合物を形成するもの）中の検体の相対的および／または絶対的な量（濃度および／または量としてあらわされることが多い）を決定することができる。いくつかの実施形態では、内部較正標準を使用するのではなく、較正曲線を用いて、種々のシグニチャイオンのピーク強度を比較することによって、絶対的な定量を行うことができる。それゆえに、特定のサンプル中の１つ以上の検体の量のような情報を、それぞれの特定のサンプルを標識するのに使用するレポーター部分と関連づけることができる。１つ以上の検体の同定も決定する場合、この情報は、異なるシグニチャイオンに関する情報と相関関係があり、したがって１個のサンプルまたは複数のサンプル中の各標識された検体の同定および量を容易に決定することができる。
【００７９】
いくつかの実施形態では、レポーター部分は、置換されているかまたは置換されていないＮ−アルキル化酢酸部分のメチレン炭素に共有結合した窒素原子を含んでいてもよく、酢酸部分のカルボン酸（またはチオカルボン酸）基のカルボニル基ではない置換されているかまたは置換されていないメチレン炭素は、レポーターの一部分である。したがって、いくつかの実施形態では、カルボン酸（またはチオカルボン酸）基を使用し、リンカーにレポーターを結合することができるが、この基はレポーターの一部分とは考えない。窒素原子は、１個、２個または３個の基でアルキル化されていてもよい。例えば、窒素原子を含む部分は、メチル、エチルまたはプロピル基のような置換された一級アミンであってもよく、またはジメチルアミン、ジエチルアミン、ジ−ｎ−プロピルアミンまたはジイソプロピルアミンのような置換された二級アミンであってもよい。したがって、例えば、レポーター部分「ＲＰ」は、以下の式Ｘ１、Ｘ２、Ｘ３、Ｘ４、Ｘ５、Ｘ６、Ｘ７、Ｘ８またはＸ９によってあらわすことができ、レポーター部分「ＲＰ」は、以下の角括弧で区切られている。
【００８０】
【化５】
2010249838.tif 000064
レポーター部分は、置換されているかまたは置換されていないＮ−アルキル化酢酸部分のメチレン炭素に共有結合した環窒素原子を含む５、６または７員環へテロ環であってもよく、検体は、Ｎ−アルキル酢酸部分のカルボニル炭素を介して、（直接または間接的に）結合しており、カルボン酸基のカルボニル基ではない置換されているかまたは置換されていないメチレン炭素は、レポーターの一部分である。ヘテロ環は、芳香族であっても非芳香族であってもよい。したがって、レポーター部分は、式Ｙ−Ｊ−であらわすことができ、Ｙ基は、５、６または７員環へテロ環をあらわすことができ、Ｊ基は、置換されているかまたは置換されていない酢酸部分の置換されているかまたは置換されていないメチレン基をあらわすことができる。ヘテロ環は、置換されていても置換されていなくてもよい。例えば、へテロ環部分の置換基としては、アルキル基、アルコキシ基および／またはアリール基を挙げることができる。置換基は、保護されているかまたは保護されていない基（例えば、検体を支持体に結合するのに適したアミン基、ヒドロキシル基またはチオール基）を含んでいてもよい（図６を参照）。ヘテロ環は、１個以上のケイ素原子、窒素原子、酸素原子および／または硫黄原子のようなさらなるヘテロ原子を含んでいてもよい。したがって、例えば、レポーター部分「ＲＰ」は、以下の式Ｘ１０、Ｘ１１、Ｘ１２、Ｘ１３、Ｘ１４、Ｘ１５、Ｘ１６、Ｘ１７、Ｘ１８、Ｘ１９、Ｘ２０、Ｘ２１、Ｘ２２、Ｘ２３、Ｘ２４、Ｘ２５またはＸ２６によってあらわすことができ、レポーター部分「ＲＰ」は、以下の角括弧で区切られている。
【００８１】
【化６】
2010249838.tif 000065
【００８２】
【化７】
2010249838.tif 000066
レポーター部分は、検体の分析に典型的な条件下で実質的にさらにフラグメント化しないように選択することができる。任意のエラーを防ぐために、これは必須ではない任意の特徴である。例えば、レポーターは、質量分析計中で標識された検体をフラグメント化させるのに加える解離エネルギー条件下で実質的にさらにフラグメント化しないように選択することができる。「実質的にさらにフラグメント化しない」とは、標識された検体の首尾よい決定に適用する場合、レポーターのフラグメントが、バックグラウンドノイズ上で検出するのが困難であるかまたは不可能であることを意味する。
【００８３】
いくつかの実施形態では、レポーターイオンの総質量は、決定される検体の質量または検体の予想されるフラグメントの質量と比較した場合に異なっているように故意に選択することができる（すなわち、「静穏域（ｑｕｉｅｔ  ｚｏｎｅ）」）。例えば、タンパク質またはペプチドが検体である場合、レポーターイオンの総質量は、天然に存在するアミノ酸またはペプチド、またはこれらの予想されるフラグメントと比較した場合に異なっているように選択することができる。このことにより、検体に依存して、同じ領域にある質量を有するサンプルの任意の可能な成分が存在しないことが、任意の分析の結果に信頼性を加わり得るため、検体の決定が容易になる。ペプチドについてバックグラウンドが小さいと予想される質量範囲の例が表１に見出され得る。
【００８４】
表１：ペプチド分析に関連する標識フラグメントイオンｍ／ｚを選択するための、可能な静穏域
【００８５】
【表１】
2010249838.tif 000067
。
【００８６】
レポーター部分は、ポリマーでなくてもよい。レポーター部分は、２５０原子質量単位（ａｍｕ）未満の質量を示すｍ／ｚを有するシグニチャイオンを生成するように選択することができる。レポーター部分は、２００ａｍｕ未満のｍ／ｚを有するシグニチャイオンを生成するように選択することができる。レポーター部分は、１５０ａｍｕ未満のｍ／ｚを有するシグニチャイオンを生成するように選択することができる。このような低分子は、第１の質量分析で同じ領域にある質量を有するサンプルの他の成分が存在しない第２の質量分析で容易に決定することができる。これに関連して、第２の質量分析は、第１の質量分析で決定され、選択されたイオンについて、典型的には、タンデム質量分析計で（または、例えば、一段階装置でのポストソース分解によって）行うことができる。特定の質量電荷比を有するイオンを、可能なフラグメンテーションおよびさらなる質量分析のために、第１の質量分析から特異的に選別することができるため、第１の質量分析から得た選択されていないイオンは、第２の質量分析に向かって運ばれず、それゆえに、第２の質量分析のスペクトルを汚染しない。さらに、質量分析計の感度および検出器（定量用）の直線性は、この低い質量範囲では非常に優れている場合がある。さらに、質量分析技術の現在の状態は、この質量範囲での１ダルトン未満のベースライン質量解像度を可能にしている。これらすべての理由から、上述の特徴を有するレポーターは、本明細書に記載の方法を利用し、複雑な混合物から決定された検体をきわめて正確に定量することができる。
【００８７】
（バランス（またはリンカー）部分）
本発明の実施形態で使用可能な１つ以上の標識試薬のバランス（またはリンカー）部分（短縮して「ＬＫ」を用いてあらわされることもある）は、検体との反応が起こるか否かに依存し、検体にレポーター部分を結合するか、またはレポーター部分を反応基に結合する。リンカーは、中性種を生成する（すなわち、質量分析計でニュートラルロスを受ける）ように選択することができ、この場合、リンカーをレポーター部分に結合する結合（ＲＬ結合）およびリンカーを検体に結合する結合（ＬＡ結合）の両方が質量分析計でフラグメント化する。リンカーは、解離エネルギーを受けるとさらにフラグメント化する（さらにフラグメント化し、リンカーの中性フラグメントのみを生成することを含む）ように設計することができる。リンカーは、１つ以上の検出可能なフラグメントを生成するように設計することができる。
【００８８】
同重体化合物の試薬セットに関し、リンカー部分は、混合物の各標識された検体のレポーター部分の総質量差、またはセットおよび／またはキットの標識試薬の総質量差を補う質量の１つ以上の重原子同位体を含んでいてもよい。さらに、レポーター／リンカーの組み合わせ（すなわち、レポーター／リンカー部分）の集合体の総質量（すなわち、全体の総質量）は、混合物の各標識された検体について、またはセットおよび／またはキットの標識試薬について同じであってもよい。より特定的には、リンカー部分は、異なるサンプル由来の標識された検体のレポーター部分の総質量差を補うことができ（各サンプルは、同重体化合物のセットの異なる試薬で標識されている）、レポーター部分の固有の総質量は、それぞれの標識された検体の由来となるサンプルと相関関係にあり、レポーター／リンカーの組み合わせの集合体の総質量は、由来となるサンプルにかかわらず、サンプル混合物の各標識された検体について同じである。この様式で、標識し、混合してサンプル混合物を生成する場合、２個以上の異なるサンプル中の同一の検体の総質量は、同じ総質量を有することができる。
【００８９】
例えば、標識された検体または検体を標識するためのセットおよび／またはキットの標識試薬は、同重体化合物であってもよい。それゆえに、特定の質量電荷比を有するイオン（サンプル混合物から得られる）が、サンプル混合物の最初の質量分析から質量分析計で選択され（すなわち、選択されたイオン）、サンプル混合物を構成する異なるサンプル由来の同じ検体が、サンプル混合物中のそれぞれの濃度および／または量に比例して、選択されたイオンであらわされ得る。したがって、リンカーは、レポーターを検体に結合させるだけではなく、固有のレポーター部分の異なる質量を補い、種々のサンプルの標識された検体のレポーター／リンカー部分の総質量を合わせる役割も果たすことができる（参照。図４ａおよびこの図に示される同重体化合物の標識試薬の２セット）。
【００９０】
リンカーが、標識試薬のレポーター部分の質量バランスとして作用するため、リンカーの原子数が大きいほど、セットおよび／またはキットの異なる異性体の標識試薬／同重体化合物の標識試薬の可能な数が大きくなる。違う言い方をすると、一般的に、リンカーに含まれる原子の数が多いほど、同位体が、リンカーのほとんどの任意の位置で置換し、リンカー部分の異性体および／または同重体化合物を生成させることができるため、潜在的なレポーター／リンカーの組み合わせの数が多くなる。ここでリンカー部分は、レポーター部分の異なる質量を相殺するのに使用され、これにより、固有の同重体化合物の標識試薬および／または質量が異なる標識試薬のセットを作製することができる。このような多様な標識試薬のセットは、同じサンプルおよび／または異なるサンプルの検体を多重分析するのに特に適している。
【００９１】
セットおよび／またはキットの標識試薬の合計数は、２個、３個、４個、５個、６個、７個、８個、９個、１０個、１１個、１２個、１３個、１４個、１５個、１６個、１７個、１８個、１９個、２０個またはそれ以上の数であってもよい。セットまたはキットの標識試薬の多様性は、レポーター部分およびリンカー部分の原子数、軽い同位体を置き換え可能な重原子同位体、および同位体を合成的に配置可能な種々の合成配座によってのみ制限される。しかし、上に提案したように、多くの同位体が濃縮された基本出発物質は、Ｃａｍｂｒｉｄｇｅ  Ｉｓｏｔｏｐｅ  Ｌａｂｏｒａｔｏｒｉｅｓやｌｓｏｔｅｃのような製造業者から容易に入手可能である。このような同位体が濃縮された基本出発物質を、同重体化合物および質量が異なる標識試薬（すなわち、異なる総質量を有する標識試薬）のセットを製造するのに使用する合成プロセスで使用することができ、または、同重体化合物および質量が異なる標識試薬のセットを製造するのに使用される合成プロセスで使用可能な同位体が濃縮された出発物質を製造するのに使用することができる。
【００９２】
いくつかの実施形態では、標識試薬は、質量が異なるタグのセットを含む。これらのセットでは、リンカー部分は、リンカーが、典型的には、異なるレポーターの「バランスをとる」ために使用されるわけではないため、場合により、任意の重原子同位体を含まない。この様式では、このセットの異なる試薬はそれぞれ固有の質量を有し、標識された検体から開裂する場合、質量分析計で固有のシグニチャイオンを生成可能な固有のレポーター部分を有する。
【００９３】
標識試薬のセットで使用するのに適した標識試薬を調製するいくつかの例を、以下に詳細に記載する。例えば、リンカー部分は、式Ｉ＃
【００９４】
【化８】
2010249838.tif 000068
によってあらわすことができ、式中、Ｘ１、Ｋ、Ｒ１およびＲ２によってあらわされる原子または基を、以下にさらに詳細に記載する。
【００９５】
（レポーター／リンカーの組み合わせ（すなわち、レポーター／リンカー部分））
標識試薬は、互いに直接結合したレポーター部分と、リンカー部分とを含むことができる。上述のように、いくつかの実施形態では、レポーター／リンカー部分は、標識試薬のセットおよび／またはキットの各メンバー（すなわち、同重体化合物の試薬のセット）で、総質量が同じであってもよい。さらに、レポーター部分をリンカー部分に結合させる結合は、解離エネルギーがかけられると、選択されたイオンの少なくとも一部分でフラグメント化し、リンカー部分および／またはリンカー／検体部分からレポーターイオンを放出するように設計することができる（試薬のセットが同重体化合物であるか否かにかかわらない）。したがって、レポーターイオンの総質量（質量分析計でｍ／ｚ比として観測される）およびその強度は、ＭＳ／ＭＳ分析で直接観察することができる。
【００９６】
レポーター／リンカー部分は、セットまたはキットの種々の標識試薬中に、同じ重原子同位体または異なる重原子同位体の種々の組み合わせを含んでもよい。科学文献では、このことは、「コーディング」「同位体コーディング」と呼ばれることもあり、または単純に「エンコーディング」と呼ばれることもある。例えば、Ａｂｅｒｓｏｌｄらは、ｉｓｏｔｏｐｅ  ｃｏｄｅｄ  ａｆｆｉｎｉｔｙタグ（ＩＣＡＴ；ＷＯ００／１１２０８を参照）を開示している。一態様では、Ａｂｅｒｓｏｌｄらの試薬は、Ａｂｅｒｓｏｌｄが、異性体の標識試薬および／または同重体化合物の標識試薬のような２個以上の質量の同じ標識試薬を教示していないという点で、本発明の標識試薬のいくつかとは異なっている。むしろ、Ａｂｅｒｓｏｌｄらは、これらの標識試薬の「軽い」バージョンと「重い」バージョンについて開示している。本明細書に開示される質量が異なる標識試薬に関し、Ａｂｅｒｓｏｌｄの試薬は、質量分析計でフラグメント化して、検体のフラグメント（娘）イオンで観察可能なシグニチャイオンを放出することはない。したがって、Ａｂｅｒｓｏｌｄの試薬とは異なり、本明細書で開示される質量が異なる試薬は、１個のＭＳ／ＭＳスペクトルまたはこのスペクトルを作製するのに適した１個のデータセットの分析によって、検体を同定し、定量することができる。
【００９７】
いくつかの実施形態では、レポーター部分および／リンカー部分は、標識試薬または標識された検体を支持体に固定するのに使用可能な原子または基を含むことができる。固定は、直接的であっても間接的であってもよい。例えば、直接的な固定は、レポーターおよび／またはリンカーと関連する原子または基（例えば、レポーターおよび／またはリンカーのアルキルアミン置換基）が、いくつかの実施形態では、支持体の反応基（例えば、開裂可能なリンカー）と直接相互作用し、固定化に影響し得る場合に起こり得る。対照的に、間接的な固定は、例えば、レポーターおよび／またはリンカーの置換基（例えば、レポーターおよび／またはリンカーのアルキルアミン置換基）が修飾され（例えば、ビオチン化され）、修飾された基が支持体の反応基（例えば、アビジンまたはストレプトアビジン）と相互作用し、固定化に影響し得る場合に起こり得る。その結果、本発明は、検体が、標識試薬に結合した支持体と反応し得、各支持体が固有の標識試薬を含み、異なるサンプルが、異なる支持体と反応する実施形態、およびそれぞれの異なるサンプルが異なる標識試薬と反応し、反応生成物がその後に、同じまたは異なる支持体に固定される実施形態を想定している。いずれの場合であっても、サンプル混合物は、一般的に、質量分析によって分析するために、支持体から標識された検体を開裂させることによって得られる。
【００９８】
（質量分析計／質量分析法（ＭＳ））
本発明の方法は、タンデム質量分析計、および分子イオンを選択し、フラグメント化する能力を有する他の質量分析計を用いて行うことができる。タンデム質量分析計（およびこれより機能の少ない一段階質量分析計）は、質量電荷（ｍ／ｚ）比によって、分子イオンを選択し、フラグメント化し、得られたフラグメント（娘）イオンのスペクトルを記録する能力を有する。より特定的には、娘フラグメントイオンのスペクトルは、選択されたイオンに解離エネルギーをかけることによって作製することができる（例えば、衝突誘起解離（ＣＩＤ））。例えば、特定のｍ／ｚ比を有する標識されたペプチドに対応するイオンは、第１の質量分析から選択することができ、第２の質量分析でフラグメント化し、再分析することができる。このようなタンデム質量分析を実施可能な代表的な装置としては、限定されないが、磁気４セクター型、タンデム飛行時間型、三連四重極型、イオン捕捉型、およびハイブリッド四重極型飛行時間型（Ｑ−ＴＯＦ）の質量分析計が挙げられる。
【００９９】
これらの種類の質量分析計を、限定されないが、エレクトロスプレーイオン化（ＥＳＩ）およびマトリックス支援レーザー脱離イオン化（ＭＡＬＤＩ）を含む種々のイオン化源と組み合わせて使用してもよい。検体が固定した電荷を有していない場合、イオン化源を使用し、第１の質量分析のために、荷電した化学種を生成させることができる。さらなる質量分析の装置およびフラグメンテーション法としては、ＭＡＬＤＩ−ＭＳ装置でのポストソース分解およびＭＡＬＤＩ−ＴＯＦ（飛行時間）−ＴＯＦ  ＭＳを用いた高エネルギーＣＩＤが挙げられる。近年のタンデム質量分析計に関する総説については、以下を参照されたい。Ｒ．ＡｅｂｅｒｓｏｌｄおよびＤ．Ｇｏｏｄｌｅｔｔ、Ｍａｓｓ  Ｓｐｅｃｔｒｏｍｅｔｒｙ  ｉｎ  Ｐｒｏｔｅｏｍｉｃｓ．Ｃｈｅｍ．Ｒｅｖ．１０１：２６９−２９５（２００１）。
【０１００】
（解離エネルギーによるフラグメンテーション）
質量分析計で生じるプロセスの結果、結合がフラグメント化することは十分に受け入れられている。さらに、結合のフラグメンテーションは、質量分析計で、イオンに解離エネルギーをかけることによって誘発させることができる。例えば、解離エネルギーは、衝突誘起解離（ＣＩＤ）によって質量分析計で発生させることができる。質量分析計でイオンをフラグメント化するのに使用可能な解離エネルギーの他の非限定例としては、限定されないが、衝突活性化解離（ＣＡＤ）、光誘起解離（ＰＩＤ））、表面誘起解離（ＳＩＤ））、電子誘起解離（ＥＩＤ）、電子捕獲解離（ＥＣＤ））、熱赤外／黒体赤外照射解離（ＢＩＲＤ）、ポストソース分解またはこれらの組み合わせが挙げられる。質量分析分野の当業者は、フラグメンテーションを生じさせる解離エネルギーを与える他の例示的な技術としては、限定されないが、光解離、電子捕獲および表面誘起解離が挙げられることを理解する。
【０１０１】
衝突誘起解離によって結合をフラグメント化するプロセスは、不活性ガスと衝突させながら、選択されたイオンの運動エネルギーを増大させ、衝突点で結合のフラグメンテーションが起こる工程を含む。例えば、運動エネルギーは、衝突セル中で、不活性ガス（例えば、窒素、ヘリウムまたはアルゴン）との衝突によって、移動させることができる。イオンに移動可能な運動エネルギーの量は、衝突セルに入ることができた気体分子の数に比例する。たくさんの気体分子が存在する場合、より多くの運動エネルギーを選択されたイオンに移すことができ、存在する気体分子が少ない場合には、移される運動エネルギーは小さい。
【０１０２】
それゆえに、質量分析計での解離エネルギーの適用を制御することができることは明らかである。特定の結合は、他の結合よりも不安定であることも十分に受け入れられている。検体またはレポーター／リンカー／コードされていない検出可能な標識部分の結合の不安定性は、検体の性質およびレポーター／リンカー／コードされていない検出可能な標識部分の性質に依存する。したがって、解離エネルギーは、検体および／または標識試薬（例えば、レポーター／リンカーの組み合わせ）が検出可能な様式でフラグメント化し得るように調整することができる。当業者は、標識された検体のイオンの少なくとも１部分をシグニチャイオン（すなわちレポーターイオン）および娘フラグメントイオンにフラグメント化するのに適切なレベルの解離エネルギーを達成するために、質量分析計の成分に対するこのような通常の調整を行う方法を理解する。
【０１０３】
例えば、第１の質量分析から選択され／単離されたイオンに、解離エネルギーを与えることができる。タンデム質量分析計では、抽出されたイオンに解離エネルギーをかけ、フラグメント化させ、第２の質量分析計に移動させ得る。選択されたイオンは、所定の質量電荷比を有することができる。質量電荷比は、質量分析計の特徴に依存して、ある範囲の質量電荷比の範囲内にすることができる。衝突誘起解離が使用される場合、衝突セルを通すことによって、第１の質量分析計から第２の質量分析計にイオンを移動させ、そこで解離エネルギーを与え、フラグメントイオンを発生させることができる。例えば、分析のために第２の質量分析計に移されるイオンとしては、残りの（フラグメント化していない）選択されたイオンのいくつかまたは一部分（存在する場合）、および標識された検体のレポーターイオン（シグニチャイオン）および娘フラグメントイオンを挙げることができる。
【０１０４】
（コンピューターによるデータベース分析による、検体の決定）
いくつかの実施形態では、検体は、娘イオンのフラグメンテーションパターンに基づいて決定することができる。このパターンは、コンピューターによって既知の検体のスペクトルまたは「理論的な」検体のスペクトルと比較することによって分析される。例えば、低エネルギーＣＩＤ条件下で、フラグメント化したペプチドイオンの娘フラグメントイオンのスペクトルは、多くの別個のフラグメンテーション事象の合計であると考えられ得る。一般的な命名法は、開裂するアミド結合に対応する娘フラグメントイオンと、結合分裂後に電荷を保持しているペプチドフラグメントとを区別する（Ｒｅｏｐｓｔｏｒｆｆら、Ｂｉｏｍｅｄ．Ｍａｓｓ  Ｓｐｅｃｔｒｏｍ．，１１：６０１（１９８８））。分裂可能なアミド結合のＮ末端側で電荷が保持されることによって、ｂ型イオンが生成される。分裂したアミド結合のＣ末端側に電荷が保持される場合、フラグメントイオンはｙ型イオンと呼ばれる。ｂ型イオンおよびｙ型イオンに加え、ＣＩＤ質量スペクトルは、他の特徴的なフラグメントイオン（これらのイオンとしては、グルタミン、リジンおよびアルギニンから生じるアンモニアのニュートラルロス（−１７ａｍｕ）、またはセリンおよびスレオニンのようなヒドロキシル含有アミノ酸から生じる水のロス（−１８ａｍｕ）が挙げられる）を含有することがある。特徴的なフラグメントイオンおよびｂ型イオンおよびｙ型イオンは、すべて娘フラグメントイオンである。特定のアミノ酸は、低エネルギーＣＩＤ状態で他の物質よりも容易にフラグメント化することが観察されている。このことは、特に、プロリン残基またはアスパラギン酸残基を含有するペプチドでは明らかであり、さらに、アスパルチル−プロリン結合を含有するペプチドでも明らかである（Ｍａｋ，Ｍ．ら、Ｒａｐｉｄ  Ｃｏｍｍｕｎ．Ｍａｓｓ  Ｓｐｅｃｔｒｏｍ．，１２：８３７−８４２（１９９８））。したがって、Ｚ”’−ｐｒｏダイマーまたはＺ”’−ａｓｐダイマーのペプチド結合（ここで、Ｚ”’は任意の天然アミノ酸であり、ｐｒｏはプロリンであり、ａｓｐはアスパラギン酸である）は、他の全てのアミノ酸ダイマーの組み合わせ間のペプチド結合と比較して、より不安定な傾向がある。
【０１０５】
それゆえに、ペプチドサンプルおよびタンパク質サンプルでは、低エネルギーＣＩＤスペクトルは、ｂ型イオンおよびｙ型イオン、同じペプチド由来の内部フラグメントイオン、イミニウム、および他のニュートラルロスイオンが重なった多くの冗長配列特異的な情報を含有している。このようなＣＩＤスペクトルを解釈し、親ペプチドのアミノ酸配列をｄｅ  ｎｏｖｏで組み立てることは、非常に困難で時間がかかる作業であるが、できないことはない。配列決定のためのコンピューターによるｄｅ  ｎｏｖｏ法の近年の進歩は、Ｈｕａｎｇ，Ｙ．，Ｒｏｓｓ，Ｐ，Ｓｍｉｒｎｏｖ，Ｉ，Ｍａｒｔｉｎ，Ｓ．およびＰａｐｐｉｎ，Ｄ．２００３，Ｐｒｏｃｅｅｄｉｎｇｓ  ｏｆ  ６ｔｈ  Ｉｎｔｅｒｎａｔｉｏｎａｌ  Ｓｙｍｐｏｓｉｕｍ  ｏｎ  ＭＳ  ｉｎ  Ｈｅａｌｔｈ  ａｎｄ  Ｌｉｆｅ  Ｓｃｉｅｎｃｅｓ（２００３年８月２４〜２８日、カルフォルニア州サンフランシスコ）に記載されている。ペプチド配列の同定における最も顕著な進歩は、ペプチドＣＩＤスペクトルと、タンパク質配列およびＤＮＡ配列のデーターベースにすでに存在するペプチド配列とを関連づけるコンピューターアルゴリズムの開発であった。このようなアプローチは、ＳＥＱＵＥＳＴ（Ｅｎｇ，Ｊ．ら、Ｊ．Ａｍ．Ｓｏｃ．Ｍａｓｓ  Ｓｐｅｃｔｒｏｍ．，５：９７６−９８９（１９９４））およびＭＡＳＣＯＴ（Ｐｅｒｋｉｎｓ，Ｄ．ら、Ｅｌｅｃｔｒｏｐｈｏｒｅｓｉｓ，２０：３５５１−３５６７（１９９９））のようなプログラムによって例示されている。
【０１０６】
簡単にいうと、実験的なペプチドＣＩＤスペクトル（ＭＳ／ＭＳスペクトル）を、タンパク質配列またはゲノム配列のデータベースから得たペプチド配列からコンピューターによって作製した「理論的」な娘フラグメントイオンスペクトルと適合させるか、または関連付ける。この適合または関連づけは、ＭＳ／ＭＳモードにおける娘フラグメントイオンの質量の予想値と、実測値との類似性に基づいている。適合または関連付けの程度は、フラグメントパターンの実験値と「理論値」とがどれほど一致するかによって点数であらわす。所与のペプチドアミノ酸配列を検索するデーターベースの制約は、１個のペプチドＣＩＤスペクトルで、全ゲノム中または発現配列タグ（ＥＳＴ）のデータベースの任意の所与のタンパク質を同定するのに十分なほど識別性がある。他の総説としては、以下を参照されたい。Ｙａｔｅｓ，Ｊ．Ｒ．Ｔｒｅｎｄｓ，Ｇｅｎｅｔｉｃｓ，１６：５−８（２０００）およびＹａｔｅｓ，Ｊ．Ｒ．，Ｅｌｅｃｔｒｏｐｈｏｒｅｓｉｓ  １９：８９３−９００（１９９８）。
【０１０７】
したがって、ＭＳ／ＭＳスペクトルの娘フラグメントイオン分析は、標識された検体の検体を決定するだけではなく、決定された検体の由来となる検体を決定するために使用することもできる。例えば、ＭＳ／ＭＳ分析におけるペプチドの同定は、タンパク質の酵素的消化の結果、ペプチドが開裂するタンパク質を決定するために使用することができる。このような分析を他の検体（例えば、核酸、脂質ステロイドおよび／またはプロスタグランジン）に適用することができることも想定される。
【０１０８】
（ＲＬ結合およびＬＡ結合）
レポーター部分の原子と、リンカー部分の原子との間の結合がＲＬ結合である。リンカー部分の原子と、検体の原子との間の結合がＬＡ結合である。いくつかの実施形態では、解離エネルギーレベルを与えると、ＲＬ結合およびＬＡ結合は選択されたイオンの少なくとも一部分でフラグメント化する。それゆえに、いくつかの実施形態では、ＲＬ結合およびＬＡ結合の両方が、標識された検体の選択されたイオンの少なくとも一部分でフラグメント化するように、質量分析計で解離エネルギーのレベルが調整され得る。
【０１０９】
ＲＬ結合のフラグメンテーションにより、検体からレポーター部分が放出され、その結果、レポーターイオンを、検体とは独立して決定することができる。ＬＡ結合のフラグメンテーションにより、ＲＬ結合がすでにフラグメント化されているか否かに依存して、検体からレポーター／リンカー部分が放出されるか、または検体からリンカーが放出される。いくつかの実施形態では、ＲＬ結合は、ＬＡ結合よりもさらに不安定であり得る。いくつかの実施形態では、ＬＡ結合は、ＲＬ結合よりも不安定であり得る。いくつかの実施形態では、ＲＬ結合およびＬＡ結合は、同じ相対不安定性を有し得る。簡単に述べると、ＲＬ結合は、フラグメント化してレポーターイオンを放出するように設計されるが、ＬＡ結合は、本発明の種々の実施形態でフラグメント化してもフラグメント化しなくてもよい。
【０１１０】
いくつかの実施形態では、目的の検体がタンパク質またはペプチドの場合、ＲＬ結合およびＬＡ結合の相対不安定性は、アミド（ペプチド）結合に関して調整することができる。ＲＬ結合、ＬＡ結合またはＲＬ結合とＬＡ結合の両方は、典型的なアミド（ペプチド）結合と比較して、より安定であっても、同程度の安定性であっても、より不安定であってもよい。例えば、解離エネルギー条件下で、ＲＬ結合および／またはＬＡ結合は、Ｚ”’−ｐｒｏダイマーまたはＺ”’−ａｓｐダイマー（ここで、Ｚ”’は任意の天然アミノ酸であり、ｐｒｏはプロリンであり、ａｓｐはアスパラギン酸である）のペプチド結合と比較して、フラグメント化しにくくてもよい。いくつかの実施形態では、ＲＬ結合およびＬＡ結合は、典型的なアミド結合とほぼ同じレベルの解離エネルギーでフラグメント化してもよい。いくつかの実施形態では、ＲＬ結合およびＬＡ結合は、典型的なアミド結合より大きなレベルの解離エネルギーでフラグメント化してもよい。
【０１１１】
いくつかの実施形態では、ＲＬ結合およびＬＡ結合は、ＲＬ結合のフラグメンテーションによってＬＡ結合のフラグメンテーションが起こるように、およびＬＡ結合のフラグメンテーションによってＲＬ結合のフラグメンテーションが起こるように存在してもよい。この様式で、ＲＬ結合およびＬＡ結合の両方は、検体またはその娘フラグメントイオンのかなりの量が部分的な標識を含まないように、本質的に同時にフラグメント化してもよい。「検体のかなりの量」は、部分的に標識された検体の２５％未満、好ましくは１０％未満が、質量分析計（例えば、ＭＳ／ＭＳ分析）で決定可能であることを意味する。
【０１１２】
いくつかの実施形態では、質量スペクトル（例えば、ＭＳ／ＭＳ分析）で、検体の標識されたフラグメントと標識されていないフラグメントとを明確に区別することができ、この特徴は、検体の娘フラグメントイオンを分析するのに使用する質量計算に適用することが必要な標識の残りを補正する必要がないため、娘フラグメントイオンのスペクトルをコンピューターによって分析することによる検出の同定を単純化することができる。さらに、検体のフラグメントイオンが、いくつかの実施形態では、完全に標識されているかまたは標識されていないかのいずれかであり（部分的に標識されてはいない）ため、分裂した結合の同位体分布によって生じる娘フラグメントイオンの質量がほとんど分散していないか、全く分散しておらず、これは、解離エネルギーレベルを与えることによって生じる標識された検体のフラグメンテーションから、同位体は、部分的に標識された検体の１個の不安定な結合の片側に存在する場合である。
【０１１３】
（検体の標識化）
上に記載したように、検体の官能基と標識試薬の反応基とを反応させることによって、検体を標識することができる。検体の官能基は、求電子基であってもよく、標識試薬の官能基は求核基であってもよい。求電子試薬と求核試薬が反応し、検体と標識試薬との共有結合が形成し得る。
【０１１４】
標識化反応は、溶液中で行うことができる。いくつかの実施形態では、検体または標識試薬のうち１つを支持体と結合させることができる。標識化反応は、水性条件下で行うこともあり得る。水性条件は、タンパク質、ペプチドおよび／または核酸のような生体分子を標識するために選択することができる。標識化反応は、有機溶媒中または有機溶媒の混合物中で行うこともあり得る。有機溶媒は、低分子の検体のために選択することができる。水および有機溶媒の混合物または有機溶媒は、広範囲で使用することができる。例えば、水および約５％〜約９５％の１つ以上の有機溶媒の溶液（ｖ／ｖ）を調製し、検体を標識するために使用することができる。いくつかの実施形態では、水および約５０％〜約９５％の１つ以上の有機溶媒の溶液（ｖ／ｖ）を調製し、検体を標識するために使用することができる。いくつかの実施形態では、水および約６５％〜約８０％の１つ以上の有機溶媒の溶液（ｖ／ｖ）を調製し、検体を標識するために使用することができる。有機溶媒の非限定例としては、Ｎ，Ｎ’−ジメチルホルムアミド（ＤＭＦ）、アセトニトリル（ＡＣＮ）、Ｎ−メチルピロリジン（ＮＭＰ）およびアルコール（例えば、メタノール、エタノール、プロパノールおよび／またはブタノール）が挙げられる。当業者は、標識試薬の性質および検体の性質によって、当該技術分野で入手可能な知識および本明細書で与えられる開示内容と、通常の実験とを組み合わせ、それ以上の知識を用いることなく、検体の標識化を容易にする適切な溶媒条件を決定することができる。
【０１１５】
標識化反応を行う場合、ｐＨを調整してもよい。ｐＨは４〜１０の範囲であってもよい。この範囲の外側のｐＨであってもよい。一般的に、非水系反応の塩基性は、非求核性有機塩基を加えることによって調整することができる。適切な塩基の非限定例としては、Ｎ−メチルモルホリン、トリエチルアミンおよびＮ，Ｎ−ジイソプロピルエチルアミンが挙げられる。あるいは、含水溶媒のｐＨは、（Ｎ−［２−ヒドロキシエチル］ピペラジン−Ｎ’−［２−エタンスルホン酸）（ＨＥＰＥＳ）または４−モルホリンエタン−スルホン酸（ＭＥＳ）のような生物学的バッファーまたは炭酸ナトリウムおよび／または炭酸水素ナトリウムのような無機バッファーを用いて調整することができる。反応基の少なくとも１つが求電子試薬であるため、任意の求核基を含有しないバッファーを選択することが所望され得る。当業者は、通常の実験を行って、標識試薬を用いた検体の標識を容易にするように標識化反応のｐＨを調整するのに使用可能な他のバッファーを特定することができる。したがって、当業者は、標識試薬の性質および検体の性質によって、通常の実験とを組み合わせた本明細書で与えられる開示内容のみを使用して、適切な溶媒およびｐＨの条件を決定し、検体の標識化を容易にすることができる。
【０１１６】
（サンプルの加工）
本発明の特定の実施形態では、１つ以上の検体を標識する前に、標識と同時に、および標識した後に、サンプルを加工することができる。加工することにより、１つ以上の検体の標識化を容易にすることができる。加工によって、サンプル成分の分析を容易にすることができる。加工によって、サンプルの取り扱いを単純化することができる。加工によって、上述の２つ以上のことを容易にすることができる。
【０１１７】
例えば、サンプルを酵素または化学物質で処理することができる。酵素は、プロテアーゼ（タンパク質およびペプチドを分解するため）、ヌクレアーゼ（核酸を分解するため）またはいくつかの他の酵素であってもよい。酵素は、非常に予測しやすい分解パターンを有するように選択することができる。２つ以上のプロテアーゼ酵素および／または２つ以上のヌクレアーゼ酵素を一緒に使用するか、または他の酵素と共に使用し、それによりサンプル成分を分解してもよい。
【０１１８】
例えば、タンパク質分解酵素であるトリプシンは、リジンとアルギニンとのペプチド結合および非特異的なアミノ酸のペプチド結合を開裂し、アミン末端（Ｎ末端）およびリジンまたはアルギニンのカルボキシル末端アミノ酸（Ｃ末端）を含むペプチドを生成するセリンプロテアーゼである。この様式で、タンパク質の開裂から得られるペプチドは予測可能であり、トリプシン消化サンプル中のこれらの存在および／または量は、その由来となるタンパク質の存在および／または量を示す指標となり得る。さらに、ペプチドの遊離アミン末端は、標識化を容易にする良好な求核試薬になり得る。他の例示的なタンパク質分解酵素としては、パパイン、ペプシン、ＡｒｇＣ、ＬｙｓＣ、Ｖ８プロテアーゼ、ＡｓｐＮ、プロナーゼ、キモトリプシンおよびカルボキシペプチダーゼ（例えば、カルボキシペプチダーゼＡ、Ｂ、Ｃなど）が挙げられる。
【０１１９】
例えば、タンパク質（例えば、タンパク質ｇ）は、トリプシンのようなプロテアーゼで消化すると、３種のペプチドを生成する（例えば、ペプチドＢ、ＣおよびＤ）。したがって、タンパク質分解酵素（例えばトリプシン）で消化され、分析されてペプチドＢ、ＣおよびＤを含有することが確認されたサンプルは、もともとタンパク質ｇを含んでいたと言えることになる。ペプチドＢ、ＣおよびＤの量は、消化されたサンプル中のタンパク質ｇの量とも相関関係にある。この様式では、サンプル（またはそのフラクション）中のペプチドＢ、ＣおよびＤのうち１つ以上の同定および／または量の決定を利用し、元々のサンプル（またはそのフラクション）中のタンパク質ｇを同定および／または定量することができる。
【０１２０】
酵素活性が予測可能であるため、既知の配列のタンパク質の分解から生じるペプチドの配列も予測することができる。この情報を用いて、「理論的な」ペプチド情報を作製することができる。それゆえに、実際のサンプルの質量分析から、娘フラグメントイオンのコンピューターによる分析（上述）で「理論的な」ペプチドフラグメントを決定し、これを利用して、１つ以上の未知サンプル中の１つ以上のペプチドまたはタンパク質を決定することができる（例えば、上述の「コンピューターによるデータベース分析による、検体の決定」の章を参照）。
【０１２１】
いくつかの実施形態では、サンプルの加工は、前駆体を、標識される１つ以上の検体に処理することを含んでもよい。例えば、標識される１つ以上の検体が、消化されたタンパク質由来のペプチドである場合、および標識試薬が、例えば、ペプチドまたはペプチド検体と反応するように選択される場合、サンプルのタンパク質（検体前駆体分子）を、標識化反応を容易にする様式で加工してもよい。この例では、タンパク質を還元剤（例えば、トリス［２−カルボキシエチル］ホスフィン（ＴＣＥＰ））で還元し、次いで、チオール基をブロック剤（例えば、メチルメタンチオスルホネート（ＭＭＴＳ））との反応によってブロックしてもよい。この様式では、タンパク質のチオール基がブロックされ、それゆえに、検体のアミンと標識試薬との間の標識化反応は妨害されない。
【０１２２】
特定の他の前駆体分子の処理が、容易に利用可能な試薬、および通常の実験によって適用可能なプロトコルを用いて行うことができることを当業者は理解する。正確な選択または試薬および条件は、標識される検体および標識試薬の性質によって選択することができる。
【０１２３】
いくつかの実施形態では、サンプルの加工は、標識試薬で標識されるか否かにかかわらず、検体または検体前駆体を固体支持体に固定することを含んでもよい。固定としては、共有結合による固定および吸着および他の共有結合ではない固定手段（例えば、静電固定）を挙げることができる。いくつかの実施形態では、固定によって、サンプルの複雑化を減らすことを容易にすることができる。いくつかの実施形態では、固定によって、検体の標識を容易にすることができる。いくつかの実施形態では、固定によって、検体前駆体の標識を容易にすることができる。いくつかの実施形態では、固定によって、特定の性能を有する（例えば、システイン部分を含むか、または含まない）サンプル成分のフラクションの選択的な標識を容易にすることができる。いくつかの実施形態では、固定によって、容易に精製することができる。固定によって、２つ以上の上述のことを容易にすることができる。
【０１２４】
（サンプル混合物の分離を含む分離）
いくつかの実施形態では、標識された検体のサンプルまたはサンプル混合物の加工は、分離を含んでもよい。標識された検体、標識されていない検体、標識された検体前駆体または標識されていない標識前駆体、またはこれらのフラクションに対し、１つ以上の分離を行ってもよい。固相捕捉または他の分離プロセスの生成物から得た１つ以上のフラクションに対し、１つ以上の分離を行ってもよい。上述の２つ以上のものに対し、分離を行ってもよい。
【０１２５】
例えば、異なるサンプルから、異なる状態に標識された検体を含むサンプル混合物を調製することができる。異なる状態に標識されたとは、各標識が、同定可能な固有の性質を有する（例えば、ＭＳ／ＭＳ分析で固有の「シグニチャイオン」を生成する固有のレポーター部分を含む）ことを意味する。サンプル混合物を分析するために、サンプル混合物の成分を分離し、サンプル混合物のフラクションにのみ質量分析を行うことができる。この様式では、分離した検体につき、個々に質量を分析することができ、分析プロセスの感度を上げることができるため、分析の複雑化を実質的に低減することができる。もちろん、サンプル混合物の１つ以上のさらなるフラクションについて、分析を１回以上繰り返し、サンプル混合物のすべてのフラクションを分析することができる。
【０１２６】
サンプル混合物中の存在量に比例した濃度または量で、異なる状態に標識された同じ検体を共に溶出させる分離条件を利用し、サンプル混合物に添加した各サンプルの量が既知である場合に、サンプル混合物に含まれる各サンプル中の各標識された検体の量を決定することができる。したがって、いくつかの実施形態では、サンプル混合物を分離することによって、質量分析（例えばＭＳ／ＭＳ分析）で決定されるシグナルと、サンプル混合物中の異なる状態に標識された検体の量との相関関係を維持しつつ、分析を単純化することができる。
【０１２７】
クロマトグラフィーによって分離を行うことができる。例えば、液体クロマトグラフィー／質量分析（ＬＣ／ＭＳ）を利用し、サンプルを分離し、質量分析することができる。さらに、目的の検体を分離するのに適した任意のクロマトグラフィー分離プロセスを使用することができる。例えば、クロマトグラフィー分離は、順相クロマトグラフィー、逆相クロマトグラフィー、イオン交換クロマトグラフィー（すなわち、アニオン交換クロマトグラフィーまたはカチオン交換クロマトグラフィー）、サイズ排除クロマトグラフィーまたはアフィニティークロマトグラフィーであってもよい。
【０１２８】
電気泳動によって分離を行うことができる。使用可能な電気泳動分離技術の非限定例としては、限定されないが、１Ｄ電気泳動分離、２Ｄ電気泳動分離および／またはキャピラリー電気泳動分離が挙げられる。
【０１２９】
同重体化合物の標識試薬または試薬のセットを使用し、サンプルの検体を標識することができる。同重体化合物の標識試薬は、標識試薬のセットの同重体化合物の標識が、本質的に区別できない（フラグメント化して検体からレポーターを除去するまでは、総質量で区別できない）ため、分離工程が行われる場合に、特に有用である。したがって、異なる同重体化合物の標識で標識された同じ組成物のすべての検体を、実際に同じ様式でクロマトグラフィー処理することができる（すなわち、同時溶出）。これらの検体は本質的に区別できないため、分離プロセスの溶出液は、サンプル混合物中の標識された検体の量に比例した量で、それぞれの同重体化合物で標識された検体を含み得る。さらに、サンプル混合物を調製する方法（サンプルの一部分および他の任意成分（例えば、較正標準）を加え、サンプル混合物を調製する）の知識から、サンプル混合物中の標識された検体の量を、元々のサンプル中の標識された検体の量と関連付けることができる。
【０１３０】
標識試薬は、質量が異なる標識試薬（すなわち、異なる総質量を有する標識試薬）であってもよい。質量が異なる標識試薬を使用し、例えば、２つ以上の異なるサンプルの検体を標識することができ、あるセットの異なる標識試薬はすべて別個の質量を有する（すなわち、そのセットの他の試薬と比較して既知の質量差を有する）。そのセットのすべての試薬が既知の質量差を有するため、２個の異なるサンプル中の似た検体の相対量を定量するために、標識試薬をフラグメント化する必要はない。しかし、いくつかの実施形態では、標識試薬はフラグメンテーション可能であってもよい。
【０１３１】
（検体の相対的および絶対的な定量）
いくつかの実施形態では、サンプル混合物中の、異なる状態に標識された同じ検体の相対的な定量が可能である。例えば、異なる状態に標識された検体の相対的な定量は、質量分析（例えば、第１の質量分析で観察されたもののうち、選択され、標識された検体の第２の質量分析）で決定されたレポーターイオン（すなわち、シグニチャイオン）の相対量（例えば、報告されたピークの面積および／または高さ）を比較することによって可能である。違う言い方をすれば、各レポーターイオンが、サンプル混合物を作製するのに使用した特定のサンプルに関する情報と相関関係にある場合、質量分析で観察された、他のレポーターイオンに対するレポーターイオンの相対量は、サンプル混合物中のその検体の相対量である。混合してサンプル混合物を形成する成分（例えば、混合してサンプル混合物を形成する各成分の量）が既知である場合、使用してサンプル混合物を調製する各サンプル中の検体の相対量を、選択された質量電荷比を有する標識された検体で観察されたレポーターイオンの相対量から算出することができる。このプロセスを、第１の質量分析で観察された、異なる状態に標識された検体すべてについて繰り返すことができる。この様式では、サンプル混合物を作製するため使用された各異なるサンプル中の各反応性検体の相対量（濃度および／または量であらわされることが多い）を決定することができる。
【０１３２】
他の実施形態では、検体の絶対的な定量も行うことができる。これらの実施形態では、既知の量の１つ以上の異なる状態に標識された検体（１つ以上の較正標準）をサンプル混合物に加えるか、レポーターイオンの強度を較正曲線と関係付けることができる。
【０１３３】
較正標準は、サンプル混合物を形成するために使用された任意のサンプルと比較した場合に、較正標準に対してレポーター部分が固有である場合に限り、サンプル混合物の検体を標識するのに使用する異性体の標識および／または同重体化合物の標識検体のセットで標識される予想された検体であってもよい。１つ以上の較正標準に対するレポーターイオンの相対量が、サンプル混合物の異なる状態に標識された検体に対するレポーターイオンの相対量と関連して決定されたら、サンプル混合物に添加した１つ以上の較正標準の量を参照して、サンプル混合物中のすべての異なる状態に標識された検体の絶対量（濃度および／または量であらわされることが多い）を算出することができる。この様式で、異なる状態に標識された検体の絶対量（この場合、検体の由来であるサンプル中に較正標準が存在する）を、サンプル混合物を調製した方法の知識に基づいて決定することもできる。
【０１３４】
あるいは、異なる既知の量の標識された検体を含む、標識された検体のそれぞれのサンプルを分析することによって標準曲線を作製することができる。分析対象の標識された検体（同重体化合物のセット）のレポーターイオンのピーク強度または標識された検体（質量が異なるセット）のピーク強度を、それぞれの既知の量の標識された検体についてプロットし、標準曲線を作製することができる。作製したら、未知のサンプルのレポーターイオンまたは標識された検体（適切な場合）の強度を標準曲線と比較し、試験サンプル中の検体の量を決定することができる。
【０１３５】
上述のことにもかかわらず、適切な場合、レポーター部分に含まれる天然に存在する同位体存在量または人工的に作製した同位体存在量について、レポーターイオン（シグニチャイオン）の強度の補正を行うことができる。レポーター部分のシグニチャイオン中の不純物の同位体存在量を補正する多くの様式が存在する。このような補正の例は、同時係属中の権利者が共通の米国特許仮出願公開番号第ＵＳ  ２００５−０１１４０４２  Ａ１号、名称「Ｍｅｔｈｏｄ  ａｎｄ  Ａｐｐａｒａｔｕｓ  Ｆｏｒ  Ｄｅ−Ｃｏｎｖｏｌｕｔｉｎｇ  Ａ  Ｃｏｎｖｏｌｕｔｅｄ  Ｓｐｅｃｔｒｕｍ」（２００４年８月１２日出願）に見出され得る。基本的に、１個の標識試薬の同位体クラスターに関連する質量が大きめのピークおよび小さめのピークの強度は、数式および計算を用いて、標識試薬の重なる同位体クラスターの畳み込みされた（ｃｏｎｖｏｌｕｔｅ）スペクトルを逆畳み込みする（ｄｅｃｏｎｖｏｌｕｔｅ）ことによって決定することができる。値を決定する方法にかかわらず、各レポーターイオン（すなわち、シグニチャイオン）の強度を正確に定量することに注意を払えば払うほど、元々のサンプル中の検体の相対的な定量および絶対的な定量の正確度も増す。
【０１３６】
（プロテオーム分析）
本発明の実施形態は、質量分析技術を用いた迅速かつ繰り返し可能な様式でサンプルを多重化し、分析し、再分析することができるため、複雑な分析に使用することができる。例えば、１つ以上のサンプル中の１つ以上の検体の量について、サンプル混合物を分析することができる。１つ以上の検体の量（濃度および／または量であらわされることが多い）を、サンプル混合物に含まれるサンプルについて決定することができる。サンプルの加工および質量分析を迅速に行うことができるため、これらの方法を何回も繰り返して行うことができ、サンプル混合物の多くの異なる状態に標識された検体の量を、サンプル中に元々含まれていた検体の相対量および／または絶対量に関して決定できる。
【０１３７】
このような迅速な多重分析が有用である１つの適用例は、プロテオーム分析分野である。プロテオームは、生体プロセスの構造、機能および制御の観点で、ゲノム配列でコードされた情報を記述するための実験的アプローチであると考えられ得る。これにより、細胞または組織で発現する全タンパク質成分の全体的な分析を行うことができる。本発明の方法、混合物、キットおよび／または組成物の実施形態と組み合わせて使用する質量分析は、このような広範なタンパク質分析の可能なツールの１つである。
【０１３８】
例えば、９つの同重体化合物の標識試薬のセットを用いると、タンパク質発現の上方制御または下方制御を決定する実験において、例えば、特定の刺激剤に対する成長細胞の応答に基づき、９つの時間点を得ることができる。これより少ない時間点で実施し、１つ以上のコントロールを組み込むことも可能である。同じ多重実験を二連または三連で行うこともできる。あらゆる場合において、タンパク質発現の上方制御または下方制御は、場合により、１つ以上の任意のコントロールおよび／またはサンプルの繰り返しを用いて、１個の多重実験で決定することができる。さらに、サンプル混合物の加工は並行して行われるので、結果は直接比較され、プロトコルまたは実験条件におけるわずかな違いを考慮するための補正をする必要がない。したがって、これらの同重体化合物の標識試薬を使用可能な実験的分析としては、限定されないが、経時試験、バイオマーカー分析、多重プロテオーム解析、多次元タンパク質特定（ｍｕｄｐｉｔ）試験、アフィニティープルダウン（ａｆｆｉｎｉｔｙ  ｐｕｌｌ−ｄｏｗｎ）、翻訳後修飾（ＰＴＭ）の決定および多重コントロール試験が挙げられる。
【０１３９】
（ＩＩ  組成物）
いくつかの実施形態では、本発明は、式Ｉによってあらわされる組成物（その塩形態および／または水和物形態を含む）に関する。
【０１４０】
【化９】
2010249838.tif 000069
式中、Ｙ−Ｊ基は任意のレポーター基であってもよい。適切なレポーター基の特徴は、本明細書ですでに記載したとおりである。適切なレポーター基の特徴は、米国特許出願公開番号ＵＳ  ２００４−０２１９６８５−Ａ１号の特に４１〜４７パラグラフにも記載している。
【０１４１】
例えば、レポーターは、Ｙ基と同様に５、６または７員環へテロ環を含んでもよく、ヘテロ環は、置換されているか、または置換されていなくてもよく、場合により、支持体に開裂可能に結合していてもよく、ヘテロ環は、共有結合を介してＪ基に結合する少なくとも１個の窒素環原子を含む。Ｊ基は、式−ＣＪ２’−によってあらわされる、置換されているかまたは置換されていないメチレン基であってもよく、各Ｊ’は、他と独立して、水素、重水素、フッ素、塩素、臭素、ヨウ素、−Ｒ３、−ＯＲ３、−ＳＲ３、−Ｒ３’ＯＲ３または−Ｒ３’ＳＲ３であってもよい。Ｋ基は、式−（ＣＫ’２）ｎ−または−（（ＣＫ’２）ｍ−Ｘ２−（ＣＫ’２）ｍ）ｐ−であらわされる基であってもよく、ｎは０であるか、または２〜１０の整数であり、各ｍは、他と独立して、１〜５の整数であり、ｐは１〜４の整数であり、各Ｋ’は、他と独立して、水素、重水素、フッ素、塩素、臭素、ヨウ素、−Ｒ４、−ＯＲ４、−ＳＲ４、−Ｒ４’ＯＲ４または−Ｒ４’ＳＲ４である。Ｒ１基およびＲ２基に関し、以下のいずれかである。（１）Ｒ１が、水素、重水素またはＲ６であり、Ｒ２が、水素、重水素またはＲ７であるか；または（２）Ｒ１とＲ２とが一緒になったものが、２個の窒素原子を架橋する環を形成する式−（ＣＲ’２）ｑ−または−（（ＣＲ’２）ｍ−Ｘ２−（ＣＲ’２）ｍ）ｐ−であらわされる基であり、ｑは１〜１０の整数であり、各ｍは、他と独立して、１〜５の整数であり、ｐは１〜４の整数であり、各Ｒ’は、他と独立して、水素、重水素、フッ素、塩素、臭素、ヨウ素、−Ｒ５、−ＯＲ５、−ＳＲ５、−Ｒ５’ＯＲ５または−Ｒ５’ＳＲ５である。Ｘ１原子またはＸ１基は、＝Ｏ、＝Ｓ、＝ＮＨまたは＝ＮＲ７であってもよい。Ｘ２原子またはＸ２基は、−Ｏ−または−Ｓ−であってもよい。Ｚ基は、水素であるか、または共有結合した検体であってもよい。Ｒ３、Ｒ４、Ｒ５、Ｒ６および／またはＲ７は、それぞれ他と独立して、アルキル、アルケニル、アルキニル、アリール、ヘテロアリールまたはアリールアルキルであってもよい。例えば、Ｒ３、Ｒ４、Ｒ５、Ｒ６および／またはＲ７は、他と独立して、メチル、エチル、ｎ−プロピル、イソプロピル、ｎ−ブチル、イソブチル、ｓｅｃ−ブチルまたはｔｅｒｔ−ブチルであってもよい。Ｒ３’、Ｒ４’および／またはＲ５’は、それぞれ他と独立して、アルキレン、アルケニレン、アルキニレン、アリーレンまたはアルキルアリーレンであってもよい。例えば、Ｒ３’、Ｒ４’および／またはＲ５’は、それぞれ他と独立して、メチレン、エチレン、プロピレン、シクロプロピレン、ｎ−ブチレン、シクロブチレン、ｎ−ペンチレン、シクロペンチレン、ｎ−ヘキシレンまたはシクロヘキシレンであってもよい。
【０１４２】
いくつかの実施形態では、Ｙ−Ｊは、上述の式Ｘ１、Ｘ２、Ｘ３、Ｘ４、Ｘ５、Ｘ６、Ｘ７、Ｘ８またはＸ９によってあらわされる基であってもよい。いくつかの実施形態では、Ｙ−Ｊは、上述の式Ｘ１０、Ｘ１１、Ｘ１２、Ｘ１３、Ｘ１４、Ｘ１５、Ｘ１６、Ｘ１７、Ｘ１８、Ｘ１９、Ｘ２０、Ｘ２１、Ｘ２２、Ｘ２３、Ｘ２４、Ｘ２５またはＸ２６によってあらわされる基であってもよい。
【０１４３】
本組成物は、同位体が濃縮されて（すなわち、コードされて）いてもよい。本組成物は、１つ以上の重原子同位体を含むように同位体が濃縮されていてもよい。本組成物は、２つ以上の重原子同位体を含むように同位体が濃縮されていてもよい。本組成物は、３つ以上の重原子同位体を含むように同位体が濃縮されていてもよい。本組成物は、４つ以上の重原子同位体を含むように同位体が濃縮されていてもよい。
【０１４４】
５、６または７員環へテロ環は、少なくとも１個の窒素原子を含み、この原子にＪ基が共有結合した任意の５、６または７員環へテロ環であってもよい。例えば、置換されているかまたは置換されていないモルホリン、ピペリジンまたはピペラジンであってもよい。可能な置換基は、「定義」の章ですでに記載しており、ヘテロ環は、１つ以上の上述の置換基を含んでもよい。例えば、置換基は、水素、重水素、メチル、−Ｃ（Ｈ）２Ｄ、−Ｃ（Ｈ）Ｄ２、−ＣＤ３または他のアルキルであってもよい（それぞれの場合において、「Ｄ」は重水素である）。置換基は環のヘテロ原子に結合していてもよい。例えば、ヘテロ環は、Ｎ−メチルピペラジンであってもよい。ヘテロ環は、芳香族であっても非芳香族であってもよい。
【０１４５】
いくつかの実施形態では、レポーター部分は、支持体に開裂可能に結合していてもよい。種々の支持体は、当該技術分野で周知である。例えば、トリチル部分を含む種々の支持体は、市販されているか、またはそうでなければ調製することができる（例えば、塩化トリチル支持体（トリチル−Ｃｌ）または２−クロロトリチルクロリド支持体）。
【０１４６】
例えば、標識試薬のレポーター部分のアミノ基、ヒドロキシル基またはチオール基を、適切な支持体の開裂可能なリンカーと反応させることができる。開裂可能なリンカーは、「立体的に嵩高い開裂可能なリンカー」であってもよい。開裂可能なリンカーの開裂によって、支持体から標識または標識された検体が放出される。立体的に嵩高い固体支持体の非限定例としては、塩化トリチル樹脂（トリチル−Ｃｌ、Ｎｏｖａｂｉｏｃｈｅｍ、Ｐ／Ｎ
０１−６４−００７４）、２−クロロトリチルクロリド樹脂（Ｎｏｖａｂｉｏｃｈｅｍ、Ｐ／Ｎ  ０１−６４−００２１）、ＤＨＰＰ（Ｂａｃｈｅｍ、Ｐ／Ｎ  Ｑ−１７５５）、ＭＢＨＡ（Ａｐｐｌｉｅｄ  Ｂｉｏｓｙｓｔｅｍｓ、Ｐ／Ｎ  ４００３７７）、４−メチルトリチルクロリド樹脂（Ｎｏｖａｂｉｏｃｈｅｍ、Ｐ／Ｎ  ０１−６４−００７５）、４−メトキシトリチルクロリド樹脂（Ｎｏｖａｂｉｏｃｈｅｍ、Ｐ／Ｎ  ０１−６４−００７６）、ヒドロキシ−（２−クロロフェニル）メチル−ＰＳ（Ｎｏｖａｂｉｏｃｈｅｍ、Ｐ／Ｎ  ０１−６４−０３４５）、Ｒｉｎｋ  Ａｃｉｄ  Ｒｅｓｉｎ（Ｎｏｖａｂｉｏｃｈｅｍ  Ｐ／Ｎ  ０１−６４−０３８０、０１−６４−０２０２）、ＮｏｖａＳｙｎ  ＴＧＴ  アルコール樹脂（Ｎｏｖａｂｉｏｃｈｅｍ、Ｐ／Ｎ  ０１−６４−００７４）が挙げられる。多くの他の開裂可能なリンカーが当該技術分野で既知であり、そして市販の物質のみを用い、通常の実験および本明細書中で与えられる教示内容を用い、適切な支持体を調製するのに使用することができる。
【０１４７】
したがって、いくつかの実施形態では、５、６または７員環のヘテロ環は、自身を適切な支持体に開裂可能に結合するのを容易にする原子または基を含んでもよい。例えば、その基は、アミノ基、ヒドロキシル基またはチオール基を含有する、アルキレン基、アルケニレン基、アルキニレン基、アリーレン基またはアルキルアリーレン基であってもよい。上述の原子は、ピペラジン環の二級窒素であってもよい。例示的なピペラジン化合物およびその製造方法に関する議論は、公開された米国特許出願公開番号第ＵＳ  ２００４−０２１９６８５  Ａ１号に見出され得る。例えば、上述の支持体に結合したＮ−アルキルピペラジン酢酸化合物をジアミンと反応させ、ついで二酸と反応させ、標識試薬として使用可能な支持体に結合した化合物を生成させることができる。ここで、同位体によるコーディングは、反応剤の性質に基づいて可能である。
【０１４８】
再び式Ｉを参照し、Ｙ−Ｊ−基（支持体に開裂可能に結合しているか否かにかかわらない）は、レポーター部分を形成してもよい。レポーター部分は、少なくとも１箇所の同位体が濃縮された部位を含んでいてもよい。レポーター部分は、少なくとも２箇所の同位体が濃縮された部位を含んでいてもよい。レポーター部分は、３箇所、４箇所、５箇所、６箇所、７箇所、８箇所、９箇所、１０箇所、１１箇所、１２箇所、１３箇所、１４箇所、１５箇所、１６箇所、１７箇所、またはそれ以上の同位体が濃縮された部位を含んでいてもよい。
【０１４９】
レポーター部分は、固定された電荷を有していてもよく、質量分析計中にてイオン化させることもできる。例えば、塩基性基（例えばアミン基）を含有する化合物は、容易にプロトン化され、そして電荷が導入され、酸性化合物（例えば、カルボン酸基）は、容易に脱プロトン化され、電荷が導入される（Ｒｏｔｈ，Ｋｅｎｎｅｔｈら、「Ｃｈａｒｇｅ  Ｄｅｒｉｖａｔｉｚａｔｉｏｎ  ｏｆ  Ｐｅｐｔｉｄｅｓ  ｆｏｒ  Ａｎａｌｙｓｉｓ  ｂｙ  Ｍａｓｓ  Ｓｐｅｃｔｒｏｍｅｔｒｙ」，Ｍａｓｓ  Ｓｐｅｃｔｒｏｍｅｔｒｙ  Ｒｅｖｉｅｗｓ，１７：２５５−２７４（１９９８）を参照）。
【０１５０】
バランス（リンカー）部分は、式Ｉ＃
【０１５１】
【化１０】
2010249838.tif 000070
によってあらわされる基によって形成されてもよく、式中、Ｒ１、Ｒ２、Ｘ１およびＫは、すでに定義したとおりである。バランス部分は、少なくとも１箇所の同位体が濃縮された部位を含んでもよい。バランス部分は、少なくとも２箇所の同位体が濃縮された部位を含んでいてもよい。バランス部分は、３箇所、４箇所、５箇所、６箇所、７箇所、８箇所、９箇所、１０箇所、１１箇所、１２箇所、１３箇所、１４箇所、１５箇所、１６箇所、または１７箇所、またはそれ以上の同位体が濃縮された部位を含んでいてもよい。
【０１５２】
いくつかの実施形態では、本組成物は、式ＩＩ
【０１５３】
【化１１】
2010249838.tif 000071
（その塩形態および／または水和物形態を含む）によってあらわすことができ、式中、Ｗは、６員環ヘテロ環の少なくとも１つのＭ基を置換している原子または基であり、この６員環の窒素のオルト位、メタ位またはパラ位に位置している。Ｗ基は、−Ｎ（Ｈ）−、−Ｎ（Ｒ”）−、−Ｎ（Ｒ”’）−、−Ｐ（Ｒ”）−、−Ｐ（Ｒ”’）−、−Ｏ−または−Ｓ−であってもよい。−Ｎ（Ｒ”’）−または−Ｐ（Ｒ”’）−が選択される場合、この基は、本組成物を支持体に開裂可能に結合するために使用することができる。残りのＭ基はそれぞれ、他と独立して、−ＣＭ’２−であってもよく、Ｍ’は、それぞれ他と独立して、水素、重水素、フッ素、塩素、臭素、ヨウ素、−Ｒ８、−ＯＲ８、−ＳＲ８、−Ｒ８’ＯＲ８または−Ｒ８’ＳＲ８であってもよい。Ｊ基、Ｋ基、Ｘ１基、Ｒ１基、Ｒ２基およびＺ基は、すでに定義したとおりである。各Ｒ”は、他と独立して、アルキル、アルケニル、アルキニル、アリール、ヘテロアリールまたはアリールアルキルであってもよく、各Ｒ”’は、Ｈ２Ｎ−Ｒ９’−、Ｈ（Ｒ１０）Ｎ−Ｒ９’−、（Ｒ１０）２Ｎ−Ｒ９’−、ＨＯ−Ｒ９’−、ＨＳ−Ｒ９’−であるか、または支持体に化合物を開裂可能に結合する開裂可能なリンカーであってもよい。Ｒ８および／またはＲ１０は、それぞれ他と独立して、アルキル、アルケニル、アルキニル、アリール、ヘテロアリールまたはアリールアルキルであってもよく、Ｒ８’および／またはＲ９’は、それぞれ他と独立して、アルキレン、アルケニレン、アルキニレン、アリーレンまたはアルキルアリーレンであってもよい。
【０１５４】
いくつかの実施形態では、本組成物は、式ＩＩＩ
【０１５５】
【化１２】
2010249838.tif 000072
（その塩形態および／または水和物形態を含む）によってあらわすことができ、式中、ｓは０〜５の整数であってもよい。Ｒ１基、Ｒ２基およびＺ基はすでに定義したとおりである。Ｒ１１原子またはＲ１１基は、水素、重水素、メチル、−Ｃ（Ｈ）２Ｄ、−Ｃ（Ｈ）Ｄ２、−ＣＤ３、他のアルキルまたは−Ｒ”’であってもよく、Ｒ”’は、すでに定義したとおりである。例えば、本組成物は、以下に示す化合物Ｖ〜ＸＩＩまたはＸＸＶ〜ＸＸＸＩＩのうち１つから選択することができる（その塩形態および／または水和物形態を含む）。
【０１５６】
【化１３】
2010249838.tif 000073
【０１５７】
【化１４】
2010249838.tif 000074
【０１５８】
【化１５】
2010249838.tif 000075
〔式中、＊は、適切な場合、１２Ｃと置き換わった１３Ｃ、１４Ｎと置き換わった１５Ｎまたは１６Ｏと置き換わった１８Ｏを含む同位体が濃縮された部位を示し、Ｚは、水素であるか、または共有結合した検体である。〕
いくつかの実施形態では、本組成物は、式ＩＶによってあらわすことができる（その塩形態および／または水和物形態を含む）。
【０１５９】
【化１６】
2010249838.tif 000076
〔式中、Ｒ１１およびＺはすでに定義されたとおりである。〕
例えば、本組成物は、以下に示す化合物ＸＶ〜ＸＸＩＩＩまたはＸＸＸＶ〜ＸＸＸＸＩのうち１つから選択することができる（その塩形態および／または水和物形態を含む）。
【０１６０】
【化１７】
2010249838.tif 000077
【０１６１】
【化１８】
2010249838.tif 000078
【０１６２】
【化１９】
2010249838.tif 000079
〔式中、＊は、適切な場合、１２Ｃと置き換わった１３Ｃ、１４Ｎと置き換わった１５Ｎまたは１６Ｏと置き換わった１８Ｏを含む同位体が濃縮された部位を示し、Ｚは、水素であるか、または共有結合した検体である。〕
いくつかの実施形態では、本組成物は、式ＩＩＩ＊によってあらわすことができる（その塩形態および／または水和物形態を含む）。
【０１６３】
【化２０】
2010249838.tif 000080
〔式中、Ｒ１１およびＺはすでに定義されたとおりである。〕
例えば、本組成物は、以下に示す化合物Ｍ〜ＭＶまたはＭＶＩ〜ＭＸＩＩＩのうち１つから選択することができる（その塩形態および／または水和物形態を含む）。
【０１６４】
【化２１】
2010249838.tif 000081
【０１６５】
【化２２】
2010249838.tif 000082
【０１６６】
【化２３】
2010249838.tif 000083
〔式中、＊は、適切な場合、１２Ｃと置き換わった１３Ｃ、１４Ｎと置き換わった１５Ｎまたは１６Ｏと置き換わった１８Ｏを含む同位体が濃縮された部位を示し、Ｚは、水素であるか、または共有結合した検体である。〕
上述のように、本組成物は、塩形態および／または水和物形態で存在してもよい。本組成物が、塩形態で存在するか否かは、典型的には、置換基の性質および数、ならびに本組成物が存在する条件および／または単離される条件に依存する。アミンのような塩基性基は、酸で処理することによってプロトン化し、アミン塩を生成することは周知である。例えば、ピペラジンを含有する標識試薬は、１ＴＦＡ塩、１ＨＣｌ塩、２ＴＦＡ塩または２ＨＣｌ塩として得ることができる（例えば、米国特許出願公開番号第ＵＳ  ２００５−０１４８７７１  Ａ１を参照）。カルボン酸のような酸性基は、塩基で処理することによって脱プロトン化してカルボン酸塩を生成し得ることも周知である。同上。アミンのような塩基性基およびカルボン酸のような酸性基を両方とも含む化合物は、双性イオン形態として存在してもよいことは周知である。本組成物が存在する任意の溶液のｐＨ、または単離する場合、本組成物の単離溶液のｐＨに依存して、本組成物のこれらの官能基のすべての塩形態およびイオン化状態が考慮される。当業者は、本明細書で与えられる開示内容および通常の実験のみを用いて、本明細書に開示する組成物の塩形態の電荷状態および任意の対イオンの性質を操作する方法を確実に理解する。
【０１６７】
組成物が水和物で存在するか否かは、組成物が存在する状態または単離する状態に依存してもよい。水和物は、単に、１つ以上の錯形成した水分子を含む。本開示内容は、任意の可能な水和物形態またはこれらの組み合わせを想定している。
【０１６８】
上述のように、Ｚ基は、共有結合した検体であってもよい。上述の検体は、検体と標識試薬との反応によって調製することができる。検体は、任意の検体であってもよい。例えば、Ｚ基は、ペプチドまたはタンパク質であってもよい。
【０１６９】
Ｚ基は、水素であってもよく、求核性反応基を含んでいてもよい。
【０１７０】
標識試薬は、同重体化合物の標識のセットおよび／または質量が異なる標識のセットであり得るセットにまとめることができる。標識試薬の他の性質はすでに開示している。例えば、標識試薬は、同じサンプル中の１つ以上の検体、または２つ以上の異なるサンプル中の１つ以上の検体を多重分析するのに有用である。
【０１７１】
標識試薬は、同位体が濃縮されて（すなわち、コードされて）いてもよい。標識試薬は、１つ以上の重原子同位体を含むように同位体が濃縮されていてもよい。標識試薬は、２つ以上の重原子同位体を含むように同位体が濃縮されていてもよい。標識試薬は、３つ以上の重原子同位体を含むように同位体が濃縮されていてもよい。標識試薬は、４つ以上の重原子同位体を含むように同位体が濃縮されていてもよい。
【０１７２】
いくつかの実施形態では、本発明の組成物は、標識された較正標準であってもよい。本明細書で記載されるように、既知の量の較正標準を混合物に加え、目的の検体の絶対量の分析を容易にすることができる。したがって、いくつかの実施形態では、本発明は、同重体化合物の標識試薬および／または質量が異なる標識試薬で標識された検体（例えば、目的のペプチド）に関する。したがって、標識された較正標準は、本明細書に記載される標識試薬で標識された任意の検体であってもよい。標識試薬は、同重体化合物の標識試薬および／または質量が異なる標識試薬から選択されてもよい。
【０１７３】
（ＩＩＩ．標識方法および分析方法）
本発明のいくつかの実施形態によれば、検体を標識し、決定することができる。標識された検体、検体自体、検体の１つ以上のフラグメントおよび／または標識のフラグメントは、質量分析によって決定することができる。いくつかの実施形態では、本発明の方法は、同じサンプル中の異なる検体を分析するのに使用することができ、２つ以上の異なるサンプル中の同じ検体および／または異なる検体を多重分析するのに使用することができる。２つ以上のサンプルを混合し、サンプル混合物を作製することができる。多重分析では、標識試薬を使用し、検体の由来となるサンプル混合物のサンプルを決定することができる。組み合わせてサンプル混合物を作製する２つ以上の各サンプル中の検体の絶対的および／または相対的な（例えば、異なるサンプル中の同じ検体に関する）量（濃度または量であらわされることが多い）を決定することができる。さらに、検体のフラグメント（例えば、娘フラグメントイオン）の質量分析を使用し、検体および／または検体の前駆体（例えば、分解して検体になる前駆体分子）を同定することができる。
【０１７４】
分析で使用するサンプルは、本明細書に開示の標識試薬で標識可能な検体を含む任意のサンプル（例えば、見出し「組成物」に記載されるもの）であってもよい。例えば、サンプルは、粗細胞溶解物、加工した細胞溶解物、体液、組織抽出物または細胞抽出物であってもよい。サンプルは、分離プロセスから得たフラクションであってもよい。他の可能な種類のサンプルは、本明細書にすでに記載した。
【０１７５】
サンプル中の検体は、標識試薬で標識可能な任意の検体であってもよい。例えば、検体は、ペプチドおよび／またはタンパク質であってもよい。他の可能な種類の検体は、本明細書にすでに記載した。
【０１７６】
上述のアプローチの特徴は、異なるサンプル由来の検体を、化学的に同重体の化合物（同じ総質量を有する）か、または質量が異なるタグである固有の標識で異なる状態に標識する（すなわち、コードする）ことができ、検体の由来となるサンプルを同定することができる点にある。同重体化合物の標識試薬の場合、異なる状態に標識された検体は、すべて同じ（総）質量電荷比を有するため、質量分析計のＭＳモードでは区別されない。あるセットの標識試薬は、標識された検体が、第１の質量分析の前に混合物に適用され得る分離技術（例えば、クロマトグラフィーまたは電気泳動）によって区別できないように選択されることが多い。しかし、解離エネルギー（例えば、衝突誘起解離（ＣＩＤ））を与えると、標識は、フラグメント化し、質量分析計で質量（質量電荷比）によって分割可能な固有のレポーターイオンを与え得る。ＭＳ／ＭＳ（またはＭＳｎであり、ｎは１より大きな整数である）質量スペクトルによって観察される固有のレポーターイオンのそれぞれの相対量は、サンプル混合物中の標識された検体の相対量と相関関係にあり得、暗に、由来となるサンプル中の検体の相対量と相関関係にあり得る。したがって、レポーターイオン（すなわちシグニチャイオン）の相対強度を使用し、混合してサンプルを作製した２つ以上の異なるサンプル中の１つ以上の検体の相対量を決定することができる。レポーターイオンの情報から、２つ以上のサンプル中の１つ以上の検体の絶対量（濃度および／または量で表されることが多い）は、絶対的な定量が望ましい各検体の較正標準が、既知の量でサンプル混合物に組み込まれる場合、または、レポーターイオンまたは標識された検体の較正曲線が利用可能である場合に、誘導することができる。
【０１７７】
例えば、検体は、サンプルを加工するための酵素消化反応を用いての、タンパク質分解から生じるペプチドであってもよい。タンパク質分解は、１つ以上のタンパク質分解酵素（例えば、トリプシン、パパイン、ペプシン、ＡｒｇＣ、ＬｙｓＣ、Ｖ８プロテアーゼ、ＡｓｐＮ、プロナーゼ、キモトリプシンまたはカルボキシペプチダーゼ）でサンプルを処理することによって達成することができる。サンプル混合物中のペプチドの同定および量を決定し、由来となるサンプルを同定し、場合により、そのサンプル由来の他のペプチドの決定と組み合わせることによって、分解したペプチドへの前駆体タンパク質を、由来となるサンプルに関し、同定および／または定量することができる。本方法が、１個より多くのサンプル（すなわちサンプル混合物）中の１つ以上のタンパク質の多重の決定を可能にするため、この方法は多重法である。
【０１７８】
その結果、いくつかの実施形態では、本発明は、それぞれ１つ以上の反応性検体を含む２つ以上のサンプルと、標識試薬のセットを含む異なる標識試薬とを反応させ、それぞれ１つ以上の標識された検体を含む２つ以上の異なる状態に標識されたサンプルを形成させる工程を含む方法に関する。標識試薬は、同重体化合物の標識試薬および／または質量が異なる標識試薬のセットから選択されてもよい。
【０１７９】
例えば、上述のセットの異なる標識試薬は、式Ｉ’
【０１８０】
【化２４】
2010249838.tif 000084
（その塩形態および／または水和物形態を含む）によってあらわすことができ、Ｙ、Ｊ、Ｋ、Ｒ１、Ｒ２およびＸ１であらわされる原子または基は、すでに定義したとおりである。いくつかの実施形態では、Ｙは、置換されているかまたは置換されていないモルホリン部分、ピペリジン部分またはピペラジン部分であってもよい。
【０１８１】
いくつかの実施形態では、あるセットの標識試薬は、同重体化合物および／または異性体であってもよく、このセットの異なる標識試薬は、それぞれ同じ総質量を有するが、Ｙ−Ｊ基のＪ基と、標識試薬の残りの部分との結合が質量分析計中でフラグメント化する場合、固有の質量を有するレポーターイオンが生成されるように、各異なる標識試薬のレポーター部分を形成するＹ−Ｊ基は、１箇所以上の同位体が濃縮された部位で固有にコードされる。いくつかの実施形態では、レポーター部分は、置換されているかまたは置換されていないピペリジン基、ピペラジン基またはモルホリン基を含んでいてもよい。
【０１８２】
いくつかの実施形態では、標識試薬は、セット内のすべての標識が異なる質量を有する、質量が異なるタグのセットであってもよい。これらの標識試薬は、分析が典型的にはＭＳ１モードで行われるため、必須ではないが、解離エネルギーをかけるとフラグメント化するように設計することができる。したがって、いくつかの実施形態では、Ｙ−Ｊ基のＪ基と、標識試薬の残りの部分との結合が質量分析計中でフラグメント化する場合、固有の質量を有するレポーターイオンが生成されるように、このセットの異なる標識試薬のそれぞれのＹ−Ｊ基は、１箇所以上の同位体が濃縮された部位で固有にコードされる。
【０１８３】
このセットが、同重体化合物（および／または異性体）であるか、または質量が異なっているかにかかわらず、標識試薬がレポーターイオンを生成可能である場合、標識試薬は、いくつかの実施形態では、それぞれが固有の質量を有するように選択することができる。その結果、固有の質量を有する各レポーターイオンを使用し、各標識された検体の由来となるサンプルを同定することができる。
【０１８４】
式Ｉ’の試薬は、求核性窒素を含み、この求核性窒素は、検体のカルボン酸部分と反応し、アミドを形成することができる。求核性窒素は、検体のアルデヒドまたはケトンとも反応し得るが、典型的には、シッフ塩基（ｓｈｉｆｔｓ  ｂａｓｅ）が還元され、安定な付加物を形成する。形成方法にかかわらず、サンプル混合物の標識された検体は、式Ｉ”
【０１８５】
【化２５】
2010249838.tif 000085
（その塩形態および／または水和物形態を含む）によってあらわすことができ、Ｙ、Ｊ、Ｋ、Ｒ１、Ｒ２およびＸ１であらわされる原子または基は、すでに定義したとおりであり、Ｚ”基は、共有結合した検体であってもよい。いくつかの実施形態では、変数のＹは、置換されているかまたは置換されていないモルホリン基、ピペリジン基またはピペラジン基であってもよい。
【０１８６】
標識化プロセスによって、それぞれ１つ以上の標識された検体を含む、２つ以上の異なる状態に標識されたサンプルを製造することができる。各サンプルの検体が、サンプルに固有の標識試薬で標識されると、２つ以上の異なる状態に標識されたサンプルまたはその一部分を混合し、サンプル混合物を作製することができる。サンプル混合物は、場合により、１つ以上の較正標準を含んでいてもよい。
【０１８７】
混合してサンプル混合物を作製する各サンプルの体積および／または量を記録していてもよい。サンプル混合物の合計サンプル体積および／または合計サンプル量に対する、各サンプルの体積および／または量を使用し、サンプル混合物の分析から、各サンプル中の同定された検体の量（濃度および／または量であらわされることが多い）を決定するために使用可能な比率を決定することができる。それゆえに、サンプル混合物は、複雑な混合物を含んでいてもよく、同じ検体および／または異なる検体の相対量は、２つ以上の各サンプル中の検体の量を相対的に定量するか、または較正標準をサンプル混合物に加えて絶対的に定量することによって、同定および／または定量可能である。
【０１８８】
同重体化合物の標識試薬のセットの場合、混合物は、例えば、分光技術に供することができる。第１の質量分析は、第１の質量分析計を用いて、サンプル混合物またはそのフラクションについて行うことができる。次いで、第１の質量分析から得た特定の質量電荷比を有するイオンを選択することができる。選択されたイオンに解離エネルギー（例えば、衝突誘起解離（ＣＩＤ））を与え、選択されたイオンのフラグメンテーションを誘起することができる。標識された検体の選択されたイオンに解離エネルギーを与えることによって、選択されたイオンの少なくとも一部分でフラグメント化し得る。いくつかの実施形態では、両結合のフラグメンテーションによって、レポーター／リンカー部分がフラグメント化し、イオン化したレポーター部分（すなわち、レポーターイオンまたはシグニチャイオン）が検体から放出され得る。このような種々の標識試薬のフラグメンテーションの例を図１ａ〜１ｃに示す。解離エネルギーによる選択されたイオンのフラグメンテーションにより、検体の娘フラグメントイオンが生成され得る。次いで、イオン（残りの選択されたイオン、娘フラグメントイオンおよびイオン化したレポーター部分（すなわちシグニチャイオン））またはこれらのフラクションを、第２の質量分析器へと向かわせることができる。
【０１８９】
第２の質量分析計では、選択されたイオンおよびそのフラグメントについて、第２の質量分析を行うことができる。第２の質量分析は、選択された質量電荷比で存在する各固有のレポーターイオンの総質量（つまりｍ／ｚ）および相対量と、サンプル混合物の少なくとも１つの標識された検体の娘フラグメントイオンのいくつかまたはすべての質量（総質量および／または絶対質量）を決定することができる。選択された質量電荷比で存在する各検体について、娘フラグメントイオンを使用し、選択された質量電荷比で存在する１つ以上の検体を同定することができる。例えば、この分析は、すでに「コンピューターによるデータベース分析による、検体の決定」の章に記載したように行うことができる。このように、いくつかの実施形態では、本方法は、第２の質量分析において、各シグニチャイオンの総質量および相対量を決定し、第２の質量分析において、娘フラグメントイオンのいくつかまたは全ての総質量および／または絶対質量を決定する工程をさらに含む。試薬が同重体化合物のセットであるか、質量が異なるセットであるか、または同重体化合物と質量が異なる試薬との組み合わせであるかにかかわらず、レポーターイオンおよび娘フラグメントイオンに関する関連情報が、同じデータセットまたはスペクトルに存在しているため、１個の質量スペクトルまたはこのスペクトルを作製するのに使用された１個のデータセットの分析によって、検体の同定および定量を得ることが可能である。いくつかの実施形態では、本方法は、娘フラグメントイオンを分析することによって、選択された質量電荷比と関連する標識された検体（および／またはその前駆体）を決定する工程をさらに含む。
【０１９０】
いくつかの実施形態では、本プロセスの特定の工程を１回以上繰り返してもよい。例えば、いくつかの実施形態では、第１の質量分光法分析から得た、選択された質量電荷比を有するイオンは、任意の前に選択された質量電荷比とは異なった値を有しており、上述のように、これを解離エネルギーで処理し、選択されたイオンの少なくともいくつかのイオン化したレポーター部分（すなわちシグニチャイオン）および娘フラグメントイオンを形成させ得る。選択されたイオン、レポーターイオンおよび／または娘フラグメントイオン、またはそれらのフラクションの第２の質量分析を行うことができる。第２の質量分析における各固有のシグニチャイオンの総質量および相対量、および娘フラグメントイオンの質量（総質量または絶対質量）も決定することができる。場合により、選択された質量電荷比と関連する標識された検体（または前駆体分子）は、娘フラグメントイオンを分析することによって決定することができる。この様式では、第１の質量分析から、１つ以上のさらなる検体を同定および／または定量するために、情報を利用することができる。
【０１９１】
いくつかの実施形態では、サンプル混合物がフラクション化されている（例えば、クロマトグラフィーまたは電気泳動で分離されている）場合、プロセスを１回以上繰り返すことが有用である場合もある。例えば、サンプルの１つ以上のさらなるフラクションについて、このプロセスを繰り返すことによって、サンプル混合物全体を分析することができる。いくつかの実施形態では、プロセス全体を１回以上繰り返し、繰り返しの各回で、特定の工程を上述のように１回以上繰り返してもよいことが想定されている。この様式では、サンプル混合物の内容物を詳しく調べ、可能な範囲で最も完全な程度まで決定することができる。プロセス全体を、２つ以上のサンプルの新しいセットについて繰り返してもよい。
【０１９２】
第１および第２の質量分析を、タンデム質量分析計で行ってもよいことを質量分析の当業者は理解する。タンデム質量分析を行うのに適した装置は、本明細書ですでに記載した。タンデム質量分析計が好ましいが、一段階質量分析計を使用してもよい。例えば、検体のフラグメンテーションは、コーン電圧（ｃｏｎｅ−ｖｏｌｔａｇｅ）フラグメンテーションによって誘起し、次いで、得られたフラグメントを一段階四重極質量分析計または飛行時間質量分析計で分析してもよい。他の例では、検体に、レーザー源を用いて解離エネルギーを与え、得られたフラグメントを、飛行時間型質量分析計またはタンデム飛行時間（ＴＯＦ−ＴＯＦ）型質量分析計でポストソース分解後に記録してもよい。
【０１９３】
上述のように、いくつかの実施形態では、標識試薬または標識試薬のセットを支持体に結合してもよい。したがって、標識された検体が支持体に再捕捉される場合を除き、上述の方法は、支持体に結合した試薬で実行することができる。この場合、いくつかの実施形態では、本発明は、上に開示したいずれかの方法の実施に関し、上述のセットの異なる標識試薬は、それぞれ支持体に結合しており、開裂可能なリンカーを介して支持体に結合し、その結果、異なるサンプルがそれぞれ、このセットの異なる標識試薬を保持する支持体と反応する。ここで本方法は、サンプルを標識する工程の実施の後で、標識されたサンプルを混合してサンプル混合物を調製する工程の実施の前に、（ｉ）場合により、各支持体を洗浄し、支持体に結合した標識試薬の反応基と反応しない各サンプルの成分を除去する工程と、（ｉｉ）開裂可能なリンカーを開裂させ、各支持体から標識された検体を放出させ、各異なる状態に標識されたサンプルは、１つ以上の標識された検体を含み、特定のサンプルと関連する標識された検体が、これに結合した固有の質量を有するレポーター部分によって同定可能および／または定量可能である工程と、（ｉｉｉ）場合により、混合する前に、標識された検体の各サンプルを集める工程とをさらに含む。
【０１９４】
いくつかの実施形態では、本発明の方法は、サンプルの検体を標識する工程の実施の前に、各サンプルを少なくとも１つの酵素で、消化して、部分的または完全なサンプル成分に分解する工程をさらに含んでもよい（上の「サンプルの加工」の章を参照）。例えば、酵素は、プロテアーゼ（タンパク質および／またはペプチドを分解するため）、ヌクレアーゼ（核酸を分解するため）であってもよい。２つ以上の酵素を一緒に使用し、サンプル成分をさらに分解してもよい。例えば、酵素は、トリプシン、パパイン、ペプシン、ＡｒｇＣ、ＬｙｓＣ、Ｖ８プロテアーゼ、ＡｓｐＮ、プロナーゼ、キモトリプシンまたはカルボキシペプチダーゼ（例えば、カルボキシペプチダーゼＡ、Ｂ、Ｃなど）のようなタンパク質分解酵素であってもよい。
【０１９５】
いくつかの実施形態では、これらの方法は、第１の質量分析を行う前に、サンプル混合物を分離する工程をさらに含んでもよい（「サンプル混合物の分離を含む分離」の章も参照）。この様式では、第１の質量分析は、サンプル混合物のフラクションについてだけ行ってもよい。分離は、クロマトグラフィーおよび／または電気泳動を含む、任意の分離方法で行うことができる。例えば、質量分析前に、液体クロマトグラフィー／質量分光法（ＬＣ／ＭＳ）を利用し、サンプルを分離することができる。さらに、目的の検体を分離するのに適した任意のクロマトグラフィー分離プロセスを使用することができる。適切なクロマトグラフィー分離プロセスおよび電気泳動分離プロセスの非限定例は、すでに記載した。
【０１９６】
いくつかの実施形態では、本方法は、消化工程および分離工程を伴って行うことができる。これらの工程は任意であるが、一緒に行われることが多く、例えば、プロテオーム分析を行い、細胞中のタンパク質の上方制御および下方制御を決定する。いくつかの実施形態では、本方法の工程は、消化工程および／または分離工程を伴っても伴わなくても、１つのサンプル中、または２つ以上の各サンプル中（支持体に結合した標識試薬で標識されたサンプルを含む）の１つ以上の検体を同定および／または定量するために、１回以上繰り返してもよい。較正標準がサンプル混合物中に存在するか否かに依存し、特定の検体の定量は、他の標識された検体に対する相対的なものであってもよく、絶対的なものであってもよい。
【０１９７】
上述のように、娘フラグメントイオンの質量（総質量または絶対質量）を分析することによって、選択されたイオンに関連する検体を決定することができる。このような１種の決定法は、「コンピューターによるデータベース分析による、検体の決定」の章に記載した。検体が決定されたら、第２の質量分析における各固有のレポーターイオンの総質量および相対量に関する情報および娘フラグメントイオンの質量に関する情報が、サンプル混合物に関する他の情報の決定をもとにして、与えられる。
【０１９８】
レポーターイオンの相対量は、質量スペクトルのピーク強度によって決定することができる。いくつかの実施形態では、各固有のレポーターイオンの量は、質量分析計を用いて得たレポーターイオン（またはシグニチャイオン）のピーク高さまたはピーク幅（またはピーク面積）を分析することによって決定することができる。各サンプルを異なる標識試薬で標識することができ、固有のレポーターイオンを生成し、このレポーターイオンが、サンプル混合物を配合するのに使用した、特定の異なる状態に標識されたサンプルと相関関係にあり得る固有のレポーター部分を各標識試薬は含んでいてもよいので、第２の質量分析における異なるレポーターイオンの決定を利用し、選択された検体のレポーターイオンの由来となる異なる状態に標識されたサンプルを同定することができる。複数のレポーターイオンが見つかる（例えば、本発明の多重法による）場合、各固有のレポーターイオンの相対量は、他のレポーターイオンに対して決定することができる。第２の質量分析で決定される各固有のレポーターイオンの相対量が、サンプル混合物中の検体の相対量と相関関係にあり得るため、そして、サンプル混合物を調製するのに使用したサンプルの比率が既知であり得るため、混合してサンプル混合物を形成する、異なる状態に標識されたサンプルそれぞれに含まれる検体の相対量（濃度および／または量であらわされることが多い）を決定することができる。さらに、決定される検体が、目的の別の化合物由来の副生成物である（例えば、検体が、タンパク質の消化によって得られたペプチドである場合のように、検体が分解反応の生成物である）場合、検体に関する定量情報を、元々の異なる状態に標識されたサンプルの成分と関連づけることができる。
【０１９９】
上述のように、異なる質量電荷比を有する選択されたイオンについて、この分析を１回以上繰り返し、混合してサンプル混合物を作製する各サンプルの１つ以上のさらなる検体の相対量を得てもよい。さらに、適切な場合、「検体の相対的および絶対的な定量」の章にすでに記載したように、天然に存在する同位体存在量または人工的に作製した同位体存在量について、固有のレポーターイオンに関連するピーク強度の補正を行うことができる。
【０２００】
いくつかの実施形態では、検体は、サンプルまたはサンプル混合物中のペプチドであってもよい。サンプルまたはサンプル混合物中のペプチドの分析を利用し、サンプルまたはサンプル混合物中に存在し、１つ以上のサンプル中のタンパク質が第１の質量分析前に分解可能である、同定可能なタンパク質の量（濃度および／または量であらわされることが多い）を決定することができる。さらに、異なるサンプルから得た情報を、細胞の増殖、成長、分化および／または死に影響を与え得る異なる濃度の基質とともにインキュベートした場合、細胞中のタンパク質の量に与える影響を比較するなどの決定のために比較することができる。その他に、非限定例としては、病的な組織または細胞培養物および健康な組織および細胞培養物の発現したタンパク質成分を比較することが挙げられ得る。このことは、微生物またはウイルスのような感染剤で感染した後、または癌のような他の疾患状態の細胞、組織または生体液中で発現したタンパク質のレベルを比較することも包含してもよい。他の例では、タンパク質濃度の経時変化（時間経過）試験における変化は、細胞または組織で発現したタンパク質成分に対する薬物治療の効果を調べるために行われてもよい。さらに他の例では、時間をかけて異なるサンプルから得た情報を利用し、疾患（例えば癌）または感染の結果、組織、臓器または生体液中の特定のタンパク質を検出し、その濃度を監視してもよい。このような試験は、１つ以上のコントロールサンプルを含んでいてもよい。いくつかの実施形態では、このような試験を利用し、上述の目的物の２つ以上の特徴を決定することができる。
【０２０１】
固有のレポーター部分を含む較正標準を、選択された質量電荷比を有する検体に結合させ、この較正標準を、既知の量（濃度および／または量であらわされることが多い）でサンプル混合物に加え、較正標準に関連する固有のレポーターの量を利用し、混合してサンプル混合物を形成する各サンプル中の検体の絶対量（濃度および／または量であらわされることが多い）を決定することができる。サンプル混合物中の較正標準に関する固有のレポーターイオンに関連する検体の量が既知であり、選択されたイオンと関連する標識された検体について、すべての固有のレポーターイオンの相対量を決定することができるため、このことは可能である。各固有のレポーターイオンの相対量は、各固有のレポーター部分（較正標準のレポーター部分を含む）について決定されるが、この相対量が、混合してサンプル混合物を形成する、各異なる状態に標識されたサンプルと関連する検体の量と比例するため、各サンプル中の検体の絶対量（濃度および／または量であらわされることが多い）を、サンプル混合物を製造するために使用されるサンプルの配合比率の計算値をもとに、決定することができる。適切な場合、天然に存在する同位体存在量または人工的に作製した同位体存在量について、各固有のレポーターイオンに関連するピーク強度の補正を行うことができる。このような分析法は、複雑な天然物の複数のサンプルのプロテオーム分析に特に有用であり得、特に、第１の質量分析の前に行う、標識された検体の予備的分離（例えば、液体クロマトグラフィー分離または電気泳動分離）に特に有用であり得る。
【０２０２】
例えば、サンプル混合物が、較正標準を１００ｆｍｏｌ／ｍＬ含み、較正標準に関連する固有のレポーターイオンの相対強度が１であり、第１のサンプルに関連する第１の他の固有のレポーターイオンの相対強度が２分の１であり、第２のサンプルに関連する第２の他の固有のレポーターの相対強度が２であった場合、混合してサンプル混合物を形成する第１の異なる状態に標識されたサンプル中の検体の量（サンプル１とサンプル２とを等量混合してサンプル混合物を形成したとする）は５０ｆｍｏｌ／ｍＬ（０．５×１００ｆｍｏｌ／ｍＬ）であり、混合してサンプル混合物を形成する第２の異なる状態に標識されたサンプル中の検体の量は、２００ｆｍｏｌ／ｍＬ（２×１００ｆｍｏｌ／ｍＬ）である。さらに、例えば、検体が、特定のタンパク質に関連するペプチドである場合、サンプル１中のタンパク質の量は、５０ｆｍｏｌ／ｍＬであり、サンプル２中のタンパク質の量は、２００ｆｍｏｌ／ｍＬであると推測され得る。したがって、較正標準が存在することにより、混合してサンプル混合物を形成する各異なる状態に標識されたサンプル中の標識された検体（およびいくつかの場合には、その前駆体）を絶対的に定量することができる。
【０２０３】
上述のように、いくつかの実施形態では、各固有のレポーターイオンに対応する固有の質量を有する各シグニチャイオンの絶対量は、較正曲線を参照して決定することができる。したがって、サンプル混合物の各異なるサンプル中の決定された検体の絶対量は、固有の質量を有する各異なるシグニチャイオンの絶対量を参照して決定することができる。
【０２０４】
上述のように、この分析を、異なる質量電荷比を有する選択されたイオンについて、１回以上繰り返し、混合してサンプル混合物を形成する各サンプル中の１つ以上のさらなる検体の絶対量を得てもよい。さらに適切な場合、上述のように、天然に存在する同位体存在量または人工的に作製した同位体存在量について、各固有のレポーターイオンと関連するピーク強度の補正を行うことができる。
【０２０５】
いくつかの実施形態では、本明細書に記載の方法は、式ＩＩ’
【０２０６】
【化２６】
2010249838.tif 000086
（その塩形態および／または水和物形態を含む）によってあらわされ得る標識試薬を用いて行うことができ、式中、Ｗ、Ｍ、Ｊ、Ｋ、Ｒ１、Ｒ２およびＸ１は、すでに記載したとおりである。
【０２０７】
いくつかの実施形態では、本明細書に記載の方法は、式ＩＩＩ’
【０２０８】
【化２７】
2010249838.tif 000087
（その塩形態および／または水和物形態を含む）によってあらわされ得る少なくとも１つの標識試薬を用いて行うことができ、式中、ｓ、Ｒ１、Ｒ２およびＲ１１は、すでに記載したとおりである。例えば、本方法は、以下に示す式Ｖ’〜ＸＩＩ’
【０２０９】
【化２８】
2010249838.tif 000088
【０２１０】
【化２９】
2010249838.tif 000089
（その塩形態および／または水和物形態を含む）によってあらわされる少なくとも１つの標識試薬を用いて行うことができ、式中、Ｒ１およびＲ２はすでに記載したとおりであり、記号＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２１１】
いくつかの実施形態では、本方法は、式ＩＶ’
【０２１２】
【化３０】
2010249838.tif 000090
（その塩形態および／または水和物形態を含む）によってあらわされ得る少なくとも１つの標識試薬を用いて行うことができ、式中、Ｒ１１はすでに記載したとおりである。例えば、本方法は、以下に示す式ＸＶ’〜ＸＸＩＩＩ’
【０２１３】
【化３１】
2010249838.tif 000091
【０２１４】
【化３２】
2010249838.tif 000092
（その塩形態および／または水和物形態を含む）によってあらわされ得る少なくとも１つの標識試薬を用いて行うことができ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２１５】
いくつかの実施形態では、本方法は、式ＩＩＩ＊’
【０２１６】
【化３３】
2010249838.tif 000093
（その塩形態および／または水和物形態を含む）によってあらわされ得る少なくとも１つの標識試薬を用いて行うことができ、式中、Ｒ１１はすでに記載したとおりである。例えば、例えば、本方法は、以下に示す式Ｍ’〜ＭＶ’
【０２１７】
【化３４】
2010249838.tif 000094
（その塩形態および／または水和物形態を含む）によってあらわされ得る少なくとも１つの標識試薬を用いて行うことができ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２１８】
上述のように、いくつかの実施形態では、本方法は、質量が異なるタグのセットを用いて行うことができる。それゆえに、いくつかの実施形態では、本方法は、サンプル混合物またはそのフラクションについて第１の質量分析を行う工程と、標識された検体に関連するピークの相対強度を決定する工程とをさらに含んでもよい。娘イオンフラグメントを分析することによって検体の正体を判別することができるため、本方法は、標識された検体のイオンを解離エネルギーでフラグメント化し、娘イオンフラグメントを得る工程と、娘イオンフラグメントから検体を同定する工程とをさらに含んでもよい。
【０２１９】
いくつかの実施形態では、本方法は、以下に示す式ＸＸＶ’〜ＸＸＸＩＩ’
【０２２０】
【化３５】
2010249838.tif 000095
または
【０２２１】
【化３６】
2010249838.tif 000096
（その塩形態および／または水和物形態を含む）によってあらわされ得る少なくとも１つの標識試薬を用いて行うことができ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２２２】
いくつかの実施形態では、本方法は、以下に示す式ＸＸＸＶ’〜ＸＸＸＸＩ’
【０２２３】
【化３７】
2010249838.tif 000097
または
【０２２４】
【化３８】
2010249838.tif 000098
（その塩形態および／または水和物形態を含む）によってあらわされ得る少なくとも１つの標識試薬を用いて行うことができ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２２５】
いくつかの実施形態では、本方法は、以下に示す式ＭＶＩ’〜ＭＸＩＩＩ’
【０２２６】
【化３９】
2010249838.tif 000099
または
【０２２７】
【化４０】
2010249838.tif 000100
（その塩形態および／または水和物形態を含む）によってあらわされ得る少なくとも１つの標識試薬を用いて行うことができ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２２８】
（プロテオームワークフロー）
いくつかの実施形態では、サンプルの検体の標識化は、サンプル加工工程を行う前に行ってもよい。いくつかの実施形態では、検体の標識化は、他のサンプルの加工工程の間に行ってもよい。いくつかの実施形態では、検体の標識化は、サンプル加工の最後の工程および／またはサンプル混合物を調製する直前の工程である。
【０２２９】
非限定例としてプロテオーム分析を用い、使用可能な少なくともいくつかの可能なワークフローが存在する。以下の記載の理解を助けるために、前駆体タンパク質と検体ペプチドとを時おり対比している。しかし、種々の実施形態では、タンパク質および／またはペプチドのうち片方または両方が、本明細書に記載の検体と考えられ得ることが理解されるべきである。
【０２３０】
ある種類のワークフローでは、前駆体のタンパク質をペプチド検体に消化し、その後に標識してもよい。別の種類のワークフローでは、前駆体のタンパク質を標識試薬で標識し、次いで標識されたペプチド検体に消化してもよい。別の種類のワークフローでは、前駆体のタンパク質を固体支持体に捕捉し、消化し、次いで、支持体に結合したペプチドを標識化してもよい。場合により、素通り（ｆｌｏｗ  ｔｈｒｏｕｇｈ）ペプチドを標識してもよい。別の種類のワークフローでは、前駆体のタンパク質を固体支持体に捕捉し、標識し、次いで、支持体に結合したタンパク質を消化し、標識されたペプチドを得てもよい。場合により、素通りペプチドを標識してもよい。ワークフローにかかわらず、ＭＳ分析およびＭＳ／ＭＳ分析前に望ましい場合、標識されたペプチドについて、さらなるサンプル加工工程（例えば、分離工程）を行ってもよい。
【０２３１】
（消化後に標識化を含む、例示的なワークフロー）
一例として、「コントロール」サンプルおよび分析対象の「試験」サンプルが存在してもよい。例えば、最終目的が、「コントロール」サンプルのタンパク質および「試験」サンプルのタンパク質のペプチドを（検体として）分析することである場合、サンプルのタンパク質を、いくつかの実施形態では、場合により還元し、場合によりシステインブロックし、酵素で消化し、後続の分析用に標識化可能な検体ペプチドを得てもよい。検体ペプチドは、いくつかの実施形態では、さらなるサンプル加工を行うことなく、標識（タグ化）されてもよい。標識化する方法にかかわらず、各異なるサンプルの検体は、固有の質量を有するレポーター部分をそれぞれ含む異なる標識試薬（例えば、異性体の標識および／または同重体化合物の標識の標識試薬のセット）を用いて標識してもよい。
【０２３２】
いくつかの実施形態では、標識化前および／または標識化後に、さらなるサンプル加工が所望され得る。例えば、分離工程は、目的物ではない特定の種類のペプチドを排除することによりサンプルの複雑性を下げるために行われる。標識されたサンプルを混合し、サンプル混合物を得てもよい。いくつかの実施形態では、質量分析前に、標識された検体ペプチドを分離（例えば、高速液体クロマトグラフィー（ＨＰＬＣ））に供してもよい。
【０２３３】
別の例示的な実施形態は、ペプチド捕捉に関与する可能性があるシステインのチオール基をブロックし、再生する任意の工程を含む。疑いを排除するために、各異なるサンプルまたはサンプルフラクションをコードするためにさらなる異なる標識が利用可能な場合に限り、さらなるサンプルを加工してもよいことは自明である。
【０２３４】
いくつかの実施形態では、「コントロール」サンプルおよび「試験」サンプルを酵素で消化し、次いで、サンプル成分を開裂可能なリンカーを介して固体相に捕捉させてもよい。例えば、支持体は、開裂可能なリンカーと、ペプチドの部分と反応する反応基とを含んでいてもよい。
【０２３５】
いくつかの実施形態では、支持体を素通りするペプチド（ペプチドが支持体の官能基と反応しないため）は、（廃棄される代わりに）集められ、同重体化合物の標識試薬および／または質量が異なる標識試薬のセットで標識され、支持体から集めた標識されたペプチドと別個にまたは一緒に分析されてもよい。固体支持体を素通りするペプチドを、標識試薬のセットの同じ標識試薬または異なる標識試薬で標識してもよい。標識試薬にかかわらず、場合により、これらは、ＭＳ／ＭＳ分析によって分析されるサンプル混合物と混合されてもよい。これらは、独立して分析することもできる。支持体上に存在するときまたは支持体から開裂した後のいずれかで、支持体上に保持されたペプチドを標識することができる。
【０２３６】
前駆体のタンパク質を捕捉するために、固体支持体を使用することもできる。例えば、並行経路を用いて、加工された２つのサンプルが存在してもよい。システイン部分を含まないタンパク質を、洗浄によって支持体から除去してもよく、場合により、集めてもよい（すなわち、素通り）。タンパク質を、場合により、消化し、標識し、および／またはサンプル混合物と共に分析するか、または別個に分析してもよい。
【０２３７】
支持体に結合したタンパク質を消化してもよい。次いで、支持体に結合したシステイン含有ペプチドを標識試薬で標識し、支持体から開裂させてもよい。支持体に結合したシステイン含有ペプチドを、他の方法で最初に支持体から開裂させ、標識試薬で標識してもよい。異なるサンプル由来の標識されたペプチド（場合により、システイン部分を含まない標識されたペプチドを含む）を混合し、加工し、および／またはサンプル混合物と共に分析するか、または別個に分析してもよい。
【０２３８】
消化を行った結果、支持体から放出した任意のペプチドを集めることもできる。典型的には、これらは、チオール基を含まないペプチドである。これらのペプチドは、場合により、標識試薬で標識され、場合により、混合し、加工し、および／またはサンプル混合物と共に分析するか、または別個に分析してもよい。
【０２３９】
（標識後に消化を含む、例示的なワークフロー）
分析用に検体を捕捉するのに支持体を使うか使わないかにかかわらず、検体を標識試薬で標識する工程は、処理によって、標識が、本明細書に記載の標識された検体を定量する操作ができなくなる様式で改変しない限り、消化または他の化学処理の前後のいずれで行ってもよい。タンパク質サンプルの場合、還元し、サンプルタンパク質のシステインをブロックし、サンプルタンパク質のＮ−ε−リジン側鎖のアミン基を標識試薬で標識し、タンパク質を標識されたペプチドに消化してもよい。
【０２４０】
その由来にかかわらず、標識された検体を分析するか、さらに例えば、分離および／または支持体への固定によって加工してもよい（サンプル混合物の調製を含む）。標識されたタンパク質を、支持体から開裂させ、消化するか、または標識されたタンパク質を、支持体に結合したまま消化してもよい。後者の場合、支持体に結合した消化は、システイン部分を含まないペプチドを支持体から遊離させる。これらを集め、場合により、別個に、または後者の放出された、システインを含む標識されたペプチドを含むサンプル混合物の一部分として分析してもよい。
【０２４１】
前駆体のタンパク質をペプチドに消化する前に標識する場合、消化パターンが変わることがある。例えば、トリプシンでの消化は、Ｎ−ε−リジン側鎖のアミン基が標識で修飾されているため、Ｃ末端アルギニンペプチドを優先的に与えると予想され得る。その結果、トリプシンの活性は、Ａｒｇ−Ｃの活性とよく似たものになり得る。リジン側鎖も含むＣ末端アルギニンペプチドのみが標識され得、それゆえに、質量分析計で検出可能になるため、この方法は、さらなる加工および／または分析が行われるサンプルの複雑性をさらに下げる一方法を提供する。
【０２４２】
いくつかの実施形態では、タンパク質を還元し、標識試薬（すなわち、チオール特異的な標識試薬）でシステイン基を標識し、次いで分析用にタンパク質を標識されたペプチドに消化することができる。標識されたペプチド検体を分析するか、または例えば、分離および／または支持体への固定によって、さらに加工してもよい。例えば、リジン側鎖のＮ−α−アミン基および／またはＮ−ε−アミン基と、支持体の官能基とを反応させることによって、標識されたペプチドを支持体に固定することができる。アミン官能基を含む化合物を固定するための開裂可能なリンカーを有する支持体としては、トリチルリンカーを含む支持体（Ｎｏｖａｂｉｏｃｈｅｍ（カリフォルニア州サンディエゴ）から入手可能な塩化トリチル支持体（トリチル−Ｃｌ）または２−クロロトリチルクロリド支持体）が挙げられる。このワークフローは、上に記載したものとは別個のものである。標識された検体を、支持体から開裂させ、さらに加工し、および／または分析してもよい。消化されたすべてのペプチドが、少なくともＮ−α−アミン基を含むと予想されるため、このプロセスは、複雑性の低下を実質的に提供しないかもしれない。
【０２４３】
上述の例は、種々の可能なワークフローを排除することを意図したのものではない。単に例示を意図したものである。消化の前に標識を行う実施形態に関し、消化を行う前に、さらなるサンプル加工を行うこともできる。
【０２４４】
（まとめ）
上記の記載はプロテオーム分析およびペプチドおよび／またはタンパク質の検体としての決定について特定の例に焦点を合わせているが、記載されている概念は、過度の実験を行うことなく、上述のワークフローを適用可能な多くの種類の検体を包含することを意図している。したがって、本開示の範囲は、記載したこれらの特定の例のいずれかに限定されることを意図しているものではない。
【０２４５】
（ＩＶ．混合物）
いくつかの実施形態では、本発明は、混合物（すなわちサンプル混合物）に関する。例えば、混合物は、同重体化合物の標識された検体および／または質量が異なる標識された検体を含んでもよい。標識された検体の例示的な混合物およびその調製方法および／または分析方法は、上記の「標識方法および分析方法」との題名の章に記載している。
【０２４６】
混合物は、２つ以上の標識化反応の生成物をすべて、または一部分混合することによって作製することができ、各サンプルは、標識試薬のセットの異なる標識試薬で標識され、各標識試薬は、固有の（総）質量を有するレポーター部分を含む。各異なる標識試薬の固有のレポーター部分は、２つ以上の標識された検体のそれぞれが誘導される（すなわち、由来となる）標識化反応から同定することができる。標識試薬は、同位体でコードされた同重体化合物（および／または異性体）の標識試薬および／または質量が異なる標識試薬である。したがって、混合物の２つ以上の標識された検体は、同重体化合物（および／または異性体）および／または質量が異なるものであってもよい。上述の方法に関連する標識試薬および標識された検体の特徴は、すでに記載した。
【０２４７】
混合物の検体は、任意の検体であってもよい。例えば、混合物の検体は、ペプチドであってもよい。混合物の検体は、タンパク質であってもよい。混合物の検体は、ペプチドおよびタンパク質であってもよい。混合物の検体は、核酸分子であってもよい。混合物の検体は、炭水化物であってもよい。混合物の検体は、脂質であってもよい。混合物の検体は、プロスタグランジンであってもよい。混合物の検体は、脂肪酸であってもよい。混合物の検体は、カルニチンであってもよい。混合物の検体は、アミノ酸であってもよい。混合物の検体は、ビタミンであってもよい。混合物の検体は、ステロイドであってもよい。混合物の検体は、１５００ダルトン未満の質量を有する低分子であってもよい。混合物の検体は、２つ以上の異なる種類の検体（例えば、（１）脂質およびステロイド；または（２）ペプチド、脂質、ステロイドおよび炭水化物）を含む。
【０２４８】
混合物は、本明細書に開示される新規レポーター／リンカー部分を含む、任意の種類の異なる状態に標識された検体を含んでもよい。例えば、混合物は、式Ｉ”
【０２４９】
【化４１】
2010249838.tif 000101
（その塩形態および／または水和物形態を含む）によってあらわされ得る少なくとも２つの異なる状態に標識された検体を含んでもよく、式中、Ｙ、Ｊ、Ｋ、Ｒ１、Ｒ２およびＸ１の原子または基は、すでに記載したとおりであり、これらの特徴はすでに開示されており、式Ｉ＾
【０２５０】
【化４２】
2010249838.tif 000102
によってあらわされる基は、特定のサンプルに関連するすべての標識された検体について同じであるが、式Ｉ＾の基は、少なくとも１箇所の同位体が濃縮された部位を含み、この部位は、混合されてサンプル混合物を形成する異なるサンプル由来の任意の他の標識された検体の同位体が濃縮された部位とは異なっている。Ｚ”は共有結合した検体である。
【０２５１】
いくつかの実施形態では、２つの標識された検体はそれぞれ、異なるサンプル由来であってもよい。いくつかの実施形態では、Ｙ−Ｊ基のＪ基と、標識された検体の残りの部分との間での結合が質量分析計中でフラグメント化する場合、混合されて混合物を形成する異なるサンプル由来の任意の他の標識された検体と関連する任意のレポーターイオンとは異なる固有質量のレポーターイオンが生成され、この固有のレポーターイオンにより、標識された検体が由来したサンプルを同定可能なように、レポーター部分を形成可能な式Ｉ”の各異なる標識された検体のＹ−Ｊ基は、１箇所以上の同位体が濃縮された部位で固有にコードされ得る。基Ｚ”は共有結合した検体であり得る。それぞれの異なる標識について、混合物の標識された検体のいくつかは同じであってもよく、標識された検体のいくつかは異なっていてもよい。
【０２５２】
いくつかの実施形態では、式Ｉ＾
【０２５３】
【化４３】
2010249838.tif 000103
によってあらわされる基は、特定のサンプルに関連するすべての標識された検体について同じ総質量を有しているが、混合されて混合物を形成する異なるサンプル由来の任意の他の標識された検体に関連する式Ｉ＾の基とは総質量が異なっており、式Ｉ＾の基の総質量は、標識された検体が由来したサンプルを同定可能である。
【０２５４】
いくつかの実施形態では、混合物は、式ＩＩ”
【０２５５】
【化４４】
2010249838.tif 000104
（その塩形態および／または水和物形態を含む）によってあらわされ得る少なくとも２つの異なる状態に標識された検体を含んでいてもよく、式中、Ｗ、Ｍ、Ｊ、Ｋ、Ｒ１、Ｒ２、Ｘ１およびＺ”は、すでに記載したとおりである。
【０２５６】
いくつかの実施形態では、混合物は、少なくとも２つの異なる状態に標識された検体を含んでいてもよく、少なくとも１つの標識された検体は、式ＩＩＩ”
【０２５７】
【化４５】
2010249838.tif 000105
（その塩形態および／または水和物形態を含む）によってあらわされ、式中、ｓ、Ｒ１、Ｒ２、Ｒ１１およびＺ”は、すでに記載したとおりである。
【０２５８】
いくつかの実施形態では、混合物は、少なくとも２つの異なる状態に標識された検体を含んでいてもよく、少なくとも１つの標識された検体は、式Ｖ”、ＶＩ”、ＶＩＩ”、ＶＩＩＩ”、ＩＸ”、Ｘ”、ＸＩ”またはＸＩＩ”
【０２５９】
【化４６】
2010249838.tif 000106
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２６０】
いくつかの実施形態では、混合物は、少なくとも２つの異なる状態に標識された検体を含んでいてもよく、少なくとも１つの標識された検体は、式ＸＸＶ”、ＸＸＶＩ”、ＸＸＶＩＩ”、ＸＸＶＩＩＩ”、ＸＸＩＸ”、ＸＸＸ”、ＸＸＸＩ”またはＸＸＸＩＩ”
【０２６１】
【化４７】
2010249838.tif 000107
または
【０２６２】
【化４８】
2010249838.tif 000108
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２６３】
いくつかの実施形態では、混合物は、少なくとも２つの異なる状態に標識された検体を含んでいてもよく、少なくとも１つの標識された検体は、式ＩＶ”
【０２６４】
【化４９】
2010249838.tif 000109
（その塩形態および／または水和物形態を含む）によってあらわされ、式中、Ｒ１１およびＺ”は、すでに記載したとおりである。
【０２６５】
いくつかの実施形態では、混合物は、少なくとも２つの異なる状態に標識された検体を含んでいてもよく、少なくとも１つの標識された検体は、式ＸＶ”、ＸＶＩ”、ＸＶＩＩ”、ＸＶＩＩＩ”、ＸＩＸ”、ＸＸ”、ＸＸＩ”、ＸＸＩＩ”またはＸＸＩＩＩ”
【０２６６】
【化５０】
2010249838.tif 000110
【０２６７】
【化５１】
2010249838.tif 000111
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２６８】
いくつかの実施形態では、混合物は、少なくとも２つの異なる状態に標識された検体を含んでいてもよく、少なくとも１つの標識された検体は、式ＸＸＸＶ”、ＸＸＸＶＩ”、ＸＸＸＶＩＩ”、ＸＸＸＶＩＩＩ”、ＸＸＸＩＸ”、ＸＸＸＸ”またはＸＸＸＸＩ”
【０２６９】
【化５２】
2010249838.tif 000112
【０２７０】
【化５３】
2010249838.tif 000113
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２７１】
いくつかの実施形態では、混合物は、少なくとも２つの異なる状態に標識された検体を含んでいてもよく、少なくとも１つの標識された検体は、式ＩＩＩ＊”
【０２７２】
【化５４】
2010249838.tif 000114
（その塩形態および／または水和物形態を含む）によってあらわされ、式中、Ｒ１１およびＺ”は、すでに記載したとおりである。
【０２７３】
いくつかの実施形態では、混合物は、少なくとも２つの異なる状態に標識された検体を含んでいてもよく、少なくとも１つの標識された検体は、式Ｍ”、ＭＩ”、ＭＩＩ”、ＭＩＩＩ”、ＭＩＶ”またはＭＶ”
【０２７４】
【化５５】
2010249838.tif 000115
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２７５】
いくつかの実施形態では、混合物は、少なくとも２つの異なる状態に標識された検体を含んでいてもよく、少なくとも１つの標識された検体は、式ＭＶＩ”、ＭＶＩＩ”、ＭＶＩＩＩ”、ＭＩＸ”、ＭＸ”、ＭＸＩ”、ＭＸＩＩ”またはＭＸＩＩＩ”
【０２７６】
【化５６】
2010249838.tif 000116
【０２７７】
【化５７】
2010249838.tif 000117
（その塩形態および／または水和物形態を含む）によってあらわされ、式中、＊は、適切な場合、１２Ｃと置き換わった１３Ｃ、１４Ｎと置き換わった１５Ｎまたは１６Ｏと置き換わった１８Ｏを含む同位体が濃縮された部位を示す。
【０２７８】
（Ｖ．キット）
いくつかの実施形態では、本発明は、キットに関する。キットは、本明細書に記載の標識試薬と、１つ以上の他の試薬、容器、酵素、バッファーおよび／または説明書とを含んでいてもよい。キットは、２つ以上の標識試薬のセットと、１つ以上の他の試薬、容器、酵素、バッファーおよび／または説明書とを含んでいてもよい。例えば、キットは、２つ以上の異なるサンプル中の１つ以上の検体を定量するアッセイを行うために選択された少なくとも１つのさらなる試薬を含んでいてもよい。例えば、キットは、固有の総質量を有するレポーター部分を含む、標識された較正標準を含んでいてもよい。例えば、キットは、固有の総質量を有する標識部分を含む、標識された較正標準を含んでいてもよい。
【０２７９】
キットの２つ以上の標識試薬は、異性体および／または同重体化合物であってもよい。例えば、キットの１つ以上の標識試薬は、本明細書にすでに開示したような、式Ｉ’、ＩＩ’、ＩＩＩ’、ＩＶ’、Ｖ’、ＶＩ’、ＶＩＩ’、ＶＩＩＩ’、ＩＸ’、Ｘ’、ＸＩ’、ＸＩＩ’、ＸＩＩＩ’、ＸＶ’、ＸＶＩ’、ＸＶＩＩ’、ＸＶＩＩＩ’、ＸＩＸ’、ＸＸ’、ＸＸＩ’、ＸＸＩＩ’および／またはＸＸＩＩＩ”の化合物（化合物のセットを含む）であってもよい。いくつかの実施形態では、キットは、本明細書にすでに開示したような、式Ｉ”、ＩＩ”、ＩＩＩ”、ＩＶ”、Ｖ”、ＶＩ”、ＶＩＩ”、ＶＩＩＩ”、ＩＸ”、Ｘ”、ＸＩ”、ＸＩＩ”、ＸＩＩＩ”、ＸＶ”、ＸＶＩ”、ＸＶＩＩ”、ＸＶＩＩＩ”、ＸＩＸ”、ＸＸ”、ＸＸＩ”、ＸＸＩＩ”および／またはＸＸＩＩＩ”の標識された検体（例えば、較正標準として）を含んでいてもよい。キットの標識試薬の他の性質はすでに開示した。キットは、例えば、同じサンプル中または２つ以上の異なるサンプル中の１つ以上の検体の多重分析に有用であり得る。
【０２８０】
（ＶＩ．実例となる標識試薬）
以下に示す標識試薬ＡおよびＢは、それぞれ、調製可能で利用可能な多くの可能な標識試薬のうちの１つをあらわすことは理解されるべきである。当業者は、通常の実験を超える実験を行うことなく、本明細書に与えられた開示内容を用い、類似の化学構造を有する他の標識試薬を容易に製造できることもまた理解されるべきである。したがって、開示内容は、説明のためのものであることが意図され、いかなる様式でも排除的であることも限定されることも意図されるものではない。
【０２８１】
【化５８】
2010249838.tif 000118
例示的な同位体でコードされた、製造可能な同重体化合物のセットＡおよびＢを示す。以下に示す標識試薬のセットが、それぞれ、調製可能で利用可能な多くの可能な標識試薬のうちの１つをあらわすことは理解されるべきである。当業者は、通常の実験を超える実験を行うことなく、本明細書に与えられた開示内容を用い、類似の化学構造を有する他の標識試薬のセットを容易に製造できることもまた理解されるべきである。したがって、開示内容は、説明のためのものであることが意図され、いかなる様式でも排除的であることも限定されることも意図されるものではない。
【０２８２】
例示的なセットＡ
【０２８３】
【化５９】
2010249838.tif 000119
例示的なセットＢ
【０２８４】
【化６０】
2010249838.tif 000120
【０２８５】
【化６１】
2010249838.tif 000121
。
【０２８６】
例示的な同位体でコードされた、製造可能な質量が異なる化合物のセットＣおよびＤを示す。以下に示す標識試薬のセットが、それぞれ、調製可能で利用可能な多くの可能な標識試薬のセットのうちの１つをあらわすことは理解されるべきである。当業者は、通常の実験を超える実験を行うことなく、本明細書に与えられた開示内容を用い、類似の化学構造を有する他の標識試薬のセットを容易に製造できることもまた理解されるべきである。したがって、開示内容は、説明のためのものであることが意図され、いかなる様式でも排除的であることも限定されることも意図されるものではない。
【０２８７】
例示的なセットＣ
【０２８８】
【化６２】
2010249838.tif 000122
例示的なセットＤ
【０２８９】
【化６３】
2010249838.tif 000123
および
【０２９０】
【化６４】
2010249838.tif 000124
他の例示的な同位体でコードされた、記載される方法を用いて製造可能な化合物は、本明細書および関連する図面および特許請求の範囲に記載されている。
【０２９１】
本発明の教示内容を、種々の実施形態と組み合わせて記載したが、本教示内容がこれらの実施形態に限定されることを意図したものではない。対照的に、本教示内容は、当業者に理解されるように、種々の改変例、変更例および等価物を包含する。
【図１】
2010249838.tif 000143
【図２】
2010249838.tif 000144
【図３】
2010249838.tif 000145
【図４ａ】
2010249838.tif 000146
【図４ｂ】
2010249838.tif 000147
【図５】
2010249838.tif 000148
【図６】
2010249838.tif 000149